(57)【特許請求の範囲】
【請求項１】
ＷＬＡＮ（Ｗｉｒｅｌｅｓｓ  ＬＡＮ）システムにおける下向きリンク（ＤＬ：Ｄｏｗｎｌｉｎｋ）マルチユーザ（ＭＵ：Ｍｕｌｔｉ−Ｕｓｅｒ）送信方法において、
物理プリアンブル（ｐｈｙｓｉｃａｌ  ｐｒｅａｍｂｌｅ）及びデータフィールドを含むＤＬ  ＭＵ  ＰＰＤＵ（Ｐｈｙｓｉｃａｌ  Ｐｒｏｔｏｃｏｌ  Ｄａｔａ  Ｕｎｉｔ）を生成するステップと、
前記データフィールドは、少なくとも１つのメディアアクセスコントロール（ＭＡＣ）ＰＤＵ（Ｐｒｏｔｏｃｏｌ  Ｄａｔａ  Ｕｎｉｔ）（ＭＰＤＵ）を含み、前記少なくとも１つのＭＰＤＵは、ＭＡＣヘッダとＭＡＣフレームボディとを含み、
前記ＭＡＣヘッダは、ＡＣＫ指示（ｉｎｄｉｃａｔｉｏｎ）情報と、前記ＡＣＫ指示情報が含まれるか否かを示す指示子を含み、
前記ＡＣＫ指示情報は、複数のＡＣＫフレームの上向きリンク（ＵＬ）  ＭＵ  ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）送信のための周波数資源割当情報と、変調及びコーディングスキーム（ＭＣＳ）レベル情報と、前記複数のＡＣＫフレームを運ぶＵＬ  ＭＵ  ＰＰＤＵの長さ情報を含み、
前記ＤＬ  ＭＵ  ＰＰＤＵを複数の受信ＳＴＡへ送信するステップと、
前記複数の受信ＳＴＡから前記複数のＡＣＫフレームを前記ＤＬ  ＭＵ  ＰＰＤＵへの応答として同時に受信するステップと、
を含む、ＤＬ  ＭＵ送信方法。
【請求項２】
前記指示子は、前記ＭＡＣヘッダに含まれた高効率（ＨＥ）コントロールフィールドに含まれる、請求項１に記載のＤＬ  ＭＵ送信方法。
【請求項３】
前記ＡＣＫ指示情報は、前記ＭＡＣヘッダのＨＥコントロールフィールドに含まれる、請求項２に記載のＤＬ  ＭＵ送信方法。
【請求項４】
前記周波数資源割当情報は、前記ＡＣＫフレームのＵＬ  ＭＵ  ＯＦＤＭＡ送信のために割り当てられた資源ユニットを示すインデックス値を含む、請求項１に記載のＤＬ  ＭＵ送信方法。
【請求項５】
前記ＭＣＳレベル情報は、前記ＡＣＫフレームに適用されたＭＣＳレベルを示す、請求項１に記載のＤＬ  ＭＵ送信方法。
【請求項６】
前記ＡＣＫフレームに適用されたＭＣＳレベルは、ＭＣＳレベルの所定の数の中から選択される、請求項５に記載のＤＬ  ＭＵ送信方法。
【請求項７】
前記ＭＣＳレベル情報は、ＭＣＳレベル０から３の１つを示し、
前記ＭＣＳレベル０はＢＰＳＫ変調で１／２コードレートコーディングを示し、前記ＭＣＳレベル１はＱＰＳＫ変調で１／２コードレートコーディングを示し、前記ＭＣＳレベル２はＱＰＳＫ変調で３／４コードレートコーディングを示し、前記ＭＣＳレベル３は１６ＱＡＭ変調で１／２コードレートコーディングを示す、請求項６に記載のＤＬ  ＭＵ送信方法。
【請求項８】
前記長さ情報は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ）シンボルナンバーユニットでの前記ＵＬ  ＭＵ  ＰＰＤＵの長さを示す、請求項１に記載のＤＬ  ＭＵ送信方法。
【請求項９】
ＷＬＡＮ（Ｗｉｒｅｌｅｓｓ  ＬＡＮ）システムにおけるＳＴＡ（Ｓｔａｔｉｏｎ）装置において、
無線信号を送受信するＲＦユニットと、
前記ＲＦユニットを制御するプロセッサと、
を備え、
前記プロセッサは、
物理プリアンブル（ｐｈｙｓｉｃａｌ  ｐｒｅａｍｂｌｅ）及びデータフィールドを含む下向きリンク（ＤＬ：Ｄｏｗｎｌｉｎｋ）マルチユーザ（ＭＵ：Ｍｕｌｔｉ−Ｕｓｅｒ）ＰＰＤＵ（Ｐｈｙｓｉｃａｌ  Ｐｒｏｔｏｃｏｌ  Ｄａｔａ  Ｕｎｉｔ）を生成し、
前記データフィールドは、少なくとも１つのメディアアクセスコントロール（ＭＡＣ）ＰＤＵ（Ｍａｃ  Ｐｒｏｔｏｃａｌ  Ｄａｔａ  Ｕｎｉｔ）（ＭＰＤＵ）を含み、前記少なくとも１つのＭＰＤＵは、ＭＡＣヘッダとＭＡＣフレームボディとを含み、
前記ＭＡＣヘッダは、ＡＣＫ指示（ｉｎｄｉｃａｔｉｏｎ）情報と、前記ＡＣＫ指示情報が含まれるか否かを示す指示子を含み、
前記ＡＣＫ指示情報は、複数のＡＣＫフレームの上向きリンク（ＵＬ）ＭＵ  ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）送信のための周波数資源割当情報と、変調及びコーディングスキーム（ＭＣＳ）レベル情報と、前記複数のＡＣＫフレームを運ぶＵＬ  ＭＵ  ＰＰＤＵの長さ情報を含み、
前記ＤＬ  ＭＵ  ＰＰＤＵを複数の受信ＳＴＡへ送信し、
前記複数の受信ＳＴＡから前記複数のＡＣＫフレームを前記ＤＬ  ＭＵ  ＰＰＤＵへの応答として同時に受信する、ＳＴＡ装置。
【請求項１０】
前記周波数資源割当情報は、前記ＡＣＫフレームのＵＬ  ＭＵ  ＯＦＤＭＡ送信のために割り当てられた資源ユニットを示すインデックス値を含む、請求項９に記載のＳＴＡ装置。
【請求項１１】
前記ＭＣＳレベル情報は、前記ＡＣＫフレームに適用されたＭＣＳレベルを示し、
前記ＡＣＫフレームに適用されたＭＣＳレベルは、ＭＣＳレベルの所定の数の中から選択される、請求項９に記載のＳＴＡ装置。
【請求項１２】
前記長さ情報は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ）シンボルナンバーユニットでの前記ＵＬ  ＭＵ  ＰＰＤＵの長さを示す、請求項９に記載のＳＴＡ装置。
【発明の詳細な説明】
【技術分野】
【０００１】
本発明は、無線通信システムに関し、さらに詳細に多重ユーザ（ｍｕｌｔｉ-ｕｓｅｒ）のデータ送信を支援するためのデータ送信方法及びこれを支援する装置に関する。
【背景技術】
【０００２】
ワイファイ（Ｗｉ-Ｆｉ）は、２．４ＧＨｚ、５ＧＨｚまたは６０ＧＨｚ周波数帯域において機器がインターネットに接続可能なようにするＷＬＡＮ（Ｗｉｒｅｌｅｓｓ  Ｌｏｃａｌ  Ａｒｅａ  Ｎｅｔｗｏｒｋ）技術である。
【０００３】
ＷＬＡＮは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１標準に基づく。ＩＥＥＥ  ８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代ＷＬＡＮ（ｗｉｒｅｌｅｓｓ  ｌｏｃａｌ  ａｒｅａ  ｎｅｔｗｏｒｋ）を中長期的に悩むアドホック委員会（ｃｏｍｍｉｔｔｅｅ）である。
【０００４】
ＩＥＥＥ  ８０２．１１ｎは、ネットワークの速度と信頼性を増加させ、無線ネットワークの運営距離を拡張するのに目的をおいている。さらに具体的に、ＩＥＥＥ  ８０２．１１ｎでは、最大６００Ｍｂｐｓのデータ処理速度（ｄａｔａ  ｒａｔｅ）を提供する高処理率（ＨＴ：Ｈｉｇｈ  Ｔｈｒｏｕｇｈｐｕｔ）を支援し、また送信エラーを最小化しデータ速度を最適化するために、送信部と受信部の両端ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤をおいている。
【０００５】
ＷＬＡＮの補給が活性化され、またこれを利用したアプリケーションが多様化するにつれて、超高処理率（ＶＨＴ：Ｖｅｒｙ  Ｈｉｇｈ  Ｔｈｒｏｕｇｈｐｕｔ）を支援する次世代ＷＬＡＮシステムは、ＩＥＥＥ  ８０２．１１ｎ  ＷＬＡＮシステムの次のバージョンとして、ＩＥＥＥ  ８０２．１１ａｃが新しく制定された。ＩＥＥＥ  ８０２．１１ａｃは、８０ＭＨｚ帯域幅送信及び／又はより高い帯域幅送信（例えば、１６０ＭＨｚ）を介して、１Ｇｂｐｓ以上のデータ処理速度を支援し、主に５ＧＨｚ帯域で動作する。
【０００６】
最近では、ＩＥＥＥ  ８０２．１１ａｃが支援するデータ処理速度よりさらに高い処理率を支援するための新しいＷＬＡＮシステムに対する必要性が台頭しつつある。
【０００７】
一名ＩＥＥＥ  ８０２．１１ａｘまたは高効率（ＨＥＷ：Ｈｉｇｈ  Ｅｆｆｉｃｉｅｎｃｙ）ＷＬＡＮと呼ばれる次世代ＷＬＡＮタスクグループで主に論議されるＩＥＥＥ  ８０２．１１ａｘの範囲（ｓｃｏｐｅ）は、１）２．４ＧＨｚ及び５ＧＨｚなどの帯域で８０２．１１  ＰＨＹ（ｐｈｙｓｉｃａｌ）層とＭＡＣ（ｍｅｄｉｕｍ  ａｃｃｅｓｓ  ｃｏｎｔｒｏｌ）層の向上、２）スペクトル効率性（ｓｐｅｃｔｒｕｍ  ｅｆｆｉｃｉｅｎｃｙ）と領域スループット（ａｒｅａ  ｔｈｒｏｕｇｈｐｕｔ）向上、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際の室内環境及び室外環境での性能向上などを含む。
【０００８】
ＩＥＥＥ  ８０２．１１ａｘにおいて主に考慮されるシナリオは、ＡＰ（ａｃｃｅｓｓ  ｐｏｉｎｔ）とＳＴＡ（ｓｔａｔｉｏｎ）が多い密集環境であり、ＩＥＥＥ  ８０２．１１ａｘは、このような状況でスペクトル効率（ｓｐｅｃｔｒｕｍ  ｅｆｆｉｃｉｅｎｃｙ）と空間送信率（ａｒｅａ  ｔｈｒｏｕｇｈｐｕｔ）の改善について議論する。特に、室内環境だけでなく、従来のＷＬＡＮで多く考慮されなかった室外環境での実質的性能改善に関心を有する。
【０００９】
ＩＥＥＥ  ８０２．１１ａｘでは、無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きく、当該シナリオに基づいてＡＰとＳＴＡが多い密集環境でのシステム性能の向上についての議論が行われている。
【００１０】
今後、ＩＥＥＥ  ８０２．１１ａｘでは、１つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能の向上及び室外環境性能の改善、及びセルラオフロード（ｃｅｌｌｕｌａｒ  ｏｆｆｌｏａｄｉｎｇ）などに対する議論が盛んになると予想される。このようなＩＥＥＥ  ８０２．１１ａｘの方向性は、次世代ＷＬＡＮがますます移動通信と類似の技術範囲を有するようになるのを意味する。最近、スモールセル（ｓｍａｌｌ  ｃｅｌｌ）及びＤ２Ｄ（Ｄｉｒｅｃｔ-ｔｏ-Ｄｉｒｅｃｔ）通信領域で移動通信とＷＬＡＮ技術が共に論議されている状況を考慮すると、ＩＥＥＥ  ８０２．１１ａｘに基づいた次世代ＷＬＡＮと移動通信の技術的及び事業的融合は、さらに盛んになると予測される。
【発明の概要】
【発明が解決しようとする課題】
【００１１】
本発明の目的は、無線通信システムにおける上向きリンク／下向きリンク多重ユーザ（ｍｕｌｔｉ−ｕｓｅｒ）データ送受信方法を提案する。
【００１２】
また、本発明の目的は、無線通信システムにおける上向きリンク／下向きリンク多重ユーザ（ｍｕｌｔｉ−ｕｓｅｒ）送受信に利用されるＰＰＤＵのＨＥ（Ｈｉｇｈ  Ｅｆｆｉｃｉｅｎｃｙ）フォーマットを提案する。特に、ＰＰＤＵに含まれたＨＥ−ＳＩＧ（ｓｉｇｎａｌ）  Ａフィールド及びＨＥ−ＳＩＧ  Ｂフィールドのフォーマットを提案する。
【００１３】
本発明でなそうとする技術的課題は、以上で言及した技術的課題に制限されず、言及していないさらに他の技術的課題は、下記の記載から本発明の属する技術分野における通常の知識を有した者に明確に理解されるであろう。
【課題を解決するための手段】
【００１４】
上述した技術的課題を解決するために、本発明の一実施形態に係るＷＬＡＮシステムのＡＰ装置及びＡＰ装置のデータ送信方法を提案する。
【００１５】
本発明の一実施形態に係るＷＬＡＮ（Ｗｉｒｅｌｅｓｓ  ＬＡＮ）システムにおけるＡＰ（Ａｃｃｅｓｓ  Ｐｏｉｎｔ）装置の下向きリンク（ＤＬ：Ｄｏｗｎｌｉｎｋ）多重ユーザ（ＭＵ：Ｍｕｌｔｉ−Ｕｓｅｒ）送信方法において、物理プリアンブル（ｐｈｙｓｉｃａｌ  ｐｒｅａｍｂｌｅ）及びデータフィールドを含むＤＬ  ＭＵ  ＰＰＤＵ（Ｐｈｙｓｉｃａｌ  Ｐｒｏｔｏｃｏｌ  Ｄａｔａ  Ｕｎｉｔ）を生成するステップであって、前記データフィールドは、少なくとも１つのＭＰＤＵ（Ｍａｃ  Ｐｒｏｔｏｃｏｌ  Ｄａｔａ  Ｕｎｉｔ）を含み、前記少なくとも１つのＭＰＤＵは、ＭＡＣヘッダとＭＡＣフレームボディとを含み、前記ＭＡＣヘッダは、前記データフィールドを介して送信されたデータに対する応答であるＡＣＫフレームの上向きリンク（ＵＬ：Ｕｐｌｉｎｋ）ＭＵ送信のためのＡＣＫ指示（ｉｎｄｉｃａｔｉｏｎ）情報を含む、ステップと、前記ＤＬ  ＭＵ  ＰＰＤＵを送信するステップとを含むことができる。
【００１６】
また、前記少なくとも１つのＭＰＤＵは、前記少なくとも１つのＭＰＤＵが前記ＡＣＫ指示情報を含んでいることを指示する指示子を含むことができる。
【００１７】
また、前記指示子は、前記少なくとも１つのＭＰＤＵに含まれたＭＰＤＵデリミタ（ｄｅｌｉｍｉｔｅｒ）フィールドに含むことができる。
【００１８】
また、前記少なくとも１つのＭＰＤＵのタイプまたはサブタイプが定義される場合、前記指示子は、前記定義されたタイプまたはサブタイプとして前記ＭＡＣヘッダのフレームコントロールフィールド（Ｆｒａｍｅ  Ｃｏｎｔｒｏｌ  Ｆｉｅｌｄ）に含まれることができる。
【００１９】
また、前記少なくとも１つのＭＰＤＵがＨＴ（Ｈｉｇｈ−Ｔｈｒｏｕｇｈｐｕｔ）フォーマットの制御ラッパーフレーム（Ｃｏｎｔｒｏｌ  Ｗｒａｐｐｅｒ  Ｆｒａｍｅ）である場合、前記指示子は、前記ＭＡＣヘッダに含まれたＨＴコントロールフィールドに含まれることができる。
【００２０】
また、前記少なくとも１つのＭＰＤＵがＨＥ（Ｈｉｇｈ−Ｅｆｆｉｃｉｅｎｃｙ）フォーマットフレームである場合、前記指示子は、前記ＭＡＣヘッダに含まれたＨＥコントロールフィールドに含まれることができる。
【００２１】
また、前記少なくとも１つのＭＰＤＵに対応するＭＰＤＵデリミタフィールドの特定予備ビット値が予め設定された値に設定されるか、前記少なくとも１つのＭＰＤＵに含まれたコントロールフィールドの特定予備ビット値が予め設定された値に設定された場合、前記少なくとも１つのＭＰＤＵは、前記ＨＥフォーマットフレームでありうる。
【００２２】
また、前記指示子は、前記ＭＡＣヘッダに含まれたフレームコントロールフィールド（Ｆｒａｍｅ  Ｃｏｎｔｒｏｌ  Ｆｉｅｌｄ）または住所フィールド（Ａｄｄｒｅｓｓ  Ｆｉｅｌｄ）に含まれることができる。
【００２３】
また、前記指示子が前記フレームコントロールフィールドに含まれる場合、前記フレームコントロールフィールドのＴｏ  ＤＳフィールド及びＦｒｏｍ  ＤＳフィールドのビット値が各々「１」に設定されることができる。
【００２４】
また、前記ＡＣＫ指示情報は、前記ＭＡＣヘッダのコントロールフィールドに含まれることができる。
【００２５】
また、前記コントロールフィールドは、前記ＡＫ指示情報として前記ＡＣＫフレームのＵＬ  ＭＵ送信のための周波数資源割当情報、帯域幅（ｂａｎｄｗｉｄｔｈ）情報、空間資源割当情報、送信チャネル情報、ＭＣＳ（Ｍｏｄｕｌａｔｉｏｎ  ａｎｄ  Ｃｏｄｉｎｇ  Ｓｃｈｅｍｅ）レベル情報、前記ＡＣＫフレームを運ぶＵＬ  ＭＵ  ＰＰＤＵの最大長さ情報、バッファ状態要求（Ｂｕｆｆｅｒ  ｓｔａｔｕｓ  ｒｅｐｏｒｔ  ｒｅｑｕｅｓｔ）情報、及びチャネル状態要求（Ｃｈａｎｎｅｌ  ｓｔａｔｕｓ  ｒｅｐｏｒｔ  ｒｅｑｕｅｓｔ）情報のうち、少なくとも１つを含むことができる。
【００２６】
また、前記データフィールドがＡ−ＭＰＤＵを含む場合、前記Ａ−ＭＰＤＵの一部は、前記少なくとも１つのＭＰＤＵで構成されることができる。
【００２７】
また、前記ＡＣＫ指示情報に応じる応答として前記ＡＣＫフレームが受信されなかった場合、前記ＡＣＫ指示情報の受信ＳＴＡにＢＡＲ（Ｂｌｏｃｋ  Ａｃｋｎｏｗｌｅｄｇｍｅｎｔ  ｒｅｑｕｅｓｔ）フレームを送信するか、前記受信ＳＴＡから前記ＢＡＲフレームの送信要求を受け、前記要求に対する応答として前記ＢＡＲフレームを前記受信ＳＴＡに送信するか、前記受信ＳＴＡに対応するデータを前記ＤＬ  ＭＵ  ＰＰＤＵを介して前記受信ＳＴＡに再送信するステップとをさらに含むことができる。
【００２８】
また、前記ＡＣＫ指示情報の受信ＳＴＡにＢＡＲフレームを送信するステップは、前記ＡＣＫフレームが受信されないことを認識した後、ＳＩＦＳ（Ｓｈｏｒｔ  ｉｎｔｅｒｆｒａｍｅ  ｓｐａｃｅ）後または前記データを前記受信ＳＴＡに再送信するためのバックオフ過程（ｂａｃｋｏｆｆ  ｐｒｏｃｅｄｕｒｅ）後に、チャネル競争（ｃｈａｎｎｅｌ  ｃｏｎｔｅｎｔｉｏｎ）を介して前記ＢＡＲフレームを送信するステップでありうる。
【００２９】
また、前記受信ＳＴＡから前記ＢＡＲフレームの送信要求を受け、前記要求に対する応答として前記ＢＡＲフレームを前記受信ＳＴＡに送信する場合、前記ＢＡＲフレームの要求は、ランダムアクセス（ｒａｎｄｏｍ  ａｃｃｅｓｓ）区間に前記受信ＳＴＡから受信されることができる。
【００３０】
また、前記データフィールドがＡ−ＭＰＤＵを含む場合、前記Ａ−ＭＰＤＵは、前記少なくとも１つのＭＰＤＵで構成されることができる。
【００３１】
また、本発明の他の実施形態によれば、ＷＬＡＮ（Ｗｉｒｅｌｅｓｓ  ＬＡＮ）システムにおけるＡＰ（Ａｃｃｅｓｓ  Ｐｏｉｎｔ）装置において、無線信号を送受信するＲＦユニット、及び前記ＲＦユニットを制御するプロセッサを備え、前記プロセッサは、物理プリアンブル（ｐｈｙｓｉｃａｌ  ｐｒｅａｍｂｌｅ）及びデータフィールドを含む下向きリンク（ＤＬ：Ｄｏｗｎｌｉｎｋ）多重ユーザ（ＭＵ：Ｍｕｌｔｉ−Ｕｓｅｒ）ＰＰＤＵ（Ｐｈｙｓｉｃａｌ  Ｐｒｏｔｏｃｏｌ  Ｄａｔａ  Ｕｎｉｔ）を生成し、前記データフィールドは、少なくとも１つのＭＰＤＵ（Ｍａｃ  Ｐｒｏｔｏｃａｌ  Ｄａｔａ  Ｕｎｉｔ）を含み、前記ＭＰＤＵは、ＭＡＣヘッダとＭＡＣフレームボディとを含み、前記ＭＡＣヘッダは、前記データフィールドを介して送信されたデータに対する応答であるＡＣＫフレームの上向きリンク（ＵＬ：Ｕｐｌｉｎｋ）ＭＵ送信のためのＡＣＫ指示（ｉｎｄｉｃａｔｉｏｎ）情報を含み、前記ＤＬ  ＭＵ  ＰＰＤＵを送信できる。
【００３２】
また、前記少なくとも１つのＭＰＤＵは、前記少なくとも１つのＭＰＤＵが前記ＡＣＫ指示情報を含んでいることを指示する指示子を含むことができる。
【発明の効果】
【００３３】
本発明の一実施形態によれば、ＡＰ装置は、ＡＣＫフレームを送信するＵＬ  ＭＵ資源を指示するＡＣＫ指示情報が含まれたＭＡＣヘッダをＤＬ  ＭＵ送信することができ、受信ＳＴＡは、受信したＡＣＫ指示情報が指示するＵＬ  ＭＵ資源を利用してＡＣＫフレームを送信することができる。
【００３４】
また、本発明の一実施形態によれば、ＡＰ装置は、前記ＡＣＫ指示情報の包含可否を指示する指示子を前記ＡＣＫ指示情報とともにＤＬ  ＭＵ送信し、受信ＳＴＡは、前記指示子を介してＡＣＫ指示情報の包含可否を認識できる。
【００３５】
その他、本発明の他の効果については、以下の実施形態においてさらに説明する。
【図面の簡単な説明】
【００３６】
本発明に関する理解を助けるために、詳細な説明の一部として含まれる添付図面は、本発明に対する実施形態を提供し、詳細な説明とともに本発明の技術的特徴を説明する。
【００３７】
【図１】本発明が適用され得るＩＥＥＥ  ８０２．１１システムの一例を示す図である。
【図２】本発明が適用され得るＩＥＥＥ  ８０２．１１システムの階層アーキテクチャー（ｌａｙｅｒ  ａｒｃｈｉｔｅｃｔｕｒｅ）の構造を例示する図である。
【図３】本発明が適用され得る無線通信システムのｎｏｎ-ＨＴフォーマットＰＰＤＵ及びＨＴフォーマットＰＰＤＵを例示する。
【図４】本発明が適用され得る無線通信システムのＶＨＴフォーマットＰＰＤＵフォーマットを例示する。
【図５】本発明が適用され得る無線通信システムのＰＰＤＵのフォーマットを区分するためのコンステレーション（ｃｏｎｓｔｅｌｌａｔｉｏｎ）を例示する図である。
【図６】本発明が適用され得るＩＥＥＥ  ８０２．１１システムのＭＡＣフレームフォーマットを例示する。
【図７】本発明が適用され得る無線通信システムにおけるＭＡＣフレーム内のフレーム制御（Ｆｒａｍｅ  Ｃｏｎｔｒｏｌ）フィールドを例示する図である。
【図８】本発明が適用され得る無線通信システムにおけるＨＴ  ＣｏｎｔｒｏｌフィールドのＶＨＴフォーマットを例示する。
【図９】本発明が適用され得る無線通信システムにおける任意バックオフ周期とフレーム送信手順とを説明するための図である。
【図１０】本発明が適用され得る無線通信システムにおけるＩＦＳ関係を例示する図である。
【図１１】本発明が適用され得る無線通信システムにおけるチャネルサウンディング（ｓｏｕｎｄｉｎｇ）方法を概念的に示す図である。
【図１２】本発明が適用され得る無線通信システムにおけるＶＨＴ  ＮＤＰＡフレームを例示する図である。
【図１３】本発明が適用され得る無線通信システムにおけるＮＤＰ  ＰＰＤＵを例示する図である。
【図１４】本発明が適用され得る無線通信システムにおけるＶＨＴ圧縮されたビームフォーミング（ＶＨＴ  ｃｏｍｐｒｅｓｓｅｄ  ｂｅａｍｆｏｒｍｉｎｇ）フレームフォーマットを例示する図である。
【図１５】本発明が適用され得る無線通信システムにおけるビームフォーミング報告ポール（Ｂｅａｍｆｏｒｍｉｎｇ  Ｒｅｐｏｒｔ  Ｐｏｌｌ）フレームフォーマットを例示する図である。
【図１６】本発明が適用され得る無線通信システムにおけるＧｒｏｕｐ  ＩＤ  Ｍａｎａｇｅｍｅｎｔフレームを例示する図である。
【図１７】本発明が適用され得る無線通信システムにおける下向きリンク多重ユーザ（ｍｕｌｔｉ−ｕｓｅｒ）ＰＰＤＵフォーマットを例示する図である。
【図１８】本発明が適用され得る無線通信システムにおける下向きリンク多重ユーザ（ｍｕｌｔｉ−ｕｓｅｒ）ＰＰＤＵフォーマットを例示する図である。
【図１９】本発明が適用され得る無線通信システムにおける下向きリンクＭＵ−ＭＩＭＯ送信過程を例示する図である。
【図２０】本発明が適用され得る無線通信システムにおけるＡＣＫフレームを例示する図である。
【図２１】本発明が適用され得る無線通信システムにおけるブロックＡＣＫ要求（Ｂｌｏｃｋ  Ａｃｋ  Ｒｅｑｕｅｓｔ）フレームを例示する図である。
【図２２】本発明が適用され得る無線通信システムにおけるブロックＡＣＫ要求（Ｂｌｏｃｋ  Ａｃｋ  Ｒｅｑｕｅｓｔ）フレームのＢＡＲ情報（ＢＡＲ  Ｉｎｆｏｒｍａｔｉｏｎ）フィールドを例示する図である。
【図２３】本発明が適用され得る無線通信システムにおけるブロックＡＣＫ（Ｂｌｏｃｋ  Ａｃｋ）フレームを例示する図である。
【図２４】本発明が適用され得る無線通信システムにおけるブロックＡＣＫ（Ｂｌｏｃｋ  Ａｃｋ）フレームのＢＡ情報（ＢＡ  Ｉｎｆｏｒｍａｔｉｏｎ）フィールドを例示する図である。
【図２５】本発明の一実施形態に係るＨＥ（Ｈｉｇｈ  Ｅｆｆｉｃｉｅｎｃｙ）フォーマットＰＰＤＵを例示する図である。
【図２６】本発明の一実施形態に係るＨＥフォーマットＰＰＤＵを例示する図である。
【図２７】本発明の一実施形態に係るＨＥフォーマットＰＰＤＵを例示する図である。
【図２８】本発明の一実施形態に係るＨＥフォーマットＰＰＤＵを例示する図である。
【図２９】本発明の一実施形態に係る上向きリンク多重ユーザ（ｍｕｌｔｉ−ｕｓｅｒ）送信手順を例示する図である。
【図３０】本発明の一実施形態に係るＯＦＤＭＡ多重ユーザ（ｍｕｌｔｉ−ｕｓｅｒ）送信方式で資源割当単位を例示する図である。
【図３１】本発明の一実施形態に係るＯＦＤＭＡ多重ユーザ（ｍｕｌｔｉ−ｕｓｅｒ）送信方式で資源割当単位を例示する図である。
【図３２】本発明の一実施形態に係るＯＦＤＭＡ多重ユーザ（ｍｕｌｔｉ−ｕｓｅｒ）送信方式で資源割当単位を例示する図である。
【図３３】ＡＣＫ指示情報が物理プリアンブルに含まれた２０ＭＨｚ  ＤＬ  ＭＵ  ＰＰＤＵの一実施形態を示した図である。
【図３４】ＡＣＫ指示情報がデータフィールドに含まれた２０ＭＨｚ  ＤＬ  ＭＵ  ＰＰＤＵの一実施形態を示した図である。
【図３５】ＨＴフォーマットのコントロールフィールドを示した図である。
【図３６】本発明の一実施形態に係るＨＥコントロールフィールドを示した図である。
【図３７】本発明の一実施形態に係るエラー復旧手順を概略的に示した図である。
【図３８】本発明の一実施形態に係るＡＰ装置のＤＬ  ＭＵ送信方法を示した順序図である。
【図３９】本発明の一実施形態に係る各ＳＴＡ装置のブロック図である。
【発明を実施するための形態】
【００３８】
本明細書において使用される用語は、本明細書での機能を考慮しつつ、できる限り、現在広く使用される一般的な用語を選択したが、これは、当分野に従事する技術者の意図、慣例、または新しい技術の出現などによって変わることができる。また、特定の場合は、出願人が任意に選定した用語もあり、この場合、当該実施形態の説明部分でその意味を記載するであろう。したがって、本明細書において使用される用語は、単純な用語の名称でない、その用語でない実質的な意味と本明細書の全般にわたった内容に基づいて解釈されなければならないことを明かしておく。
【００３９】
さらに、以下、添付図面及び添付図面に記載された内容を参照して実施形態を詳細に説明するが、実施形態により制限されるか、限定されるものではない。
【００４０】
以下、添付した図面を参照して本発明の好ましい実施形態をさらに詳細に説明する。
【００４１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ-ｏｒｔｈｏｇｏｎａｌ  ｍｕｌｔｉｐｌｅ  ａｃｃｅｓｓ）などのような様々な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ-Ｆｉ）、ＩＥＥＥ  ８０２．１６（ＷｉＭＡＸ）、ＩＥＥＥ  ８０２-２０、Ｅ-ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを使用するＥ-ＵＭＴＳ（ｅｖｏｌｖｅｄ  ＵＭＴＳ）の一部として、ダウンリンクでＯＦＤＭＡを採用しアップリンクでＳＣ-ＦＤＭＡを採用する。ＬＴＥ-Ａ（ａｄｖａｎｃｅｄ）は、３ＧＰＰ  ＬＴＥの進化である。
【００４２】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明らかに表すために説明しないステップまたは部分は、前記文書により裏付けられることができる。また、本文書において開示しているすべての用語は、前記標準文書により説明されることができる。
【００４３】
説明を明確にするために、ＩＥＥＥ  ８０２．１１システムを中心に述べるが、本発明の技術的特徴がこれに制限されるものではない。
【００４４】
システム一般
図１は、本発明が適用され得るＩＥＥＥ  ８０２．１１システムの一例を示す図である。
【００４５】
ＩＥＥＥ  ８０２．１１構造は、複数の構成要素から構成されることができ、これらの相互作用により上位層に対してトランスペアレントな（ｔｒａｎｓｐａｒｅｎｔ）ステーション（ＳＴＡ：Ｓｔａｔｉｏｎ）移動性を支援する無線通信システムが提供されることができる。基本サービスセット（ＢＳＳ：Ｂａｓｉｃ  Ｓｅｒｖｉｃｅ  Ｓｅｔ）は、ＩＥＥＥ  ８０２．１１システムでの基本的な構成ブロックに該当できる。
【００４６】
図１では、３個のＢＳＳ（ＢＳＳ１ないしＢＳＳ３）が存在し、それぞれのＢＳＳのメンバーとして２個のＳＴＡが含まれること（ＳＴＡ１及びＳＴＡ２は、ＢＳＳ１に含まれ、ＳＴＡ３及びＳＴＡ４は、ＢＳＳ２に含まれ、ＳＴＡ５及びＳＴＡ６は、ＢＳＳ３に含まれる）を例示的に示す。
【００４７】
図１においてＢＳＳを示す楕円は、当該ＢＳＳに含まれたＳＴＡが通信を維持するカバレッジ領域を示すものと理解されることができる。この領域を基本サービス領域（ＢＳＡ：Ｂａｓｉｃ  Ｓｅｒｖｉｃｅ  Ａｒｅａ）と称することができる。ＳＴＡがＢＳＡの外に移動するようになると、当該ＢＳＡ内の他のＳＴＡと直接的に通信できなくなる。
【００４８】
ＩＥＥＥ  ８０２．１１システムにおいて最も基本的なタイプのＢＳＳは、独立的なＢＳＳ（ＩＢＳＳ：Ｉｎｄｅｐｅｎｄｅｎｔ  ＢＳＳ）である。例えば、ＩＢＳＳは、２個のＳＴＡだけから構成された最小の形態を有することができる。また、最も単純な形態で他の構成要素が省略されている図１のＢＳＳ３がＩＢＳＳの代表的な例示に該当できる。このような構成は、ＳＴＡが直接通信できる場合に可能である。また、このような形態のＬＡＮは、予め計画されて構成されることではなく、ＬＡＮが必要な場合に構成されることができ、これをアドホック（ａｄ-ｈｏｃ）ネットワークと称することもできる。
【００４９】
ＳＴＡのオンまたはオフ、ＳＴＡがＢＳＳ領域に入って行く等により、ＢＳＳでのＳＴＡのメンバーシップが動的に変更されることができる。ＢＳＳのメンバーになるためには、ＳＴＡは、同期化過程を利用してＢＳＳにジョインできる。ＢＳＳ基盤構造のすべてのサービスにアクセスするためには、ＳＴＡは、ＢＳＳに連係（ａｓｓｏｃｉａｔｅｄ）されなければならない。このような連係（ａｓｓｏｃｉａｔｉｏｎ）は、動的に設定されることができ、分配システムサービス（ＤＳＳ：Ｄｉｓｔｒｉｂｕｔｉｏｎ  Ｓｙｓｔｅｍ  Ｓｅｒｖｉｃｅ）の利用を含むことができる。
【００５０】
８０２．１１システムにおいて直接的なＳＴＡ-対-ＳＴＡの距離は、物理層（ＰＨＹ：ｐｈｙｓｉｃａｌ）性能によって制限されることができる。ある場合には、このような距離の限界が十分でありうるが、場合によっては、より遠くの距離のＳＴＡ間の通信が必要でありうるときもある。拡張されたカバレッジを支援するために、分配システム（ＤＳ：Ｄｉｓｔｒｉｂｕｔｉｏｎ  Ｓｙｓｔｅｍ）が構成されることができる。
【００５１】
ＤＳは、ＢＳＳが相互接続する構造を意味する。具体的に、図１のように、ＢＳＳが独立的に存在する代わりに、複数のＢＳＳから構成されたネットワークの拡張された形態の構成要素としてＢＳＳが存在することもできる。
【００５２】
ＤＳは、論理的な概念であり、分配システム媒体（ＤＳＭ：Ｄｉｓｔｒｉｂｕｔｉｏｎ  Ｓｙｓｔｅｍ  Ｍｅｄｉｕｍ）の特性によって特定されることができる。これと関連して、ＩＥＥＥ  ８０２．１１標準では、無線媒体（ＷＭ：Ｗｉｒｅｌｅｓｓ  Ｍｅｄｉｕｍ）と分配システム媒体（ＤＳＭ：Ｄｉｓｔｒｉｂｕｔｉｏｎ  Ｓｙｓｔｅｍ  Ｍｅｄｉｕｍ）を論理的に区分している。各々の論理的媒体は、相違する目的のために使用され、相違する構成要素によって使用される。ＩＥＥＥ  ８０２．１１標準の定義では、このような媒体を同じことに制限することもせず相違することに制限することもしない。このように複数の媒体が論理的に相違するという点で、ＩＥＥＥ  ８０２．１１システムの構造（ＤＳ構造または他のネットワーク構造）の柔軟性が説明されることができる。すなわち、ＩＥＥＥ  ８０２．１１システム構造は、多様に実現化されることができ、各々の実現例の物理的な特性によって独立に当該システム構造が特定されることができる。
【００５３】
ＤＳは、複数のＢＳＳの途切れない（ｓｅａｍｌｅｓｓ）統合を提供し、目的地へのアドレスを扱うのに必要な論理的サービスを提供することによって、移動装置を支援できる。
【００５４】
ＡＰは、関連したＳＴＡに対してＷＭを介してＤＳへのアクセスを可能にし、ＳＴＡ機能性を有する個体を意味する。ＡＰを介してＢＳＳ及びＤＳ間のデータ移動が行われることができる。例えば、図１に示すＳＴＡ２及びＳＴＡ３は、ＳＴＡの機能性を有し、かつ関連したＳＴＡ（ＳＴＡ１及びＳＴＡ４）がＤＳにアクセスするようにする機能を提供する。また、すべてのＡＰは、基本的にＳＴＡに該当するので、すべてのＡＰは、アドレス可能な個体である。ＷＭ上での通信のために、ＡＰによって使用されるアドレスとＤＳＭ上での通信のために、ＡＰによって使用されるアドレスは、必ず同一である必要はない。
【００５５】
ＡＰに関連したＳＴＡのうちの１つからそのＡＰのＳＴＡアドレスに送信されるデータは、常に非制御ポート（ｕｎｃｏｎｔｒｏｌｌｅｄ  ｐｏｒｔ）で受信され、ＩＥＥＥ  ８０２．１Ｘポートアクセス個体によって処理されることができる。また、制御ポート（ｃｏｎｔｒｏｌｌｅｄ  ｐｏｒｔ）が認証されると、送信データ（またはフレーム）は、ＤＳに伝達されることができる。
【００５６】
任意の（ａｒｂｉｔｒａｒｙ）サイズ及び複雑度を有する無線ネットワークがＤＳ及びＢＳＳから構成されることができる。ＩＥＥＥ  ８０２．１１システムでは、このような方式のネットワークを拡張されたサービスセット（ＥＳＳ：Ｅｘｔｅｎｄｅｄ  Ｓｅｒｖｉｃｅ  Ｓｅｔ）ネットワークと称する。ＥＳＳは、１つのＤＳに接続したＢＳＳの集合に該当できる。しかしながら、ＥＳＳは、ＤＳを含まない。ＥＳＳネットワークは、論理リンク制御（ＬＬＣ：Ｌｏｇｉｃａｌ  Ｌｉｎｋ  Ｃｏｎｔｒｏｌ）層でＩＢＳＳネットワークに見える点が特徴である。ＥＳＳに含まれるＳＴＡは、互いに通信でき、移動ＳＴＡは、ＬＬＣにトランスペアレント（ｔｒａｎｓｐａｒｅｎｔ）に１つのＢＳＳから他のＢＳＳに（同じＥＳＳ内で）移動できる。
【００５７】
ＩＥＥＥ  ８０２．１１システムでは、図１でのＢＳＳの相対的な物理的位置に対してなんにも仮定せずに、次のような形態が全部可能である。
【００５８】
具体的に、ＢＳＳは、部分的に重なることができ、これは、連続的なカバレッジを提供するために一般に利用される形態である。また、ＢＳＳは、物理的に接続されていなくても良く、論理的には、ＢＳＳ間の距離に制限はない。また、ＢＳＳは、物理的に同じ位置に位置でき、これは、リダンダンシー（ｒｅｄｕｎｄａｎｃｙ）を提供するために利用されることができる。また、１つ（または１つ以上の）ＩＢＳＳまたはＥＳＳネットワークが１つまたはそれ以上のＥＳＳネットワークとして同じ空間に物理的に存在できる。これは、ＥＳＳネットワークが存在する位置にａｄ-ｈｏｃネットワークが動作する場合、相違する機関（ｏｒｇａｎｉｚａｔｉｏｎｓ）によって物理的に重なるＩＥＥＥ  ８０２．１１ネットワークが構成される場合、または同じ位置で２つ以上の相違したアクセス及びセキュリティー政策が必要な場合などでのＥＳＳネットワーク形態に該当できる。
【００５９】
ＷＬＡＮシステムにおけるＳＴＡは、ＩＥＥＥ  ８０２．１１の媒体接続制御（ＭＡＣ：Ｍｅｄｉｕｍ  Ａｃｃｅｓｓ  Ｃｏｎｔｒｏｌ）／ＰＨＹ規定に従って動作する装置である。ＳＴＡの機能がＡＰと個別的に区分されない限り、ＳＴＡは、ＡＰ  ＳＴＡと非-ＡＰ  ＳＴＡ（ｎｏｎ-ＡＰ  ＳＴＡ）を含むことができる。ただし、ＳＴＡとＡＰとの間に通信が行われるとするとき、ＳＴＡは、ｎｏｎ-ＡＰ  ＳＴＡと理解されることができる。図１の例示において、ＳＴＡ１、ＳＴＡ４、ＳＴＡ５及びＳＴＡ６は、ｎｏｎ-ＡＰ  ＳＴＡに該当し、ＳＴＡ２及びＳＴＡ３は、ＡＰ  ＳＴＡに該当する。
【００６０】
Ｎｏｎ-ＡＰ  ＳＴＡは、ラップトップパソコン、移動電話機のように、一般にユーザが直接扱う装置に該当する。以下の説明において、ｎｏｎ-ＡＰ  ＳＴＡは、無線装置（ｗｉｒｅｌｅｓｓ  ｄｅｖｉｃｅ）、端末（ｔｅｒｍｉｎａｌ）、ユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、移動端末（Ｍｏｂｉｌｅ  Ｔｅｒｍｉｎａｌ）、無線端末（ｗｉｒｅｌｅｓｓ  ｔｅｒｍｉｎａｌ）、無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）、ネットワークインタフェース装置（ｎｅｔｗｏｒｋ  ｉｎｔｅｒｆａｃｅ  ｄｅｖｉｃｅ）、ＭＴＣ（Ｍａｃｈｉｎｅ-Ｔｙｐｅ  Ｃｏｍｍｕｎｉｃａｔｉｏｎ）装置、Ｍ２Ｍ（Ｍａｃｈｉｎｅ-ｔｏ-Ｍａｃｈｉｎｅ）装置などと呼ぶことができる。
【００６１】
また、ＡＰは、他の無線通信分野での基地局（ＢＳ：Ｂａｓｅ  Ｓｔａｔｉｏｎ）、ノード-Ｂ（Ｎｏｄｅ-Ｂ）、発展したノード-Ｂ（ｅＮＢ：ｅｖｏｌｖｅｄ  Ｎｏｄｅ-Ｂ）、基底送受信システム（ＢＴＳ：Ｂａｓｅ  Ｔｒａｎｓｃｅｉｖｅｒ  Ｓｙｓｔｅｍ）、フェムト基地局（Ｆｅｍｔｏ  ＢＳ）などに対応する概念である。
【００６２】
以下、本明細書においてダウンリンク（ＤＬ：ｄｏｗｎｌｉｎｋ）は、ＡＰからｎｏｎ-ＡＰ  ＳＴＡへの通信を意味し、アップリンク（ＵＬ：ｕｐｌｉｎｋ）は、ｎｏｎ-ＡＰ  ＳＴＡからＡＰへの通信を意味する。ダウンリンクにおける送信機は、ＡＰの一部で、受信機は、ｎｏｎ-ＡＰ  ＳＴＡの一部でありうる。アップリンクにおける送信機は、ｎｏｎ-ＡＰ  ＳＴＡの一部で、受信機は、ＡＰの一部でありうる。
【００６３】
図２は、本発明が適用され得るＩＥＥＥ  ８０２．１１システムの階層アーキテクチャー（ｌａｙｅｒ  ａｒｃｈｉｔｅｃｔｕｒｅ）の構造を例示する図である。
【００６４】
図２に示すように、ＩＥＥＥ  ８０２．１１システムの階層アーキテクチャーは、ＭＡＣ副層（ＭＡＣ  ｓｕｂｌａｙｅｒ）とＰＨＹ副層（ＰＨＹ  ｓｕｂｌａｙｅｒ）を含むことができる。
【００６５】
ＰＨＹ  ｓｕｂｌａｙｅｒは、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体（ｅｎｔｉｔｙ）とＰＭＤ（Ｐｈｙｓｉｃａｌ  Ｍｅｄｉｕｍ  Ｄｅｐｅｎｄｅｎｔ）個体とに区分されることもできる。この場合、ＰＬＣＰ個体は、ＭＡＣ  ｓｕｂｌａｙｅｒとデータフレームとを接続する機能を果たし、ＰＭＤ個体は、２個またはそれ以上のＳＴＡとデータとを無線で送受信する機能を果たす。
【００６６】
ＭＡＣ  ｓｕｂｌａｙｅｒとＰＨＹ  ｓｕｂｌａｙｅｒとも、管理個体（Ｍａｎａｇｅｍｅｎｔ  Ｅｎｔｉｔｙ）を含むことができ、それぞれＭＡＣサブ層管理個体（ＭＬＭＥ：ＭＡＣ  ｓｕｂｌａｙｅｒ  Ｍａｎａｇｅｍｅｎｔ  Ｅｎｔｉｔｙ）とＰＨＹサブ層管理個体（ＰＬＭＥ：Ｐｈｙｓｉｃａｌ  Ｓｕｂｌａｙｅｒ  Ｍａｎａｇｅｍｅｎｔ  Ｅｎｔｉｔｙ）と呼ぶことができる。これらの管理個体は、階層管理関数の動作を介して階層管理サービスインタフェースを提供する。ＭＬＭＥは、ＰＬＭＥに接続されてＭＡＣ  ｓｕｂｌａｙｅｒの管理動作（ｍａｎａｇｅｍｅｎｔ  ｏｐｅｒａｔｉｏｎ）を行うことができ、同様に、ＰＬＭＥもＭＬＭＥに接続されてＰＨＹ  ｓｕｂｌａｙｅｒの管理動作（ｍａｎａｇｅｍｅｎｔ  ｏｐｅｒａｔｉｏｎ）を行うことができる。
【００６７】
正確なＭＡＣ動作を提供するために、ＳＭＥ（Ｓｔａｔｉｏｎ  Ｍａｎａｇｅｍｅｎｔ  Ｅｎｔｉｔｙ）が各ＳＴＡ内に存在できる。ＳＭＥは、各階層と独立な管理個体であって、ＭＬＭＥとＰＬＭＥから階層基盤状態情報を収集するか、または各階層の特定パラメータの値を設定する。ＳＭＥは、一般システム管理個体の代わりに、このような機能を行うことができ、標準管理プロトコルを実現できる。
【００６８】
ＭＬＭＥ、ＰＬＭＥ及びＳＭＥは、プリミティブ（ｐｒｉｍｉｔｉｖｅ）に基づく様々な方法で相互作用（ｉｎｔｅｒａｃｔ）できる。具体的に、ＸＸ-ＧＥＴ．ｒｅｑｕｅｓｔプリミティブは、管理情報ベース属性（ＭＩＢ  ａｔｔｒｉｂｕｔｅ：Ｍａｎａｇｅｍｅｎｔ  Ｉｎｆｏｒｍａｔｉｏｎ  Ｂａｓｅ  ａｔｔｒｉｂｕｔｅ）の値を要求するために使用され、ＸＸ-ＧＥＴ．ｃｏｎｆｉｒｍプリミティブは、状態が「ＳＵＣＣＥＳＳ」であると、当該ＭＩＢ属性値をリターン（ｒｅｔｕｒｎ）し、その他の場合には、状態フィールドにエラー表示をしてリターンする。ＸＸ-ＳＥＴ．ｒｅｑｕｅｓｔプリミティブは、指定されたＭＩＢ属性を与えた値に設定するように要求するために使用される。ＭＩＢ属性が特定動作を意味している場合、この要求は、その特定動作の実行を要求する。そして、ＸＸ-ＳＥＴ．ｃｏｎｆｉｒｍプリミティブは、状態が「ＳＵＣＣＥＳＳ」であると、これは指定されたＭＩＢ属性が要求された値に設定されたことを意味する。その他の場合には、状態フィールドは、エラー状況を表す。このＭＩＢ属性が特定動作を意味する場合、このプリミティブは、当該動作が行われたことを確認してくれることができる。
【００６９】
各ｓｕｂｌａｙｅｒでの動作を簡略に説明すると、以下のとおりである。
【００７０】
ＭＡＣ  ｓｕｂｌａｙｅｒは、上位層（例えば、ＬＬＣ層）から伝達されたＭＡＣサービスデータユニット（ＭＳＤＵ：ＭＡＣ  Ｓｅｒｖｉｃｅ  Ｄａｔａ  Ｕｎｉｔ）またはＭＳＤＵのフラグメント（ｆｒａｇｍｅｎｔ）にＭＡＣヘッダ（ｈｅａｄｅｒ）とフレームチェックシーケンス（ＦＣＳ：Ｆｒａｍｅ  Ｃｈｅｃｋ  Ｓｅｑｕｅｎｃｅ）を付着して、１つ以上のＭＡＣプロトコルデータユニット（ＭＰＤＵ：ＭＡＣ  Ｐｒｏｔｏｃｏｌ  Ｄａｔａ  Ｕｎｉｔ）を生成する。生成されたＭＰＤＵは、ＰＨＹ  ｓｕｂｌａｙｅｒに伝達される。
【００７１】
Ａ-ＭＳＤＵ（ａｇｇｒｅｇａｔｅｄ  ＭＳＤＵ）技法（ｓｃｈｅｍｅ）が用いられる場合、複数のＭＳＤＵは、単一のＡ-ＭＳＤＵ（ａｇｇｒｅｇａｔｅｄ  ＭＳＤＵ）に併合されることができる。ＭＳＤＵ併合動作は、ＭＡＣ上位層で行われることができる。Ａ-ＭＳＤＵは、単一のＭＰＤＵ（フラグメント化（ｆｒａｇｍｅｎｔ）されない場合）でＰＨＹ  ｓｕｂｌａｙｅｒに伝達される。
【００７２】
ＰＨＹ  ｓｕｂｌａｙｅｒは、ＭＡＣ  ｓｕｂｌａｙｅｒから伝達された物理サービスデータユニット（ＰＳＤＵ：Ｐｈｙｓｉｃａｌ  Ｓｅｒｖｉｃｅ  Ｄａｔａ  Ｕｎｉｔ）に物理層送受信機により必要な情報を含む付加フィールドを付け加えて、物理プロトコルデータユニット（ＰＰＤＵ：Ｐｈｙｓｉｃａｌ  Ｐｒｏｔｏｃｏｌ  Ｄａｔａ  Ｕｎｉｔ）を生成する。ＰＰＤＵは、無線媒体を介して送信される。
【００７３】
ＰＳＤＵは、ＰＨＹ  ｓｕｂｌａｙｅｒがＭＡＣ  ｓｕｂｌａｙｅｒから受信したものであり、ＭＰＤＵは、ＭＡＣ  ｓｕｂｌａｙｅｒがＰＨＹ  ｓｕｂｌａｙｅｒに送信したものであるから、ＰＳＤＵは、実質的にＭＰＤＵと同一である。
【００７４】
Ａ-ＭＰＤＵ（ａｇｇｒｅｇａｔｅｄ  ＭＰＤＵ）技法（ｓｃｈｅｍｅ）が用いられる場合、複数のＭＰＤＵ（このとき、各ＭＰＤＵは、Ａ-ＭＳＤＵを運ぶことができる。）は、単一のＡ-ＭＰＤＵに併合されることができる。ＭＰＤＵ併合動作は、ＭＡＣ下位層で行われることができる。Ａ-ＭＰＤＵは、様々なタイプのＭＰＤＵ（例えば、ＱｏＳデータ、ＡＣＫ（Ａｃｋｎｏｗｌｅｄｇｅ）、ブロックＡＣＫ（Ｂｌｏｃｋ  Ａｃｋ）等）が併合されることができる。ＰＨＹ  ｓｕｂｌａｙｅｒは、ＭＡＣ  ｓｕｂｌａｙｅｒから単一のＰＳＤＵとしてＡ-ＭＰＤＵを受信する。すなわち、ＰＳＤＵは、複数のＭＰＤＵから構成される。したがって、Ａ-ＭＰＤＵは、単一のＰＰＤＵ内で無線媒体を介して送信される。
【００７５】
ＰＰＤＵ（Ｐｈｙｓｉｃａｌ  Ｐｒｏｔｏｃｏｌ  Ｄａｔａ  Ｕｎｉｔ）フォーマット
ＰＰＤＵ（Ｐｈｙｓｉｃａｌ  Ｐｒｏｔｏｃｏｌ  Ｄａｔａ  Ｕｎｉｔ）は、物理層から発生されるデータブロックを意味する。以下、本発明が適用されうるＩＥＥＥ  ８０２．１１  ＷＬＡＮシステムに基づいてＰＰＤＵフォーマットを説明する。
【００７６】
図３は、本発明が適用されうる無線通信システムのｎｏｎ-ＨＴフォーマットＰＰＤＵ及びＨＴフォーマットＰＰＤＵを例示する。
【００７７】
図３の（ａ）は、ＩＥＥＥ  ８０２．１１ａ／ｇシステムを支援するためのｎｏｎ-ＨＴフォーマットＰＰＤＵを例示する。ｎｏｎ-ＨＴ  ＰＰＤＵは、レガシー（ｌｅｇａｃｙ）ＰＰＤＵとも呼ばれることができる。
【００７８】
図３の（ａ）に示すように、ｎｏｎ-ＨＴフォーマットＰＰＤＵは、Ｌ-ＳＴＦ（Ｌｅｇａｃｙ（またはＮｏｎ-ＨＴ）Ｓｈｏｒｔ  Ｔｒａｉｎｉｎｇ  ｆｉｅｌｄ）、Ｌ-ＬＴＦ（Ｌｅｇａｃｙ（またはＮｏｎ-ＨＴ）Ｌｏｎｇ  Ｔｒａｉｎｉｎｇ  ｆｉｅｌｄ）及びＬ-ＳＩＧ（Ｌｅｇａｃｙ（またはＮｏｎ-ＨＴ）ＳＩＧＮＡＬ）フィールドから構成されるレガシーフォーマットプリアンブルとデータフィールドとを含んで構成される。
【００７９】
Ｌ-ＳＴＦは、短いトレーニングＯＦＤＭ（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ-ＳＴＦは、フレームタイミング取得（ｆｒａｍｅ  ｔｉｍｉｎｇ  ａｃｑｕｉｓｉｔｉｏｎ）、自動利得制御（ＡＧＣ：Ａｕｔｏｍａｔｉｃ  Ｇａｉｎ  Ｃｏｎｔｒｏｌ）、ダイバーシチ検出（ｄｉｖｅｒｓｉｔｙ  ｄｅｔｅｃｔｉｏｎ）、概略的な周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使用されることができる。
【００８０】
Ｌ-ＬＴＦは、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ-ＬＴＦは、精密な周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル推定（ｃｈａｎｎｅｌ  ｅｓｔｉｍａｔｉｏｎ）のために使用されることができる。
【００８１】
Ｌ-ＳＩＧフィールドは、データフィールドの復調及びデコードのための制御情報を送信するために使用されることができる。
【００８２】
Ｌ-ＳＩＧフィールドは、４ビットのレート（Ｒａｔｅ）フィールド、１ビットの予備（Ｒｅｓｅｒｖｅｄ）ビット、１２ビットの長さ（Ｌｅｎｇｔｈ）フィールド、１ビットのパリティビット、６ビットの信号テール（Ｓｉｇｎａｌ  Ｔａｉｌ）フィールドから構成されることができる。
【００８３】
レートフィールドは、送信率情報を含み、長さフィールドは、ＰＳＤＵのオクテットの数を指示する。
【００８４】
図３の（ｂ）は、ＩＥＥＥ  ８０２．１１ｎシステム及びＩＥＥＥ  ８０２．１１ａ／ｇシステムを全部支援するためのＨＴ混合フォーマットＰＰＤＵ（ＨＴ-ｍｉｘｅｄ  ｆｏｒｍａｔ  ＰＰＤＵ）を例示する。
【００８５】
図３の（ｂ）に示すように、ＨＴ混合フォーマットＰＰＤＵは、Ｌ-ＳＴＦ、Ｌ-ＬＴＦ及びＬ-ＳＩＧフィールドから構成されるレガシーフォーマットプリアンブルとＨＴ-ＳＩＧ（ＨＴ-Ｓｉｇｎａｌ）フィールド、ＨＴ-ＳＴＦ（ＨＴ  Ｓｈｏｒｔ  Ｔｒａｉｎｉｎｇ  ｆｉｅｌｄ）、ＨＴ-ＬＴＦ（ＨＴ  Ｌｏｎｇ  Ｔｒａｉｎｉｎｇ  ｆｉｅｌｄ）から構成されるＨＴフォーマットプリアンブル及びデータフィールドを含んで構成される。
【００８６】
Ｌ-ＳＴＦ、Ｌ-ＬＴＦ及びＬ-ＳＩＧフィールドは、下位互換性（ｂａｃｋｗａｒｄ  ｃｏｍｐａｔｉｂｉｌｉｔｙ）のためのレガシーフィールドを意味するので、Ｌ-ＳＴＦからＬ-ＳＩＧフィールドまでｎｏｎ-ＨＴフォーマットと同一である。Ｌ-ＳＴＡは、ＨＴ混合ＰＰＤＵを受信してもＬ-ＬＴＦ、Ｌ-ＬＴＦ及びＬ-ＳＩＧフィールドを介してデータフィールドを解釈できる。ただし、Ｌ-ＬＴＦは、ＨＴ-ＳＴＡがＨＴ混合ＰＰＤＵを受信しＬ-ＳＩＧフィールド及びＨＴ-ＳＩＧフィールドを復調するために行うチャネル推定のための情報をさらに含むことができる。
【００８７】
ＨＴ-ＳＴＡは、レガシーフィールドの後にくるＨＴ-ＳＩＧフィールド利用して、ＨＴ-混合フォーマットＰＰＤＵであることが分かり、これに基づいてデータフィールドをデコードできる。
【００８８】
ＨＴ-ＬＴＦフィールドは、データフィールドの復調のためのチャネル推定に使用されることができる。ＩＥＥＥ  ８０２．１１ｎは、ＳＵ-ＭＩＭＯ（Ｓｉｎｇｌｅ-Ｕｓｅｒ  Ｍｕｌｔｉ-Ｉｎｐｕｔ  ａｎｄ  Ｍｕｌｔｉ-Ｏｕｔｐｕｔ）を支援するので、複数の空間ストリームに送信されるデータフィールドの各々に対して、チャネル推定のためにＨＴ-ＬＴＦフィールドは、複数から構成されることができる。
【００８９】
ＨＴ-ＬＴＦフィールドは、空間ストリームに対するチャネル推定のために使用されるデータＨＴ-ＬＴＦ（ｄａｔａ  ＨＴ-ＬＴＦ）とフルチャネルサウンディング（ｆｕｌｌ  ｃｈａｎｎｅｌ  ｓｏｕｎｄｉｎｇ）のために追加的に使用される拡張ＨＴ-ＬＴＦ（ｅｘｔｅｎｓｉｏｎ  ＨＴ-ＬＴＦ）から構成されることができる。したがって、複数のＨＴ-ＬＴＦは、送信される空間ストリームの数と同じであるか、または多くありうる。
【００９０】
ＨＴ-混合フォーマットＰＰＤＵは、Ｌ-ＳＴＡも受信してデータを取得できるようにするために、Ｌ-ＳＴＦ、Ｌ-ＬＴＦ及びＬ-ＳＩＧフィールドが最も速く送信される。以後、ＨＴ-ＳＴＡのために送信されるデータの復調及びデコードのためにＨＴ-ＳＩＧフィールドが送信される。
【００９１】
ＨＴ-ＳＩＧフィールドまでは、ビーム形成を行わないで送信して、Ｌ-ＳＴＡ及びＨＴ-ＳＴＡが当該ＰＰＤＵを受信してデータを取得できるようにし、以後に送信されるＨＴ-ＳＴＦ、ＨＴ-ＬＴＦ及びデータフィールドは、プリコーディングを介した無線信号送信が行われる。ここで、プリコーディングをして受信するＳＴＡでプリコーディングにより電力が可変される部分を勘案できるように、ＨＴ-ＳＴＦフィールドを送信し、その以後に複数のＨＴ-ＬＴＦ及びデータフィールドを送信する。
【００９２】
以下の表１は、ＨＴ-ＳＩＧフィールドを例示する表である。
【００９３】
【表１】
0006430635.tif 000002
【００９４】
図３の（ｃ）は、ＩＥＥＥ  ８０２．１１ｎシステムのみを支援するためのＨＴ-ＧＦフォーマットＰＰＤＵ（ＨＴ-ｇｒｅｅｎｆｉｅｌｄ  ｆｏｒｍａｔ  ＰＰＤＵ）を例示する。
【００９５】
図３の（ｃ）に示すように、ＨＴ-ＧＦフォーマットＰＰＤＵは、ＨＴ-ＧＦ-ＳＴＦ、ＨＴ-ＬＴＦ１、ＨＴ-ＳＩＧフィールド、複数のＨＴ-ＬＴＦ２及びデータフィールドを含む。
【００９６】
ＨＴ-ＧＦ-ＳＴＦは、フレームタイミング取得及びＡＧＣのために使用される。
【００９７】
ＨＴ-ＬＴＦ１は、チャネル推定のために使用される。
【００９８】
ＨＴ-ＳＩＧフィールドは、データフィールドの復調及びデコードのために使用される。
【００９９】
ＨＴ-ＬＴＦ２は、データフィールドの復調のためのチャネル推定に使用される。同様に、ＨＴ-ＳＴＡは、ＳＵ-ＭＩＭＯを使用するので、複数の空間ストリームに送信されるデータフィールドの各々に対してチャネル推定を要するので、ＨＴ-ＬＴＦ２は、複数から構成されることができる。
【０１００】
複数のＨＴ-ＬＴＦ２は、ＨＴ混合ＰＰＤＵのＨＴ-ＬＴＦフィールドと同様に、複数のＤａｔａ  ＨＴ-ＬＴＦと複数の拡張ＨＴ-ＬＴＦから構成されることができる。
【０１０１】
図３の（ａ）〜（ｃ）におけるデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）フィールド、テールビット（Ｔａｉｌ  ｂｉｔｓ）、パディングビット（ｐａｄｄｉｎｇ  ｂｉｔｓ）を含むことができる。データフィールドのすべてのビットは、スクランブルされる。
【０１０２】
図３（ｄ）は、データフィールドに含まれるサービスフィールドを示す。サービスフィールドは、１６ビットを有する。各ビットは、０番から１５番まで付与され、０番ビットから順次に送信される。０番から６番ビットは、０に設定され、受信端内のデスクランブラー（ｄｅｓｃｒａｍｂｌｅｒ）を同期化するために使用される。
【０１０３】
ＩＥＥＥ  ８０２．１１ａｃ  ＷＬＡＮシステムは、無線チャネルを効率的に利用するために、複数のＳＴＡが同時にチャネルにアクセスするダウンリンクＭＵ-ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信を支援する。ＭＵ-ＭＩＭＯ送信方式によれば、ＡＰがＭＩＭＯペアリング（ｐａｉｒｉｎｇ）された１つ以上のＳＴＡに同時にパケットを送信できる。
【０１０４】
ＤＬ  ＭＵ送信（ｄｏｗｎｌｉｎｋ  ｍｕｌｔｉ-ｕｓｅｒ  ｔｒａｎｓｍｉｓｓｉｏｎ）は、１つ以上のアンテナを介してＡＰが同じ時間資源を介してＰＰＤＵを複数のｎｏｎ-ＡＰ  ＳＴＡに送信する技術を意味する。
【０１０５】
以下、ＭＵ  ＰＰＤＵは、ＭＵ-ＭＩＭＯ技術またはＯＦＤＭＡ技術を利用して１つ以上のＳＴＡのための１つ以上のＰＳＤＵを伝達するＰＰＤＵを意味する。そして、ＳＵ  ＰＰＤＵは、１つのＰＳＤＵのみを伝達できるか、またはＰＳＤＵが存在しないフォーマットを有したＰＰＤＵを意味する。
【０１０６】
ＭＵ-ＭＩＭＯ送信のために、８０２．１１ｎ制御情報のサイズに比べてＳＴＡに送信される制御情報のサイズが相対的に大きくありうる。ＭＵ-ＭＩＭＯ支援のために追加的に要求される制御情報の一例として、各ＳＴＡにより受信される空間的ストリーム（ｓｐａｔｉａｌ  ｓｔｒｅａｍ）の数を指示する情報、各ＳＴＡに送信されるデータの変調及びコーディング関連情報などがこれに該当することができる。
【０１０７】
したがって、複数のＳＴＡに同時にデータサービスを提供するためにＭＵ-ＭＩＭＯ送信が行われるとき、送信される制御情報のサイズは、受信するＳＴＡの数に応じて増加されることができる。
【０１０８】
このように増加される制御情報のサイズを効率的に送信するために、ＭＵ-ＭＩＭＯ送信のために要求される複数の制御情報は、すべてのＳＴＡに共通的に要求される共通制御情報（ｃｏｍｍｏｎ  ｃｏｎｔｒｏｌ  ｉｎｆｏｒｍａｔｉｏｎ）と特定ＳＴＡに個別的に要求される専用制御情報（ｄｅｄｉｃａｔｅｄ  ｃｏｎｔｒｏｌ  ｉｎｆｏｒｍａｔｉｏｎ）の２とおりのタイプの情報に区分して送信されることができる。
【０１０９】
図４は、本発明が適用され得る無線通信システムのＶＨＴフォーマットＰＰＤＵフォーマットを例示する。
【０１１０】
図４（ａ）は、ＩＥＥＥ  ８０２．１１ａｃシステムを支援するためのＶＨＴフォーマットＰＰＤＵ（ＶＨＴ  ｆｏｒｍａｔ  ＰＰＤＵ）を例示する。
【０１１１】
図４（ａ）に示すように、ＶＨＴフォーマットＰＰＤＵは、Ｌ-ＳＴＦ、Ｌ-ＬＴＦ及びＬ-ＳＩＧフィールドから構成されるレガシーフォーマットプリアンブルとＶＨＴ-ＳＩＧ-Ａ（ＶＨＴ-Ｓｉｇｎａｌ-Ａ）フィールド、ＶＨＴ-ＳＴＦ（ＶＨＴ  Ｓｈｏｒｔ  Ｔｒａｉｎｉｎｇ  ｆｉｅｌｄ）、ＶＨＴ-ＬＴＦ（ＶＨＴ  Ｌｏｎｇ  Ｔｒａｉｎｉｎｇ  ｆｉｅｌｄ）、ＶＨＴ-ＳＩＧ-Ｂ（ＶＨＴ-Ｓｉｇｎａｌ-Ｂ）フィールドから構成されるＶＨＴフォーマットプリアンブル及びデータフィールドを含んで構成される。
【０１１２】
Ｌ-ＳＴＦ、Ｌ-ＬＴＦ及びＬ-ＳＩＧは、下位互換性（ｂａｃｋｗａｒｄ  ｃｏｍｐａｔｉｂｉｌｉｔｙ）のためのレガシーフィールドを意味するので、Ｌ-ＳＴＦからＬ-ＳＩＧフィールドまでｎｏｎ-ＨＴフォーマットと同一である。ただし、Ｌ-ＬＴＦは、Ｌ-ＳＩＧフィールド及びＶＨＴ-ＳＩＧ-Ａフィールドを復調するために行うチャネル推定のための情報をさらに含むことができる。
【０１１３】
Ｌ-ＳＴＦ、Ｌ-ＬＴＦ、Ｌ-ＳＩＧフィールド及びＶＨＴ-ＳＩＧ-Ａフィールドは、２０ＭＨｚチャネル単位に繰り返されて送信されることができる。例えば、ＰＰＤＵが４個の２０ＭＨｚチャネル（すなわち、８０ＭＨｚ帯域幅）を介して送信されるとき、Ｌ-ＳＴＦ、Ｌ-ＬＴＦ、Ｌ-ＳＩＧフィールド及びＶＨＴ-ＳＩＧ-Ａフィールドは、毎２０ＭＨｚチャネルで繰り返されて送信されることができる。
【０１１４】
ＶＨＴ-ＳＴＡは、レガシーフィールドの後にくるＶＨＴ-ＳＩＧ-Ａフィールドを利用して、ＶＨＴフォーマットＰＰＤＵであることが分かり、これに基づいてデータフィールドをデコードできる。
【０１１５】
ＶＨＴフォーマットＰＰＤＵは、Ｌ-ＳＴＡも受信してデータを取得できるようにするために、Ｌ-ＳＴＦ、Ｌ-ＬＴＦ及びＬ-ＳＩＧフィールドが最も速く送信される。以後、ＶＨＴ-ＳＴＡのために送信されるデータの復調及びデコードのために、ＶＨＴ-ＳＩＧ-Ａフィールドが送信される。
【０１１６】
ＶＨＴ-ＳＩＧ-Ａフィールドは、ＡＰとＭＩＭＯペアリングされた（ｐａｉｒｅｄ）ＶＨＴ ＳＴＡに共通する制御情報送信のためのフィールドであって、これは、受信されたＶＨＴフォーマットＰＰＤＵを解釈するための制御情報を含んでいる。
【０１１７】
ＶＨＴ-ＳＩＧ-Ａフィールドは、ＶＨＴ-ＳＩＧ-Ａ１フィールドとＶＨＴ-ＳＩＧ-Ａ２フィールドを含むことができる。
【０１１８】
ＶＨＴ-ＳＩＧ-Ａ１フィールドは、使用するチャネル帯域幅（ＢＷ：ｂａｎｄｗｉｄｔｈ）情報、時空間ブロックコーディング（ＳＴＢＣ：Ｓｐａｃｅ  Ｔｉｍｅ  Ｂｌｏｃｋ  Ｃｏｄｉｎｇ）の適用有無、ＭＵ-ＭＩＭＯでグループ化されたＳＴＡのグループを指示するためのグループ識別情報（Ｇｒｏｕｐ  ＩＤ：Ｇｒｏｕｐ  Ｉｄｅｎｔｉｆｉｅｒ）、使用されるストリームの数（ＮＳＴＳ：Ｎｕｍｂｅｒ  ｏｆ  ｓｐａｃｅ-ｔｉｍｅ  ｓｔｒｅａｍ）／部分ＡＩＤ（Ｐａｒｔｉａｌ  ＡＩＤ（ａｓｓｏｃｉａｔｉｏｎ  Ｉｄｅｎｔｉｆｉｅｒ））に関する情報及び送信パワーセーブ禁止（Ｔｒａｎｓｍｉｔ  ｐｏｗｅｒ  ｓａｖｅ  ｆｏｒｂｉｄｄｅｎ）情報を含むことができる。ここで、Ｇｒｏｕｐ  ＩＤは、ＭＵ-ＭＩＭＯ送信を支援するために送信対象ＳＴＡグループに対して割り当てられる識別子を意味し、現在使用されたＭＩＭＯ送信方法がＭＵ-ＭＩＭＯであるか、またはＳＵ-ＭＩＭＯであるかを表すことができる。
【０１１９】
表２は、ＶＨＴ-ＳＩＧ-Ａ１フィールドを例示する表である。
【０１２０】
【表２】
0006430635.tif 000003
【０１２１】
ＶＨＴ-ＳＩＧ-Ａ２フィールドは、短い保護区間（ＧＩ：Ｇｕａｒｄ  Ｉｎｔｅｒｖａｌ）の使用有無に関する情報、フォワードエラー訂正（ＦＥＣ：Ｆｏｒｗａｒｄ  Ｅｒｒｏｒ  Ｃｏｒｒｅｃｔｉｏｎ）情報、単一ユーザに対するＭＣＳ（Ｍｏｄｕｌａｔｉｏｎ  ａｎｄ  Ｃｏｄｉｎｇ  Ｓｃｈｅｍｅ）に関する情報、複数ユーザに対するチャネルコーディングの種類に関する情報、ビーム形成関連情報、ＣＲＣ（Ｃｙｃｌｉｃ  Ｒｅｄｕｎｄａｎｃｙ  Ｃｈｅｃｋｉｎｇ）のための冗長ビット（ｒｅｄｕｎｄａｎｃｙ  ｂｉｔｓ）と畳み込みデコーダ（ｃｏｎｖｏｌｕｔｉｏｎａｌ  ｄｅｃｏｄｅｒ）のテールビット（ｔａｉｌ  ｂｉｔ）などを含むことができる。
【０１２２】
表３は、ＶＨＴ-ＳＩＧ-Ａ２フィールドを例示する表である。
【０１２３】
【表３−１】
0006430635.tif 000004
【表３−２】
0006430635.tif 000005
【０１２４】
ＶＨＴ-ＳＴＦは、ＭＩＭＯ送信においてＡＧＣ推定の性能を改善するために使用される。
【０１２５】
ＶＨＴ-ＬＴＦは、ＶＨＴ-ＳＴＡがＭＩＭＯチャネルを推定するのに使用される。ＶＨＴ  ＷＬＡＮシステムは、ＭＵ-ＭＩＭＯを支援するから、ＶＨＴ-ＬＴＦは、ＰＰＤＵが送信される空間ストリームの数だけ設定されることができる。追加的に、フルチャネルサウンディング（ｆｕｌｌ  ｃｈａｎｎｅｌ  ｓｏｕｎｄｉｎｇ）が支援される場合、ＶＨＴ-ＬＴＦの数は、より多くなることができる。
【０１２６】
ＶＨＴ-ＳＩＧ-Ｂフィールドは、ＭＵ-ＭＩＭＯペアリングされた複数のＶＨＴ-ＳＴＡがＰＰＤＵを受信してデータを取得するのに必要な専用制御情報を含む。したがって、ＶＨＴ-ＳＩＧ-Ａフィールドに含まれた共通制御情報（ｃｏｍｍｏｎ  ｃｏｎｔｒｏｌ  ｉｎｆｏｒｍａｔｉｏｎ）が現在受信されたＰＰＤＵがＭＵ-ＭＩＭＯ送信を指示した場合においてのみ、ＶＨＴ-ＳＴＡは、ＶＨＴ-ＳＩＧ-Ｂフィールドをデコード（ｄｅｃｏｄｉｎｇ）するよう設計されることができる。これに対し、共通制御情報が現在受信されたＰＰＤＵが単一ＶＨＴ-ＳＴＡのためのもの（ＳＵ-ＭＩＭＯを含む）であることを指示した場合、ＳＴＡは、ＶＨＴ-ＳＩＧ-Ｂフィールドをデコードしないように設計されることができる。
【０１２７】
ＶＨＴ-ＳＩＧ-Ｂフィールドは、ＶＨＴ-ＳＩＧ-Ｂ長さ（Ｌｅｎｇｔｈ）フィールド、ＶＨＴ-ＭＣＳフィールド、予備（Ｒｅｓｅｒｖｅｄ）フィールド、テール（Ｔａｉｌ）フィールドを含む。
【０１２８】
ＶＨＴ-ＳＩＧ-Ｂ長さ（Ｌｅｎｇｔｈ）フィールドは、Ａ-ＭＰＤＵの長さ（ＥＯＦ（ｅｎｄ-ｏｆ-ｆｒａｍｅ）パディング以前）を指示する。ＶＨＴ-ＭＣＳフィールドは、各ＶＨＴ-ＳＴＡの変調（ｍｏｄｕｌａｔｉｏｎ）、エンコーディング（ｅｎｃｏｄｉｎｇ）及びレートマッチング（ｒａｔｅ-ｍａｔｃｈｉｎｇ）に関する情報を含む。
【０１２９】
ＶＨＴ-ＳＩＧ-Ｂフィールドのサイズは、ＭＩＭＯ送信の類型（ＭＵ-ＭＩＭＯまたはＳＵ-ＭＩＭＯ）及びＰＰＤＵ送信のために使用するチャネル帯域幅に応じて異なりうる。
【０１３０】
図４（ｂ）は、ＰＰＤＵ送信帯域幅に応じるＶＨＴ-ＳＩＧ-Ｂフィールドを例示する。
【０１３１】
図４（ｂ）に示すように、４０ＭＨｚ送信において、ＶＨＴ-ＳＩＧ-Ｂビットは、２回繰り返される。８０ＭＨｚ送信において、ＶＨＴ-ＳＩＧ-Ｂビットは、４回繰り返され、０にセットされたパッドビットが付着される。
【０１３２】
１６０ＭＨｚ送信及び８０＋８０ＭＨｚにおいて、まず８０ＭＨｚ送信のようにＶＨＴ-ＳＩＧ-Ｂビットは、４回繰り返され、０にセットされたパッドビットが付着される。そして、全体１１７ビットが再度繰り返される。
【０１３３】
ＭＵ-ＭＩＭＯを支援するシステムにおいて同じサイズのＰＰＤＵをＡＰにペアリングされたＳＴＡに送信するために、ＰＰＤＵを構成するデータフィールドのビットサイズを指示する情報及び／又は特定フィールドを構成するビットストリームサイズを指示する情報がＶＨＴ-ＳＩＧ-Ａフィールドに含まれることができる。
【０１３４】
ただし、効果的にＰＰＤＵフォーマットを使用するために、Ｌ-ＳＩＧフィールドが使用されることができる。同じサイズのＰＰＤＵがすべてのＳＴＡに送信されるために、Ｌ-ＳＩＧフィールド内に含まれて送信される長さフィールド（ｌｅｎｇｔｈ  ｆｉｅｌｄ）及びレートフィールド（ｒａｔｅ  ｆｉｅｌｄ）が必要な情報を提供するために使用されることができる。この場合、ＭＰＤＵ（ＭＡＣ  Ｐｒｏｔｏｃｏｌ  Ｄａｔａ  Ｕｎｉｔ）及び／又はＡ-ＭＰＤＵ（Ａｇｇｒｅｇａｔｅ  ＭＡＣ  Ｐｒｏｔｏｃｏｌ  Ｄａｔａ  Ｕｎｉｔ）がＭＡＣ層のバイト（またはオクテット（ｏｃｔ：ｏｃｔｅｔ））に基づいて設定されるので、物理層で追加的なパディング（ｐａｄｄｉｎｇ）が要求されることができる。
【０１３５】
図４においてデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）、テールビット（ｔａｉｌ  ｂｉｔｓ）、パディングビット（ｐａｄｄｉｎｇ  ｂｉｔｓ）を含むことができる。
【０１３６】
上述のように、様々なＰＰＤＵのフォーマットが混合して使用されるから、ＳＴＡは、受信したＰＰＤＵのフォーマットを区分できなければならない。
【０１３７】
ここで、ＰＰＤＵを区分するという意味（またはＰＰＤＵフォーマットを区分するという意味）は、様々な意味を有することができる。例えば、ＰＰＤＵを区分するという意味は、受信したＰＰＤＵがＳＴＡによりデコード（または解釈）が可能なＰＰＤＵであるかどうかに対して判断するという意味を含むことができる。また、ＰＰＤＵを区分するという意味は、受信したＰＰＤＵがＳＴＡにより支援可能なＰＰＤＵであるかどうかに対して判断するという意味でありうる。また、ＰＰＤＵを区分するという意味は、受信したＰＰＤＵを介して送信された情報がいかなる情報であるかを区分するという意味としても解釈できる。
【０１３８】
これについて下記の図面を参照してより詳細に説明する。
【０１３９】
図５は、本発明が適用され得る無線通信システムのＰＰＤＵのフォーマットを区分するためのコンステレーション（ｃｏｎｓｔｅｌｌａｔｉｏｎ）を例示する図である。
【０１４０】
図５（ａ）は、ｎｏｎ−ＨＴフォーマットＰＰＤＵに含まれるＬ−ＳＩＧフィールドのコンステレーション（ｃｏｎｓｔｅｌｌａｔｉｏｎ）を例示し、図５（ｂ）は、ＨＴ混合フォーマットＰＰＤＵ検出のための位相回転（ｐｈａｓｅ  ｒｏｔａｔｉｏｎ）を例示し、図５（ｃ）は、ＶＨＴフォーマットＰＰＤＵ検出のための位相回転（ｐｈａｓｅ  ｒｏｔａｔｉｏｎ）を例示する。
【０１４１】
ＳＴＡがｎｏｎ−ＨＴフォーマットＰＰＤＵ、ＨＴ−ＧＦフォーマットＰＰＤＵ、ＨＴ混合フォーマットＰＰＤＵ、及びＶＨＴフォーマットＰＰＤＵを区分（ｃｌａｓｓｉｆｉｃａｔｉｏｎ）するために、Ｌ−ＳＩＧフィールド及びＬ−ＳＩＧフィールド以後に送信されるＯＦＤＭシンボルのコンステレーション（ｃｏｎｓｔｅｌｌａｔｉｏｎ）の位相（ｐｈａｓｅ）が使用される。すなわち、ＳＴＡは、受信したＰＰＤＵのＬ−ＳＩＧフィールド及び／又はＬ−ＳＩＧフィールド以後に送信されるＯＦＤＭシンボルのコンステレーションの位相に基づいてＰＰＤＵフォーマットを区分できる。
【０１４２】
図５（ａ）に示すように、Ｌ−ＳＩＧフィールドを構成するＯＦＤＭシンボルは、ＢＰＳＫ（Ｂｉｎａｒｙ  Ｐｈａｓｅ  Ｓｈｉｆｔ  Ｋｅｙｉｎｇ）が用いられる。
【０１４３】
まず、ＨＴ−ＧＦフォーマットＰＰＤＵを区分するために、ＳＴＡは、受信したＰＰＤＵで１番目のＳＩＧフィールドが感知されれば、Ｌ−ＳＩＧフィールドであるか否かを判断する。すなわち、ＳＴＡは、図５（ａ）の例示のようなコンステレーションに基づいてデコーディングを試みる。ＳＴＡがデコーディングに失敗すれば、当該ＰＰＤＵがＨＴ−ＧＦフォーマットＰＰＤＵであると判断することができる。
【０１４４】
次に、ｎｏｎ−ＨＴフォーマットＰＰＤＵ、ＨＴ混合フォーマットＰＰＤＵ、及びＶＨＴフォーマットＰＰＤＵを区分（ｃｌａｓｓｉｆｉｃａｔｉｏｎ）するために、Ｌ−ＳＩＧフィールド以後に送信されるＯＦＤＭシンボルのコンステレーションの位相が使用され得る。すなわち、Ｌ−ＳＩＧフィールド以後に送信されるＯＦＤＭシンボルの変調方法が互いに異なることができ、ＳＴＡは、受信したＰＰＤＵのＬ−ＳＩＧフィールド以後のフィールドに対する変調方法に基づいてＰＰＤＵフォーマットを区分できる。
【０１４５】
図５（ｂ）に示すように、ＨＴ混合フォーマットＰＰＤＵを区分するために、ＨＴ混合フォーマットＰＰＤＵでＬ−ＳＩＧフィールド以後に送信される２個のＯＦＤＭシンボルの位相が使用され得る。
【０１４６】
より具体的に、ＨＴ混合フォーマットＰＰＤＵでＬ−ＳＩＧフィールド以後に送信されるＨＴ−ＳＩＧフィールドに対応するＯＦＤＭシンボル＃１及びＯＦＤＭシンボル＃２の位相は、両方とも反時計方向に９０度だけ回転される。すなわち、ＯＦＤＭシンボル＃１及びＯＦＤＭシンボル＃２に対する変調方法は、ＱＢＰＳＫ（Ｑｕａｄｒａｔｕｒｅ  Ｂｉｎａｒｙ  Ｐｈａｓｅ  Ｓｈｉｆｔ  Ｋｅｙｉｎｇ）が用いられる。ＱＢＰＳＫコンステレーションは、ＢＰＳＫコンステレーションを基準として反時計方向に９０度だけ位相が回転したコンステレーションでありうる。
【０１４７】
ＳＴＡは、受信したＰＰＤＵのＬ−ＳＩＧフィールドの次に送信されるＨＴ−ＳＩＧフィールドに対応する第１のＯＦＤＭシンボル及び第２のＯＦＤＭシンボルを、図５（ｂ）の例示のようなコンステレーションに基づいてデコーディングを試みる。ＳＴＡがデコーディングに成功すれば、当該ＰＰＤＵがＨＴフォーマットＰＰＤＵであると判断する。
【０１４８】
次に、ｎｏｎ−ＨＴフォーマットＰＰＤＵ及びＶＨＴフォーマットＰＰＤＵを区分するために、Ｌ−ＳＩＧフィールド以後に送信されるＯＦＤＭシンボルのコンステレーションの位相が使用され得る。
【０１４９】
図５（ｃ）に示すように、ＶＨＴフォーマットＰＰＤＵを区分（ｃｌａｓｓｉｆｉｃａｔｉｏｎ）するために、ＶＨＴフォーマットＰＰＤＵでＬ−ＳＩＧフィールド以後に送信される２個のＯＦＤＭシンボルの位相が使用され得る。
【０１５０】
より具体的に、ＶＨＴフォーマットＰＰＤＵでＬ−ＳＩＧフィールド以後のＶＨＴ−ＳＩＧ−Ａフィールドに対応するＯＦＤＭシンボル＃１の位相は回転されないが、ＯＦＤＭシンボル＃２の位相は反時計方向に９０度だけ回転される。すなわち、ＯＦＤＭシンボル＃１に対する変調方法はＢＰＳＫが用いられ、ＯＦＤＭシンボル＃２に対する変調方法はＱＢＰＳＫが用いられる。
【０１５１】
ＳＴＡは、受信したＰＰＤＵのＬ−ＳＩＧフィールドの次に送信されるＶＨＴ−ＳＩＧフィールドに対応する第１のＯＦＤＭシンボル及び第２のＯＦＤＭシンボルを、図５（ｃ）の例示のようなコンステレーションに基づいてデコーディングを試みる。ＳＴＡがデコーディングに成功すれば、当該ＰＰＤＵがＶＨＴフォーマットＰＰＤＵであると判断することができる。
【０１５２】
それに対し、デコーディングに失敗すれば、ＳＴＡは、当該ＰＰＤＵがｎｏｎ−ＨＴフォーマットＰＰＤＵであると判断することができる。
【０１５３】
ＭＡＣフレームフォーマット
図６は、本発明が適用され得るＩＥＥＥ  ８０２．１１システムのＭＡＣフレームフォーマットを例示する。
【０１５４】
図６に示すように、ＭＡＣフレーム（すなわち、ＭＰＤＵ）は、ＭＡＣヘッダ（ＭＡＣ  Ｈｅａｄｅｒ）、フレーム本体（Ｆｒａｍｅ  Ｂｏｄｙ）及びフレームチェックシーケンス（ＦＣＳ：ｆｒａｍｅ  ｃｈｅｃｋ  ｓｅｑｕｅｎｃｅ）から構成される。
【０１５５】
ＭＡＣ  Ｈｅａｄｅｒは、フレーム制御（Ｆｒａｍｅ  Ｃｏｎｔｒｏｌ）フィールド、持続時間／識別子（Ｄｕｒａｔｉｏｎ／ＩＤ）フィールド、アドレス１（Ａｄｄｒｅｓｓ１）フィールド、アドレス２（Ａｄｄｒｅｓｓ２）フィールド、アドレス３（Ａｄｄｒｅｓｓ３）フィールド、シーケンス制御（Ｓｅｑｕｅｎｃｅ  Ｃｏｎｔｒｏｌ）フィールド、アドレス４（Ａｄｄｒｅｓｓ４）フィールド、ＱｏＳ制御（ＱｏＳ  Ｃｏｎｔｒｏｌ）フィールド及びＨＴ制御（ＨＴ  Ｃｏｎｔｒｏｌ）フィールドを含む領域と定義される。
【０１５６】
Ｆｒａｍｅ  Ｃｏｎｔｒｏｌフィールドは、当該ＭＡＣフレーム特性に関する情報を含む。Ｆｒａｍｅ  Ｃｏｎｔｒｏｌフィールドに対するより詳細な説明は、後述する。
【０１５７】
Ｄｕｒａｔｉｏｎ／ＩＤフィールドは、当該ＭＡＣフレームのタイプ及びサブタイプに応じる他の値を有するように実現化されることができる。
【０１５８】
仮に、当該ＭＡＣフレームのタイプ及びサブタイプがパワーセーブ（ＰＳ：ｐｏｗｅｒ  ｓａｖｅ）運営のためのＰＳ-ポール（ＰＳ-Ｐｏｌｌ）フレームの場合、Ｄｕｒａｔｉｏｎ／ＩＤフィールドは、フレームを送信したＳＴＡのＡＩＤ（ａｓｓｏｃｉａｔｉｏｎ  ｉｄｅｎｔｉｆｉｅｒ）を含むように設定されることができる。その以外の場合、Ｄｕｒａｔｉｏｎ／ＩＤフィールドは、当該ＭＡＣフレームのタイプ及びサブタイプに応じて特定持続時間値を有するように設定されることができる。また、フレームがＡ-ＭＰＤＵ（ａｇｇｒｅｇａｔｅ-ＭＰＤＵ）フォーマットに含まれたＭＰＤＵである場合、ＭＡＣヘッダに含まれたＤｕｒａｔｉｏｎ／ＩＤフィールドは、全部同じ値を有するように設定されることもできる。
【０１５９】
Ａｄｄｒｅｓｓ１フィールドないしＡｄｄｒｅｓｓ４フィールドは、ＢＳＳＩＤ、ソースアドレス（ＳＡ：ｓｏｕｒｃｅ  ａｄｄｒｅｓｓ）、目的アドレス（ＤＡ：ｄｅｓｔｉｎａｔｉｏｎ  ａｄｄｒｅｓｓ）、送信ＳＴＡアドレスを表す送信アドレス（ＴＡ：Ｔｒａｎｓｍｉｔｔｉｎｇ  Ａｄｄｒｅｓｓ）、受信ＳＴＡアドレスを表す受信アドレス（ＲＡ：Ｒｅｃｅｉｖｉｎｇ  Ａｄｄｒｅｓｓ）を指示するために使用される。
【０１６０】
一方、ＴＡフィールドにより実現化されたアドレスフィールドは、帯域幅シグナリングＴＡ（ｂａｎｄｗｉｄｔｈ  ｓｉｇｎａｌｉｎｇ  ＴＡ）値に設定されることができ、この場合、ＴＡフィールドは、当該ＭＡＣフレームがスクランブリングシーケンスに追加的な情報を含んでいることを指示できる。帯域幅シグナリングＴＡは、当該ＭＡＣフレームを送信するＳＴＡのＭＡＣアドレスと表現されることができるが、ＭＡＣアドレスに含まれた個別／グループビット（Ｉｎｄｉｖｉｄｕａｌ／Ｇｒｏｕｐ  ｂｉｔ）が特定値（例えば、「１」）に設定されることができる。
【０１６１】
Ｓｅｑｕｅｎｃｅ  Ｃｏｎｔｒｏｌフィールドは、シーケンスナンバー（ｓｅｑｕｅｎｃｅ  ｎｕｍｂｅｒ）及びフラグメントナンバー（ｆｒａｇｍｅｎｔ  ｎｕｍｂｅｒ）を含むように設定される。シーケンスナンバーを当該ＭＡＣフレームに割り当てられたシーケンスナンバーを指示できる。フラグメントナンバーは、当該ＭＡＣフレームの各フラグメントのナンバーを指示できる。
【０１６２】
ＱｏＳ  Ｃｏｎｔｒｏｌフィールドは、ＱｏＳと関連した情報を含む。ＱｏＳ  Ｃｏｎｔｒｏｌフィールドは、サブタイプ（Ｓｕｂｔｙｐｅ）のサブフィールドにおいてＱｏＳデータフレームを指示する場合に含まれることができる。
【０１６３】
ＨＴ  Ｃｏｎｔｒｏｌフィールドは、ＨＴ及び／又はＶＨＴ送受信技法と関連した制御情報を含む。ＨＴ  Ｃｏｎｔｒｏｌフィールドは、制御ラッパー（Ｃｏｎｔｒｏｌ  Ｗｒａｐｐｅｒ）フレームに含まれる。また、オーダー（Ｏｒｄｅｒ）サブフィールド値が１であるＱｏＳデータ（ＱｏＳ  Ｄａｔａ）フレーム、管理（Ｍａｎａｇｅｍｅｎｔ）フレームに存在する。
【０１６４】
Ｆｒａｍｅ  Ｂｏｄｙは、ＭＡＣペイロード（ｐａｙｌｏａｄ）と定義され、上位層で送信しようとするデータが位置するようになり、可変的なサイズを有する。例えば、最大ＭＰＤＵのサイズは、１１４５４オクテット（ｏｃｔｅｔｓ）で、最大ＰＰＤＵのサイズは、５．４８４ｍｓでありうる。
【０１６５】
ＦＣＳは、ＭＡＣフッター（ｆｏｏｔｅｒ）と定義され、ＭＡＣフレームのエラー探索のために使用される。
【０１６６】
１番目の３つのフィールド（Ｆｒａｍｅ  Ｃｏｎｔｒｏｌフィールド、Ｄｕｒａｔｉｏｎ／ＩＤフィールド及びＡｄｄｒｅｓｓ１フィールド）と最も最後のフィールド（ＦＣＳフィールド）は、最小フレームフォーマットを構成し、すべてのフレームに存在する。その他のフィールドは、特定フレームタイプにおいてのみ存在できる。
【０１６７】
図７は、本発明が適用され得る無線通信システムにおけるＭＡＣフレーム内のフレーム制御（Ｆｒａｍｅ  Ｃｏｎｔｒｏｌ）フィールドを例示する図である。
【０１６８】
図７に示すように、Ｆｒａｍｅ  Ｃｏｎｔｒｏｌフィールドは、プロトコルバージョン（Ｐｒｏｔｏｃｏｌ  Ｖｅｒｓｉｏｎ）サブフィールド、タイプ（Ｔｙｐｅ）サブフィールド、サブタイプ（Ｓｕｂｔｙｐｅ）サブフィールド、Ｔｏ  ＤＳサブフィールド、Ｆｒｏｍ  ＤＳサブフィールド、追加フラグメント（Ｍｏｒｅ  Ｆｒａｇｍｅｎｔｓ）サブフィールド、リトライ（Ｒｅｔｒｙ）サブフィールド、パワー管理（Ｐｏｗｅｒ  Ｍａｎａｇｅｍｅｎｔ）サブフィールド、追加データ（Ｍｏｒｅ  Ｄａｔａ）サブフィールド、保護されたフレーム（Ｐｒｏｔｅｃｔｅｄ  Ｆｒａｍｅ）サブフィールド、及びオーダー（Ｏｒｄｅｒ）サブフィールドで構成される。
【０１６９】
Ｐｒｏｔｏｃｏｌ  Ｖｅｒｓｉｏｎサブフィールドは、当該ＭＡＣフレームに適用されたＷＬＡＮプロトコルのバージョンを指示できる。
【０１７０】
Ｔｙｐｅサブフィールド及びＳｕｂｔｙｐｅサブフィールドは、当該ＭＡＣフレームの機能を識別する情報を指示するように設定されることができる。
【０１７１】
ＭＡＣフレームのタイプは、管理フレーム（Ｍａｎａｇｅｍｅｎｔ  Ｆｒａｍｅ）、制御フレーム（Ｃｏｎｔｒｏｌ  Ｆｒａｍｅ）、データフレーム（Ｄａｔａ  Ｆｒａｍｅ）の３つのフレームタイプを含むことができる。
【０１７２】
そして、各フレームタイプは、さらにサブタイプに区分されることができる。
【０１７３】
例えば、制御フレーム（Ｃｏｎｔｒｏｌ  Ｆｒａｍｅｓ）は、ＲＴＳ（ｒｅｑｕｅｓｔ  ｔｏ  ｓｅｎｄ）フレーム、ＣＴＳ（ｃｌｅａｒ−ｔｏ−ｓｅｎｄ）フレーム、ＡＣＫ（Ａｃｋｎｏｗｌｅｄｇｍｅｎｔ）フレーム、ＰＳ−Ｐｏｌｌフレーム、ＣＦ（ｃｏｎｔｅｎｔｉｏｎ  ｆｒｅｅ）−Ｅｎｄフレーム、ＣＦ−Ｅｎｄ＋ＣＦ−ＡＣＫフレーム、ブロックＡＣＫ要求（ＢＡＲ：Ｂｌｏｃｋ  Ａｃｋｎｏｗｌｅｄｇｍｅｎｔ  ｒｅｑｕｅｓｔ）フレーム、ブロックＡＣＫ（ＢＡ：Ｂｌｏｃｋ  Ａｃｋｎｏｗｌｅｄｇｍｅｎｔ）フレーム、制御ラッパー（Ｃｏｎｔｒｏｌ  Ｗｒａｐｐｅｒ（Ｃｏｎｔｒｏｌ＋ＨＴＣｏｎｔｒｏｌ））フレーム、ＶＨＴヌルデータパケット公知（ＮＤＰＡ：Ｎｕｌｌ  Ｄａｔａ  Ｐａｃｋｅｔ  Ａｎｎｏｕｎｃｅｍｅｎｔ）、ビームフォーミング報告ポール（Ｂｅａｍｆｏｒｍｉｎｇ  Ｒｅｐｏｒｔ  Ｐｏｌｌ）フレームを含むことができる。
【０１７４】
管理フレーム（Ｍａｎａｇｅｍｅｎｔ  Ｆｒａｍｅｓ）は、ビーコン（Ｂｅａｃｏｎ）フレーム、ＡＴＩＭ（Ａｎｎｏｕｎｃｅｍｅｎｔ  Ｔｒａｆｆｉｃ  Ｉｎｄｉｃａｔｉｏｎ  Ｍｅｓｓａｇｅ）フレーム、連係解除（Ｄｉｓａｓｓｏｃｉａｔｉｏｎ）フレーム、連係要求／応答（Ａｓｓｏｃｉａｔｉｏｎ  Ｒｅｑｕｅｓｔ／Ｒｅｓｐｏｎｓｅ）フレーム、再連係要求／応答（ＲｅＡｓｓｏｃｉａｔｉｏｎ  Ｒｅｑｕｅｓｔ／Ｒｅｓｐｏｎｓｅ）フレーム、プローブ要求／応答（Ｐｒｏｂｅ  Ｒｅｑｕｅｓｔ／Ｒｅｓｐｏｎｓｅ）フレーム、認証（Ａｕｔｈｅｎｔｉｃａｔｉｏｎ）フレーム、認証解除（Ｄｅａｕｔｈｅｎｔｉｃａｔｉｏｎ）フレーム、動作（Ａｃｔｉｏｎ）フレーム、動作無応答（Ａｃｔｉｏｎ  Ｎｏ  ＡＣＫ）フレーム、タイミング広告（Ｔｉｍｉｎｇ  Ａｄｖｅｒｔｉｓｅｍｅｎｔ）フレームを含むことができる。
【０１７５】
Ｔｏ  ＤＳサブフィールド及びＦｒｏｍ  ＤＳサブフィールドは、当該ＭＡＣフレームヘッダに含まれたＡｄｄｒｅｓｓ１フィールドないしＡｄｄｒｅｓｓ４フィールドを解釈するために必要な情報を含むことができる。Ｃｏｎｔｒｏｌフレームの場合、Ｔｏ  ＤＳサブフィールド及びＦｒｏｍ  ＤＳサブフィールドは、両方とも「０」に設定される。Ｍａｎａｇｅｍｅｎｔフレームの場合、Ｔｏ  ＤＳサブフィールド及びＦｒｏｍ  ＤＳサブフィールドは、当該フレームがＱｏＳ管理フレーム（ＱＭＦ：ＱｏＳ  Ｍａｎａｇｅｍｅｎｔ  Ｆｒａｍｅ）であれば、順に「１」、「０」に設定され、当該フレームがＱＭＦでなければ、順に全て「０」、「０」に設定されることができる。
【０１７６】
Ｍｏｒｅ  Ｆｒａｇｍｅｎｔｓサブフィールドは、当該ＭＡＣフレームに続いて送信されるフラグメント（ｆｒａｇｍｅｎｔ）が存在するか否かを指示できる。現在、ＭＳＤＵまたはＭＭＰＤＵのさらに他のフラグメント（ｆｒａｇｍｅｎｔ）が存在する場合、「１」に設定され、そうでない場合、「０」に設定されることができる。
【０１７７】
Ｒｅｔｒｙサブフィールドは、当該ＭＡＣフレームが以前ＭＡＣフレームの再送信によるものであるか否かを指示できる。以前ＭＡＣフレームの再送信である場合、「１」に設定され、そうでない場合、「０」に設定されることができる。
【０１７８】
Ｐｏｗｅｒ  Ｍａｎａｇｅｍｅｎｔサブフィールドは、ＳＴＡのパワー管理モードを指示できる。Ｐｏｗｅｒ  Ｍａｎａｇｅｍｅｎｔサブフィールド値が「１」であれば、ＳＴＡがパワーセーブモードに切り替えることを指示できる。
【０１７９】
Ｍｏｒｅ  Ｄａｔａサブフィールドは、追加的に送信されるＭＡＣフレームが存在するか否かを指示できる。追加的に送信されるＭＡＣフレームが存在する場合、「１」に設定され、そうでない場合、「０」に設定されることができる。
【０１８０】
Ｐｒｏｔｅｃｔｅｄ  Ｆｒａｍｅサブフィールドは、フレームボディ（Ｆｒａｍｅ  Ｂｏｄｙ）フィールドが暗号化されたか否かを指示できる。Ｆｒａｍｅ  Ｂｏｄｙフィールドが暗号化されたエンカプセレーションアルゴリズム（ｃｒｙｐｔｏｇｒａｐｈｉｃ  ｅｎｃａｐｓｕｌａｔｉｏｎ  ａｌｇｏｒｉｔｈｍ）により処理された情報を含む場合、「１」に設定され、そうでない場合、「０」に設定されることができる。
【０１８１】
前述した各フィールドに含まれる情報は、ＩＥＥＥ  ８０２．１１システムの定義にしたがうことができる。また、前述した各フィールドは、ＭＡＣフレームに含まれ得るフィールドの例示に該当し、これに限定されない。すなわち、前述した各フィールドが他のフィールドに代替されるか、追加的なフィールドがさらに含まれ得るし、全てのフィールドが必須的に含まれることではない。
【０１８２】
図８は、本発明が適用され得る無線通信システムにおけるＨＴ  ＣｏｎｔｒｏｌフィールドのＶＨＴフォーマットを例示する。
【０１８３】
図８に示すように、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドから構成されることができる。
【０１８４】
ＶＨＴサブフィールドは、ＨＴ  ＣｏｎｔｒｏｌフィールドがＶＨＴのためのＨＴ  Ｃｏｎｔｒｏｌフィールドのフォーマットを有するかどうか（ＶＨＴ＝１）またはＨＴのためのＨＴ  Ｃｏｎｔｒｏｌフィールドのフォーマットを有するかどうか（ＶＨＴ＝０）を指示する。図８では、ＶＨＴのためのＨＴ  Ｃｏｎｔｒｏｌフィールド（すなわち、ＶＨＴ＝１）を仮定して説明する。ＶＨＴのためのＨＴ  ＣｏｎｔｒｏｌフィールドをＶＨＴ  Ｃｏｎｔｒｏｌフィールドと呼ぶことができる。
【０１８５】
ＨＴ  Ｃｏｎｔｒｏｌ  Ｍｉｄｄｌｅサブフィールドは、ＶＨＴサブフィールドの指示に従って他のフォーマットを有するように実現されることができる。ＨＴ  Ｃｏｎｔｒｏｌ  Ｍｉｄｄｌｅサブフィールドについてのさらに詳細な説明は後述する。
【０１８６】
ＡＣ  Ｃｏｎｓｔｒａｉｎｔサブフィールドは、逆方向（ＲＤ：ｒｅｖｅｒｓｅ  ｄｉｒｅｃｔｉｏｎ）データフレームのマップされたＡＣ（Ａｃｃｅｓｓ  Ｃａｔｅｇｏｒｙ）が単一ＡＣに限定されたことであるかどうかを指示する。
【０１８７】
ＲＤＧ／Ｍｏｒｅ  ＰＰＤＵサブフィールドは、当該フィールドがＲＤイニシエーター（ｉｎｉｔｉａｔｏｒ）またはＲＤ応答者（ｒｅｓｐｏｎｄｅｒ）によって送信されるかどうかによって異なるように解釈されることができる。
【０１８８】
ＲＤイニシエーターによって送信された場合、ＲＤＧが存在する場合、ＲＤＧ／Ｍｏｒｅ  ＰＰＤＵフィールドが「１」に設定され、ＲＤＧが存在しない場合、「０」に設定される。ＲＤ応答者によって送信された場合、当該サブフィールドを含むＰＰＤＵがＲＤ応答者により送信された最後のフレームであると、「１」に設定され、さらに他のＰＰＤＵが送信されると、「０」に設定される。
【０１８９】
上述のように、ＨＴ  Ｃｏｎｔｒｏｌ  Ｍｉｄｄｌｅサブフィールドは、ＶＨＴサブフィールドの指示に従って、他のフォーマットを有するように実現されることができる。
【０１９０】
ＶＨＴのためのＨＴ  ＣｏｎｔｒｏｌフィールドのＨＴ  Ｃｏｎｔｒｏｌ  Ｍｉｄｄｌｅサブフィールドは、予備ビット（Ｒｅｓｅｒｖｅｄ  ｂｉｔ）、ＭＣＳフィードバック要求（ＭＲＱ：ＭＣＳ（Ｍｏｄｕｌａｔｉｏｎ  ａｎｄ  Ｃｏｄｉｎｇ  Ｓｃｈｅｍｅ）ｆｅｅｄｂａｃｋ  ｒｅｑｕｅｓｔ）サブフィールド、ＭＲＱシーケンス識別子（ＭＳＩ：ＭＲＱ  Ｓｅｑｕｅｎｃｅ  Ｉｄｅｎｔｉｆｉｅｒ）／時空間ブロックコーディング（ＳＴＢＣ：ｓｐａｃｅ-ｔｉｍｅ  ｂｌｏｃｋ  ｃｏｄｉｎｇ）サブフィールド、ＭＣＳフィードバックシーケンス識別子（ＭＦＳＩ：ＭＣＳ  ｆｅｅｄｂａｃｋ  ｓｅｑｕｅｎｃｅ  ｉｄｅｎｔｉｆｉｅｒ）／グループＩＤ最下位ビット（ＧＩＤ-Ｌ：ＬＳＢ（Ｌｅａｓｔ  Ｓｉｇｎｉｆｉｃａｎｔ  Ｂｉｔ）ｏｆ  Ｇｒｏｕｐ  ＩＤ）サブフィールド、ＭＣＳフィードバック（ＭＦＢ：ＭＣＳ  Ｆｅｅｄｂａｃｋ）サブフィールド、グループＩＤ最上位ビット（ＧＩＤ-Ｈ：ＭＳＢ（Ｍｏｓｔ  Ｓｉｇｎｉｆｉｃａｎｔ  Ｂｉｔ）ｏｆ  Ｇｒｏｕｐ  ＩＤ）サブフィールド、コーディングタイプ（Ｃｏｄｉｎｇ  Ｔｙｐｅ）サブフィールド、フィードバック送信タイプ（ＦＢ  Ｔｘ  Ｔｙｐｅ：Ｆｅｅｄｂａｃｋ  Ｔｒａｎｓｍｉｓｓｉｏｎ  ｔｙｐｅ）サブフィールド及び自発的ＭＦＢ（Ｕｎｓｏｌｉｃｉｔｅｄ  ＭＦＢ）サブフィールドから構成されることができる。
【０１９１】
表４は、ＶＨＴフォーマットのＨＴ  Ｃｏｎｔｒｏｌ  Ｍｉｄｄｌｅサブフィールドに含まれた各サブフィールドに対する説明を示す。
【０１９２】
【表４−１】
0006430635.tif 000006
【表４−２】
0006430635.tif 000007
【０１９３】
そして、ＭＦＢサブフィールドは、ＶＨＴ空間-時間ストリーム数（ＮＵＭ＿ＳＴＳ：Ｎｕｍｂｅｒ  ｏｆ  ｓｐａｃｅ  ｔｉｍｅ  ｓｔｒｅａｍｓ）サブフィールド、ＶＨＴ-ＭＣＳサブフィールド、帯域幅（ＢＷ：Ｂａｎｄｗｉｄｔｈ）サブフィールド、信号対雑音比（ＳＮＲ：Ｓｉｇｎａｌ  ｔｏ  Ｎｏｉｓｅ  Ｒａｔｉｏ）サブフィールドを含むことができる。
【０１９４】
ＮＵＭ＿ＳＴＳサブフィールドは、推薦する空間ストリームの数を指示する。ＶＨＴ-ＭＣＳサブフィールドは、推薦するＭＣＳを指示する。ＢＷサブフィールドは、推薦するＭＣＳと関連した帯域幅情報を指示する。ＳＮＲサブフィールドは、データサブキャリヤ及び空間ストリーム上の平均ＳＮＲ値を指示する。
【０１９５】
上述の各フィールドに含まれる情報は、ＩＥＥＥ  ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必須的に含まれなくても良い。
【０１９６】
媒体アクセスメカニズム
ＩＥＥＥ  ８０２．１１における通信は、共有された無線媒体（ｓｈａｒｅｄ  ｗｉｒｅｌｅｓｓ  ｍｅｄｉｕｍ）においてなされるから、有線チャネル（ｗｉｒｅｄ  ｃｈａｎｎｅｌ）環境とは根本的に異なる特徴を有する。
【０１９７】
有線チャネル環境では、ＣＳＭＡ／ＣＤ（ｃａｒｒｉｅｒ  ｓｅｎｓｅ  ｍｕｌｔｉｐｌｅ  ａｃｃｅｓｓ／ｃｏｌｌｉｓｉｏｎ  ｄｅｔｅｃｔｉｏｎ）に基づいて通信が可能である。例えば、送信端から一回シグナルが送信されると、チャネル環境が大きな変化がないから、受信端まで大きく信号が減衰されずに送信される。このとき、２つ以上のシグナルが衝突されると、感知（ｄｅｔｅｃｔｉｏｎ）が可能であった。これは、受信端で感知された電力（ｐｏｗｅｒ）が瞬間的に送信端から送信した電力より大きくなるためである。しかしながら、無線チャネル環境は、様々な要素（例えば、距離に応じてシグナルの減衰が大きいか、または瞬間的に深いフェージング（ｄｅｅｐ  ｆａｄｉｎｇ）を経ることができる）がチャネルに影響を与えるから、実際に受信端で信号が正しく送信されたか、または衝突が発生したか、送信端で正確にキャリヤセンシング（ｃａｒｒｉｅｒ  ｓｅｎｓｉｎｇ）をすることができない。
【０１９８】
これにより、ＩＥＥＥ  ８０２．１１に応じるＷＬＡＮシステムにおいて、ＭＡＣの基本アクセスメカニズムとしてＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムを導入した。ＣＡＭＡ／ＣＡメカニズムは、ＩＥＥＥ  ８０２．１１ＭＡＣの分配調整機能（ＤＣＦ：Ｄｉｓｔｒｉｂｕｔｅｄ  Ｃｏｏｒｄｉｎａｔｉｏｎ  Ｆｕｎｃｔｉｏｎ）とも呼ばれるが、基本的に「ｌｉｓｔｅｎ  ｂｅｆｏｒｅ  ｔａｌｋ」アクセスメカニズムを採用している。このような類型のアクセスメカニズムによると、ＡＰ及び／又はＳＴＡは、送信を始めるに先立ち、所定の時間区間（例えば、ＤＩＦＳ（ＤＣＦ  Ｉｎｔｅｒ-Ｆｒａｍｅ  Ｓｐａｃｅ））の間に無線チャネルまたは媒体（ｍｅｄｉｕｍ）をセンシング（ｓｅｎｓｉｎｇ）するＣＣＡ（Ｃｌｅａｒ  Ｃｈａｎｎｅｌ  Ａｓｓｅｓｓｍｅｎｔ）を行う。センシング結果、万が一、媒体がアイドル状態（ｉｄｌｅ  ｓｔａｔｕｓ）であると判断されると、当該媒体を介してフレーム送信を始める。これに対し、媒体が占有状態（ｏｃｃｕｐｉｅｄ  ｓｔａｔｕｓ）であると感知されると、当該ＡＰ及び／又はＳＴＡは、自分の送信を開始せずに、既に様々なＳＴＡが当該媒体を使用するために待機しているという仮定下でＤＩＦＳに追加的に媒体アクセスのための遅延時間（例えば、任意のバックオフ周期（ｒａｎｄｏｍ  ｂａｃｋｏｆｆ  ｐｅｒｉｏｄ））の間により待った後にフレーム送信を試みることができる。
【０１９９】
任意のバックオフ周期を適用することによって、フレームを送信するための複数のＳＴＡが存在すると仮定するとき、複数のＳＴＡは、確率的に異なるバックオフ周期値を有するようになって、互いに異なる時間の間に待機した後にフレーム送信を試みることが期待されるので、衝突（ｃｏｌｌｉｓｉｏｎ）を最小化させることができる。
【０２００】
また、ＩＥＥＥ  ８０２．１１ＭＡＣプロトコルは、ＨＣＦ（Ｈｙｂｒｉｄ  Ｃｏｏｒｄｉｎａｔｉｏｎ  Ｆｕｎｃｔｉｏｎ）を提供する。ＨＣＦは、前記ＤＣＦと支点調整機能（ＰＣＦ：Ｐｏｉｎｔ  Ｃｏｏｒｄｉｎａｔｉｏｎ  Ｆｕｎｃｔｉｏｎ）に基づく。ＰＣＦは、ポーリング（ｐｏｌｌｉｎｇ）基盤の同期式アクセス方式ですべての受信ＡＰ及び／又はＳＴＡがデータフレームを受信することができるように、周期的にポーリングする方式を称する。また、ＨＣＦは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）とＨＣＣＡ（ＨＣＦ  Ｃｏｎｔｒｏｌｌｅｄ  Ｃｈａｎｎｅｌ  Ａｃｃｅｓｓ）を有する。ＥＤＣＡは、提供者が多数のユーザにデータフレームを提供するためのアクセス方式を競争基盤で行うことで、ＨＣＣＡは、ポーリング（ｐｏｌｌｉｎｇ）メカニズムを利用した非競争基盤のチャネルアクセス方式を使用することである。また、ＨＣＦは、ＷＬＡＮのＱｏＳ（Ｑｕａｌｉｔｙ  ｏｆ  Ｓｅｒｖｉｃｅ）を向上させるための媒体アクセスメカニズムを含み、競争周期（ＣＰ：Ｃｏｎｔｅｎｔｉｏｎ  Ｐｅｒｉｏｄ）と非競争周期（ＣＦＰ：Ｃｏｎｔｅｎｔｉｏｎ  Ｆｒｅｅ  Ｐｅｒｉｏｄ）の両方でＱｏＳデータを送信できる。
【０２０１】
図９は、本発明が適用され得る無線通信システムにおける任意のバックオフ周期とフレーム送信手順を説明するための図である。
【０２０２】
特定媒体が占有（ｏｃｃｕｐｙまたはｂｕｓｙ）状態からアイドル（ｉｄｌｅ）状態に変更されると、複数のＳＴＡは、データ（またはフレーム）送信を試みることができる。このとき、衝突を最小化するための方案として、ＳＴＡは、各々任意のバックオフカウント（ｒａｎｄｏｍ  ｂａｃｋｏｆｆ  ｃｏｕｎｔ）を選択し、それに該当するスロット時間（ｓｌｏｔ  ｔｉｍｅ）分だけ待機した後に、送信を試みることができる。任意のバックオフカウントは、疑似-任意整数（ｐｓｅｕｄｏ-ｒａｎｄｏｍ  ｉｎｔｅｇｅｒ）値を有し、０ないし競争ウィンドウ（ＣＷ：Ｃｏｎｔｅｎｔｉｏｎ  Ｗｉｎｄｏｗ）範囲で均一分布（ｕｎｉｆｏｒｍ  ｄｉｓｔｒｉｂｕｔｉｏｎ）した値のうちのいずれか１つで決定されることができる。ここで、ＣＷは、競争ウィンドウパラメータ値である。ＣＷパラメータは、初期値としてＣＷ＿ｍｉｎが与えられるが、送信が失敗した場合（例えば、送信されたフレームに対するＡＣＫを受信していない場合）に２倍の値を取ることができる。ＣＷパラメータ値がＣＷ＿ｍａｘになると、データ送信が成功するまでＣＷ＿ｍａｘ値を維持しながらデータ送信を試みることができ、データ送信が成功する場合には、ＣＷ＿ｍｉｎ値でリセットされる。ＣＷ、ＣＷ＿ｍｉｎ及びＣＷ＿ｍａｘ値は、２＾ｎ-１（ｎ＝０，１，２，．．．）に設定されることが好ましい。
【０２０３】
任意のバックオフ過程が始まると、ＳＴＡは、決定されたバックオフカウント値で応じてバックオフスロットをカウントダウンし、カウントダウンする間に媒体をモニタリングし続ける。媒体が占有状態であるとモニタリングされる場合、カウントダウンを中断し待機するようになり、媒体がアイドル状態になると、カウントダウンを再開する。
【０２０４】
図９の例示においてＳＴＡ３のＭＡＣに送信するパケットが到達した場合に、ＳＴＡ３は、ＤＩＦＳ分だけ媒体がアイドル状態であることを確認し、直にフレームを送信できる。
【０２０５】
一方、残りのＳＴＡは、媒体が占有（ｂｕｓｙ）状態であることをモニタリングし待機する。その間にＳＴＡ１、ＳＴＡ２及びＳＴＡ５のそれぞれでも送信するデータが発生でき、それぞれのＳＴＡは、媒体がアイドル状態であるとモニタリングされる場合、ＤＩＦＳだけ待機した後に、各自が選択した任意のバックオフカウント値で応じてバックオフスロットをカウントダウンする。
【０２０６】
図９の例示では、ＳＴＡ２が最も小さなバックオフカウント値を選択し、ＳＴＡ１が最も大きなバックオフカウント値を選択した場合を示す。すなわち、ＳＴＡ２がバックオフカウントを終えフレーム送信を始める時点においてＳＴＡ５の残余バックオフ時間は、ＳＴＡ１の残余バックオフ時間より短い場合を例示する。
【０２０７】
ＳＴＡ１及びＳＴＡ５は、ＳＴＡ２が媒体を占有する間にカウントダウンを止め待機する。ＳＴＡ２の媒体占有が終了して媒体が再度アイドル状態になると、ＳＴＡ１及びＳＴＡ５は、ＤＩＦＳだけ待機した後に、止めたバックオフカウントを再開する。すなわち、残余バックオフ時間ほどの残りのバックオフスロットをカウントダウンした後にフレーム送信を始めることができる。ＳＴＡ５の残余バックオフ時間がＳＴＡ１より短かったので、ＳＴＡ５のフレーム送信を始めるようになる。
【０２０８】
一方、ＳＴＡ２が媒体を占有する間にＳＴＡ４でも送信するデータが発生できる。このとき、ＳＴＡ４の立場では、媒体がアイドル状態になると、ＤＩＦＳだけ待機した後、自分が選択した任意のバックオフカウント値で応じるバックオフスロットのカウントダウンを行う。
【０２０９】
図９の例示では、ＳＴＡ５の残余バックオフ時間がＳＴＡ４の任意のバックオフカウント値と偶然に一致する場合を示し、この場合、ＳＴＡ４とＳＴＡ５との間に衝突が発生できる。衝突が発生する場合には、ＳＴＡ４とＳＴＡ５ともがＡＣＫを受信できないから、データ送信を失敗するようになる。この場合、ＳＴＡ４とＳＴＡ５は、ＣＷ値を２倍に増やした後に、任意のバックオフカウント値を選択しバックオフスロットのカウントダウンを行う。
【０２１０】
一方、ＳＴＡ１は、ＳＴＡ４とＳＴＡ５の送信により媒体が占有状態である間に待機している途中で、媒体がアイドル状態になると、ＤＩＦＳだけ待機した後に、残余バックオフ時間が経過すると、フレーム送信を始めることができる。
【０２１１】
ＣＳＭＡ／ＣＡメカニズムは、ＡＰ及び／又はＳＴＡが媒体を直接センシングする物理的キャリヤセンシング（ｐｈｙｓｉｃａｌ  ｃａｒｒｉｅｒ  ｓｅｎｓｉｎｇ）の他に、仮想キャリヤセンシング（ｖｉｒｔｕａｌ  ｃａｒｒｉｅｒ  ｓｅｎｓｉｎｇ）も含む。
【０２１２】
仮想キャリヤセンシングは、非表示ノード問題（ｈｉｄｄｅｎ  ｎｏｄｅ  ｐｒｏｂｌｅｍ）などのように媒体接近上発生できる問題を補完するためのものである。仮想キャリヤセンシングのために、ＷＬＡＮシステムのＭＡＣは、ネットワーク割り当てベクトル（ＮＡＶ：Ｎｅｔｗｏｒｋ  Ａｌｌｏｃａｔｉｏｎ  Ｖｅｃｔｏｒ）を利用する。ＮＡＶは、現在媒体を使用しているか、または使用する権限があるＡＰ及び／又はＳＴＡが、媒体が利用可能な状態になるまで残っている時間を他のＡＰ及び／又はＳＴＡに指示する値である。したがって、ＮＡＶに設定された値は、当該フレームを送信するＡＰ及び／又はＳＴＡによって媒体の使用が予定されている期間に該当し、ＮＡＶ値を受信するＳＴＡは、当該期間の間に媒体アクセスが禁止される。ＮＡＶは、例えば、フレームのＭＡＣヘッダ（ｈｅａｄｅｒ）の持続期間（ｄｕｒａｔｉｏｎ）フィールドの値で応じて設定することができる。
【０２１３】
ＡＰ及び／又はＳＴＡは、媒体に接近しようとすることを知らせるために、ＲＴＳ（ｒｅｑｕｅｓｔ  ｔｏ  ｓｅｎｄ）フレーム及びＣＴＳ（ｃｌｅａｒ  ｔｏ  ｓｅｎｄ）フレームを交換する手順を行うことができる。ＲＴＳフレーム及びＣＴＳフレームは、実質的にデータフレーム送信及び受信確認応答（ＡＣＫ）が支援される場合、ＡＣＫフレームが送受信されるのに必要な無線媒体が接近予約された時間的な区間を指示する情報を含む。フレームを送信しようとするＡＰ及び／又はＳＴＡから送信されたＲＴＳフレームを受信するか、またはフレーム送信対象ＳＴＡから送信されたＣＴＳフレームを受信した他のＳＴＡは、ＲＴＳ／ＣＴＳフレームに含まれている情報が指示する時間的な区間の間に媒体に接近しないように設定されることができる。これは、時間区間の間にＮＡＶが設定されることにより実現されることができる。
【０２１４】
フレーム間隔（ｉｎｔｅｒｆｒａｍｅ  ｓｐａｃｅ）
フレーム間の時間間隔をフレーム間隔（ＩＦＳ：Ｉｎｔｅｒｆｒａｍｅ  Ｓｐａｃｅ）と定義する。ＳＴＡは、キャリヤセンシング（ｃａｒｒｉｅｒ  ｓｅｎｓｉｎｇ）を介して、ＩＦＳ時間区間の間にチャネルが使用されるかどうかを判断できる。８０２．１１  ＷＬＡＮシステムにおいて無線媒体を占有する優先レベル（ｐｒｉｏｒｉｔｙ  ｌｅｖｅｌ）を提供するために、複数のＩＦＳが定義される。
【０２１５】
図１０は、本発明が適用され得る無線通信システムにおけるＩＦＳ関係を例示する図である。
【０２１６】
すべてのタイミングは、物理層インタフェースプリミティブ、すなわち、ＰＨＹ-ＴＸＥＮＤ．ｃｏｎｆｉｒｍプリミティブ、ＰＨＹＴＸＳＴＡＲＴ．ｃｏｎｆｉｒｍプリミティブ、ＰＨＹ-ＲＸＳＴＡＲＴ．ｉｎｄｉｃａｔｉｏｎプリミティブ及びＰＨＹ-ＲＸＥＮＤ．ｉｎｄｉｃａｔｉｏｎプリミティブを参照して決まることができる。
【０２１７】
ＩＦＳ種類に応じるフレーム間隔は、以下のとおりである。
ａ）縮小されたフレーム間隔（ＲＩＦＳ：ｒｅｄｕｃｅｄ  ｉｎｔｅｒｆｒａｍｅ  ｓｐａｃｅ）
ｂ）短いフレーム間隔（ＳＩＦＳ：ｓｈｏｒｔ  ｉｎｔｅｒｆｒａｍｅ  ｓｐａｃｅ）
ｃ）ＰＣＦフレーム間隔（ＰＩＦＳ：ＰＣＦ  ｉｎｔｅｒｆｒａｍｅ  ｓｐａｃｅ）
ｄ）ＤＣＦフレーム間隔（ＤＩＦＳ：ＤＣＦ  ｉｎｔｅｒｆｒａｍｅ  ｓｐａｃｅ）
ｅ）調整フレーム間隔（ＡＩＦＳ：ａｒｂｉｔｒａｔｉｏｎ  ｉｎｔｅｒｆｒａｍｅ  ｓｐａｃｅ）
ｆ）拡張フレーム間隔（ＥＩＦＳ：ｅｘｔｅｎｄｅｄ  ｉｎｔｅｒｆｒａｍｅ  ｓｐａｃｅ）
【０２１８】
互いに異なるＩＦＳは、ＳＴＡのビット率（ｂｉｔ  ｒａｔｅ）と無関係に物理層により特定された属性から決定される。ＩＦＳタイミングは、媒体上での時間ギャップ（ｔｉｍｅ  ｇａｐ）と定義される。ＡＩＦＳを除いたＩＦＳタイミングは、各物理層別に固定される。
【０２１９】
ＳＩＦＳは、ＡＣＫフレーム、ＣＴＳフレーム、ブロックＡＣＫ要求（ＢｌｏｃｋＡｃｋＲｅｑ）フレームまたはＡ-ＭＰＤＵに対する即刻な応答であるブロックＡＣＫ（ＢｌｏｃｋＡｃｋ）フレームを含むＰＰＤＵ、フラグメントバースト（ｆｒａｇｍｅｎｔ  ｂｕｒｓｔ）の第２番目または連続的なＭＰＤＵ、ＰＣＦによるポーリング（ｐｏｌｌｉｎｇ）に対するＳＴＡの応答の送信のために使用され、最も高い優先順位を有する。ＳＩＦＳは、また非競争区間（ＣＦＰ）時間の間にフレームのタイプと無関係にフレームの支点調整（ｐｏｉｎｔ  ｃｏｏｒｄｉｎａｔｏｒ）のために使用されることができる。ＳＩＦＳは、以前フレームの最後のシンボルの終了またはシグナル拡張（存在する場合）からつながる次のフレームのプリアンブルの第１番目のシンボルの開始までの時間を示す。
【０２２０】
ＳＩＦＳタイミングは、ＴｘＳＩＦＳスロット境界から連続的なフレームの送信が始まるときに達成される。
【０２２１】
ＳＩＦＳは、互いに異なるＳＴＡからの送信間のＩＦＳのうち、最も短い。媒体を占有しているＳＴＡがフレーム交換シーケンス（ｆｒａｍｅ  ｅｘｃｈａｎｇｅ  ｓｅｑｕｅｎｃｅ）が行われる区間の間に媒体の占有を維持する必要がある場合に使用されることができる。
【０２２２】
フレーム交換シーケンス内の送信間に最も小さなギャップを使用することによって、より長いギャップの間に、媒体がアイドル状態になることを待つことが要求される他のＳＴＡが媒体の使用を試みるのを防止できる。したがって、進行中のフレーム交換シーケンスが完了するのに優先権を付与できる。
【０２２３】
ＰＩＦＳは、媒体をアクセスするのに優先権を取得するために使用される。
【０２２４】
ＰＩＦＳは、次のような場合に使用されることができる。
-ＰＣＦ下に動作するＳＴＡ
-チャネルスイッチ公知（Ｃｈａｎｎｅｌ  Ｓｗｉｔｃｈ  Ａｎｎｏｕｎｃｅｍｅｎｔ）フレームを送信するＳＴＡ
-トラフィック指示マップ（ＴＩＭ：Ｔｒａｆｆｉｃ  Ｉｎｄｉｃａｔｉｏｎ  Ｍａｐ）フレームを送信するＳＴＡ
-ＣＦＰまたは送信機会（ＴＸＯＰ：Ｔｒａｎｓｍｉｓｓｉｏｎ  Ｏｐｐｏｒｔｕｎｉｔｙ）を始めるハイブリッド調整者（ＨＣ：Ｈｙｂｒｉｄ  Ｃｏｏｒｄｉｎａｔｏｒ）
-ＣＡＰ（ｃｏｎｔｒｏｌｌｅｄ  ａｃｃｅｓｓ  ｐｈａｓｅ）内の予想された受信の不在から復旧（ｒｅｃｏｖｅｒｉｎｇ）するためのポーリングされたＴＸＯＰホルダー（ｈｏｌｄｅｒ）であるＨＣまたはｎｏｎ-ＡＰ  ＱｏＳ  ＳＴＡ
-ＣＴＳ２の送信前にデュアルＣＴＳ保護を使用するＨＴ  ＳＴＡ
-送信失敗以後に送信し続けるためのＴＸＯＰホルダー（ｈｏｌｄｅｒ）
-エラー復旧（ｅｒｒｏｒ  ｒｅｃｏｖｅｒｙ）を使用して送信し続けるためのＲＤ（ｒｅｖｅｒｓｅ  ｄｉｒｅｃｔｉｏｎ）開始者
-ＰＳＭＰ（ｐｏｗｅｒ  ｓａｖｅ  ｍｕｌｔｉ-ｐｏｌｌ）復旧フレームを送信するＰＳＭＰシーケンスの間にＨＴ  ＡＰ
-ＥＤＣＡチャネルアクセスを使用する４０ＭＨｚマスクＰＰＤＵを送信する前にセコンダリーチャネル（ｓｅｃｏｎｄａｒｙ  ｃｈａｎｎｅｌ）内のＣＣＡを行うＨＴ  ＳＴＡ
【０２２５】
先に羅列した例示の中でセコンダリーチャネル（ｓｅｃｏｎｄａｒｙ  ｃｈａｎｎｅｌ）でＣＣＡを行う場合を除いて、ＰＩＦＳを使用するＳＴＡは、ＴｘＰＩＦＳスロット境界から媒体がアイドル状態であることを決定するＣＳ（ｃａｒｒｉｅｒｓｅｎｓｅ）メカニズム以後に送信を始める。
【０２２６】
ＤＩＦＳは、ＤＣＦ下にデータフレーム（ＭＰＤＵ）及び管理フレーム（ＭＭＰＤＵ：ＭＡＣ  Ｍａｎａｇｅｍｅｎｔ  Ｐｒｏｔｏｃｏｌ  Ｄａｔａ  Ｕｎｉｔ）を送信するように動作するＳＴＡにより使用されることができる。ＤＣＦを使用するＳＴＡは、正確に受信されたフレーム及びバックオフタイムが満了した以後、ＣＳ（ｃａｒｒｉｅｒ  ｓｅｎｓｅ）メカニズムを介して媒体がアイドル状態であると決定されると、ＴｘＤＩＦＳスロット境界から送信できる。ここで、正確に受信されたフレームは、ＰＨＹ-ＲＸＥＮＤ．ｉｎｄｉｃａｔｉｏｎプリミティブがエラーを指示せず、ＦＣＳはフレームがエラーでないこと（ｅｒｒｏｒ  ｆｒｅｅ）を指示するフレームを意味する。
【０２２７】
ＳＩＦＳ時間（「ａＳＩＦＳＴｉｍｅ」）とスロット時間（「ａＳｌｏｔＴｉｍｅ」）は、物理層別に決定されることができる。ＳＩＦＳ時間は、固定された値を有するが、スロット時間は、無線遅延時間（ａＡｉｒＰｒｏｐａｇａｔｉｏｎＴｉｍｅ）変化に応じて動的に変化できる。
【０２２８】
「ａＳＩＦＳＴｉｍｅ」は、以下の式１及び２のように定義される。
【０２２９】
〔式１〕
【数１】
0006430635.tif 000008
【０２３０】
〔式２〕
【数２】
0006430635.tif 000009
【０２３１】
「ａＳｌｏｔＴｉｍｅ」は、以下の式３のように定義される。
【０２３２】
〔式３〕
【数３】
0006430635.tif 000010
【０２３３】
式３中、基本的な（ｄｅｆａｕｌｔ）物理層パラメータは、１μｓと同一または小さな値を有する「ａＭＡＣＰｒｏｃｅｓｓｉｎｇＤｅｌａｙ」に基づく。無線波は、自由空間（ｆｒｅｅ  ｓｐａｃｅ）で３００ｍ／μｓで広がる。例えば、３μｓは、ＢＳＳ最大一方向（ｏｎｅ-ｗａｙ）距離〜４５０ｍ（往復時間（ｒｏｕｎｄ  ｔｒｉｐ）は、〜９００ｍ）の上限線でありうる。
【０２３４】
ＰＩＦＳとＳＩＦＳは、それぞれ以下の式４及び５のように定義される。
【０２３５】
〔式４〕
【数４】
0006430635.tif 000011
【０２３６】
〔式５〕
【数５】
0006430635.tif 000012
【０２３７】
先の式１ないし５において括弧内の数値は、一般的な値を例示しているが、その値は、ＳＴＡ別に或いはＳＴＡの位置別に変わることができる。
【０２３８】
上述のＳＩＦＳ、ＰＩＦＳ及びＤＩＦＳは、媒体と互いに異なるＭＡＣスロット境界（ＴｘＳＩＦＳ、ＴｘＰＩＦＳ、ＴｘＤＩＦＳ）に基づいて測定される。
【０２３９】
ＳＩＦＳ、ＰＩＦＳ及びＤＩＦＳに対する各ＭＡＣスロット境界は、それぞれ以下の式６ないし８のように定義される。
【０２４０】
〔式６〕
【数６】
0006430635.tif 000013
【０２４１】
〔式７〕
【数７】
0006430635.tif 000014
【０２４２】
〔式８〕
【数８】
0006430635.tif 000015
【０２４３】
チャネル状態情報（Ｃｈａｎｎｅｌ  Ｓｔａｔｅ  Ｉｎｆｏｒｍａｔｉｏｎ）フィードバック（ｆｅｅｄｂａｃｋ）方法
ビームフォーマ（Ｂｅａｍｆｏｒｍｅｒ）が全てのアンテナを１つのビームフォーミー（Ｂｅａｍｆｏｒｍｅｅ）に割り当てて通信するＳＵ−ＭＩＭＯ技術は、時空間を用いたダイバシティ利得（ｄｉｖｅｒｓｉｔｙ  ｇａｉｎ）とストリーム（ｓｔｒｅａｍ）多重送信とを介してチャネル容量を増大させる。ＳＵ−ＭＩＭＯ技術は、ＭＩＭＯ技術を適用しないときに比べてアンテナの個数を増やすことにより、空間自由度を拡張させて物理層の性能向上に寄与することができる。
【０２４４】
また、Ｂｅａｍｆｏｒｍｅｒが複数のＢｅａｍｆｏｒｍｅｅにアンテナを割り当てるＭＵ−ＭＩＭＯ技術は、Ｂｅａｍｆｏｒｍｅｒに接続した複数のＢｅａｍｆｏｒｍｅｅの多重接続のためのリンク階層プロトコルを介して、Ｂｅａｍｆｏｒｍｅｅ当たり送信率を高めるか、チャネルの信頼度を高めることにより、ＭＩＭＯアンテナの性能を向上させることができる。
【０２４５】
ＭＩＭＯ環境では、Ｂｅａｍｆｏｒｍｅｒがチャネル情報をどれくらい正確に知っているのかが性能に大きい影響を及ぼすことができるので、チャネル情報取得のためのフィードバック手順が要求される。
【０２４６】
チャネル情報取得のためのフィードバック手順は、大別して２つの方式が支援され得る。１つは、制御フレーム（Ｃｏｎｔｒｏｌ  Ｆｒａｍｅ）を利用する方式であり、残りの１つは、データフィールドが含まれていないチャネルサウンディング（ｃｈａｎｎｅｌ  ｓｏｕｎｄｉｎｇ）手順を利用する方式である。サウンディングは、プリアンブルトレーニングフィールド（ｔｒａｉｎｉｎｇ  ｆｉｅｌｄ）を含むＰＰＤＵのデータ復調以外の目的のために、チャネルを測定するために当該トレーニングフィールド（ｔｒａｉｎｉｎｇ  ｆｉｅｌｄ）を利用することを意味する。
【０２４７】
以下、制御フレーム（Ｃｏｎｔｒｏｌ  Ｆｒａｍｅ）を利用したチャネル情報フィードバック方法とＮＤＰ（ｎｕｌｌ  ｄａｔａ  ｐａｃｋｅｔ）を利用したチャネル情報フィードバック方法についてより具体的に説明する。
【０２４８】
１）制御フレーム（Ｃｏｎｔｒｏｌ  Ｆｒａｍｅ）を利用したフィードバック方法
【０２４９】
ＭＩＭＯ環境でＢｅａｍｆｏｒｍｅｒは、ＭＡＣヘッダに含まれたＨＴ  Ｃｏｎｔｒｏｌフィールドを介してチャネル状態情報のフィードバックを指示するか、Ｂｅａｍｆｏｒｍｅｅは、ＭＡＣフレームヘッダに含まれたＨＴ  Ｃｏｎｔｒｏｌフィールドを介してチャネル状態情報を報告できる（図８参照）。ＨＴ  Ｃｏｎｔｒｏｌフィールドは、Ｃｏｎｔｒｏｌ  ＷｒａｐｐｅｒフレームやＭＡＣヘッダのＯｒｄｅｒサブフィールドが１に設定されたＱｏＳ  Ｄａｔａフレーム、管理フレームに含まれることができる。
【０２５０】
２）チャネルサウンディング（ｃｈａｎｎｅｌ  ｓｏｕｎｄｉｎｇ）を利用したフィードバック方法
【０２５１】
図１１は、本発明が適用され得る無線通信システムにおけるチャネルサウンディング（ｓｏｕｎｄｉｎｇ）方法を概念的に示す図である。
【０２５２】
図１１では、サウンディングプロトコル（ｓｏｕｎｄｉｎｇ  ｐｒｏｔｏｃｏｌ）に基づいてＢｅａｍｆｏｒｍｅｒ（例えば、ＡＰ）とＢｅａｍｆｏｒｍｅｅ（例えば、ｎｏｎ−ＡＰ  ＳＴＡ）との間のチャネル状態情報（Ｃｈａｎｎｅｌ  Ｓｔａｔｅ  Ｉｎｆｏｒｍａｔｉｏｎ）をフィードバックする方法を例示する。サウンディングプロトコル（ｓｏｕｎｄｉｎｇ  ｐｒｏｔｏｃｏｌ）は、チャネル状態情報に関する情報をフィードバックされる手順を意味できる。
【０２５３】
サウンディングプロトコルに基づいたＢｅａｍｆｏｒｍｅｒとＢｅａｍｆｏｒｍｅｅとの間のチャネル状態情報サウンディング方法を下記のようなステップで行うことができる。
【０２５４】
（１）ＢｅａｍｆｏｒｍｅｒでＢｅａｍｆｏｒｍｅｅのフィードバックのためのサウンディング送信を知らせるＶＨＴ  ＮＤＰＡ（ＶＨＴ  Ｎｕｌｌ  Ｄａｔａ  Ｐａｃｋｅｔ  Ａｎｎｏｕｎｃｅｍｅｎｔ）フレームを送信する。
【０２５５】
ＶＨＴ  ＮＤＰＡフレームは、チャネルサウンディングが開始され、ＮＤＰ（Ｎｕｌｌ  ｄａｔａ  ｐａｃｋｅｔ）が送信されることを知らせるために使用される制御フレーム（Ｃｏｎｔｒｏｌ  Ｆｒａｍｅ）を意味する。言い替えれば、ＮＤＰを送信する前にＶＨＴ  ＮＤＰＡフレームを送信することにより、ＢｅａｍｆｏｒｍｅｅがＮＤＰフレームを受信する前にチャネル状態情報をフィードバックするための準備をさせることができる。
【０２５６】
ＶＨＴ  ＮＤＰＡフレームは、ＮＤＰを送信するＢｅａｍｆｏｒｍｅｅのＡＩＤ（ａｓｓｏｃｉａｔｉｏｎ  ｉｄｅｎｔｉｆｉｅｒ）情報、フィードバックタイプ情報などを含むことができる。ＶＨＴ  ＮＤＰＡフレームに対するより詳細な説明は後述する。
【０２５７】
ＶＨＴ  ＮＤＰＡフレームは、ＭＵ−ＭＩＭＯを使用してデータを送信する場合と、ＳＵ−ＭＩＭＯを使用してデータを送信する場合とに互いに異なる送信方式で送信されることができる。例えば、ＭＵ−ＭＩＭＯのためのチャネルサウンディングを行う場合、ＶＨＴ  ＮＤＰＡフレームをブロードキャスト（ｂｒｏａｄｃａｓｔ）方式で送信するが、ＳＵ−ＭＩＭＯのためのチャネルサウンディングを行う場合、１つの対象ＳＴＡにＶＨＴ  ＮＤＰＡフレームをユニキャスト（ｕｎｉｃａｓｔ）方式で送信することができる。
【０２５８】
（２）Ｂｅａｍｆｏｒｍｅｒは、ＶＨＴ  ＮＤＰＡフレームを送信した後、ＳＩＦＳ時間後にＮＤＰを送信する。ＮＤＰは、データフィールドを除いたＶＨＴ  ＰＰＤＵ構造を有する。
【０２５９】
ＶＨＴ  ＮＤＰＡフレームを受信したＢｅａｍｆｏｒｍｅｅは、ＳＴＡ情報フィールドに含まれたＡＩＤ１２サブフィールド値を確認し、自分がサウンディング対象ＳＴＡであるか確認することができる。
【０２６０】
また、Ｂｅａｍｆｏｒｍｅｅは、ＮＤＰＡに含まれたＳＴＡ  Ｉｎｆｏフィールドの順序を介してフィードバック順序を分かることができる。図１１では、フィードバック順序がＢｅａｍｆｏｒｍｅｅ１、Ｂｅａｍｆｏｒｍｅｅ２、Ｂｅａｍｆｏｒｍｅｅ３の順序で進められる場合を例示する。
【０２６１】
（３）Ｂｅａｍｆｏｒｍｅｅ１は、ＮＤＰに含まれたトレーニングフィールド（ｔｒａｉｎｉｎｇ  ｆｉｅｌｄ）に基づいて下向きリンクチャネル状態情報を取得して、Ｂｅａｍｆｏｒｍｅｒに送信するフィードバック情報を生成する。
【０２６２】
Ｂｅａｍｆｏｒｍｅｅ１は、ＮＤＰフレームを受信した後、ＳＩＦＳ以後にフィードバック情報を含むＶＨＴ圧縮されたビームフォーミング（ＶＨＴ  ｃｏｍｐｒｅｓｓｅｄ  ｂｅａｍｆｏｒｍｉｎｇ）フレームをＢｅａｍｆｏｒｍｅｒに送信する。
【０２６３】
ＶＨＴ  ｃｏｍｐｒｅｓｓｅｄ  ｂｅａｍｆｏｒｍｉｎｇフレームは、時空間ストリーム（ｓｐａｃｅ−ｔｉｍｅ  ｓｔｒｅａｍ）に対するＳＮＲ値、サブキャリア（ｓｕｂｃａｒｒｉｅｒ）に対する圧縮されたビームフォーミングフィードバック行列（ｃｏｍｐｒｅｓｓｅｄ  ｂｅａｍｆｏｒｍｉｎｇ  ｆｅｅｄｂａｃｋ  ｍａｔｒｉｘ）に関する情報などが含まれ得る。ＶＨＴ  Ｃｏｍｐｒｅｓｓｅｄ  Ｂｅａｍｆｏｒｍｉｎｇフレームについてのより詳細な説明は後述する。
【０２６４】
（４）Ｂｅａｍｆｏｒｍｅｒは、Ｂｅａｍｆｏｒｍｅｅ１からＶＨＴ  ｃｏｍｐｒｅｓｓｅｄ  ｂｅａｍｆｏｒｍｉｎｇフレームを受信した後、ＳＩＦＳ以後にＢｅａｍｆｏｒｍｅｅ２からチャネル情報を得るために、ビームフォーミング報告ポール（Ｂｅａｍｆｏｒｍｉｎｇ  Ｒｅｐｏｒｔ  Ｐｏｌｌ）フレームをＢｅａｍｆｏｒｍｅｅ２に送信する。
【０２６５】
Ｂｅａｍｆｏｒｍｉｎｇ  Ｒｅｐｏｒｔ  Ｐｏｌｌフレームは、ＮＤＰフレームと同じ役割を果たすフレームであって、Ｂｅａｍｆｏｒｍｅｅ２は、送信されるＢｅａｍｆｏｒｍｉｎｇ  Ｒｅｐｏｒｔ  Ｐｏｌｌフレームに基づいてチャネル状態を測定できる。
【０２６６】
Ｂｅａｍｆｏｒｍｉｎｇ  Ｒｅｐｏｒｔ  Ｐｏｌｌフレームについてのより詳細な説明は後述する。
【０２６７】
（５）Ｂｅａｍｆｏｒｍｉｎｇ  Ｒｅｐｏｒｔ  Ｐｏｌｌフレームを受信したＢｅａｍｆｏｒｍｅｅ２は、ＳＩＦＳ以後にフィードバック情報を含むＶＨＴ  Ｃｏｍｐｒｅｓｓｅｄ  ＢｅａｍｆｏｒｍｉｎｇフレームをＢｅａｍｆｏｒｍｅｒに送信する。
【０２６８】
（６）Ｂｅａｍｆｏｒｍｅｒは、Ｂｅａｍｆｏｒｍｅｅ２からＶＨＴ  Ｃｏｍｐｒｅｓｓｅｄ  Ｂｅａｍｆｏｒｍｉｎｇフレームを受信した後、ＳＩＦＳ以後にＢｅａｍｆｏｒｍｅｅ３からチャネル情報を得るために、Ｂｅａｍｆｏｒｍｉｎｇ  Ｒｅｐｏｒｔ  ＰｏｌｌフレームをＢｅａｍｆｏｒｍｅｅ３に送信する。
【０２６９】
（７）Ｂｅａｍｆｏｒｍｉｎｇ  Ｒｅｐｏｒｔ  Ｐｏｌｌフレームを受信したＢｅａｍｆｏｒｍｅｅ３は、ＳＩＦＳ以後にフィードバック情報を含むＶＨＴ  Ｃｏｍｐｒｅｓｓｅｄ  ＢｅａｍｆｏｒｍｉｎｇフレームをＢｅａｍｆｏｒｍｅｒに送信する。
【０２７０】
以下、前述したチャネルサウンディング手順で使用されるフレームについて説明する。
【０２７１】
図１２は、本発明が適用され得る無線通信システムにおけるＶＨＴ  ＮＤＰＡフレームを例示する図である。
【０２７２】
図１２に示すように、ＶＨＴ  ＮＤＰＡフレームは、フレーム制御（Ｆｒａｍｅ  Ｃｏｎｔｒｏｌ）フィールド、持続時間（Ｄｕｒａｔｉｏｎ）フィールド、ＲＡ（Ｒｅｃｅｉｖｉｎｇ  Ａｄｄｒｅｓｓ）フィールド、ＴＡ（Ｔｒａｎｓｍｉｔｔｉｎｇ  Ａｄｄｒｅｓｓ）フィールド、サウンディングダイアログトークン（Ｓｏｕｎｄｉｎｇ  Ｄｉａｌｏｇ  Ｔｏｋｅｎ）フィールド、ＳＴＡ情報１（ＳＴＡ  Ｉｎｆｏ  １）フィールドないしＳＴＡ情報ｎ（ＳＴＡ  Ｉｎｆｏ  ｎ）フィールド、及びＦＣＳで構成されることができる。
【０２７３】
ＲＡフィールド値は、ＶＨＴ  ＮＤＰＡフレームを受信する受信者住所（ｒｅｃｅｉｖｅｒ  ａｄｄｒｅｓｓ）またはＳＴＡ住所を表す。
【０２７４】
ＶＨＴ  ＮＤＰＡフレームが１つのＳＴＡ  Ｉｎｆｏフィールドを含む場合、ＲＡフィールド値は、ＳＴＡ  Ｉｎｆｏフィールド内のＡＩＤにより識別されるＳＴＡの住所を有する。例えば、ＳＵ−ＭＩＭＯチャネルサウンディングのために、１つの対象ＳＴＡにＶＨＴ  ＮＤＰＡフレームを送信する場合、ＡＰは、ＶＨＴ  ＮＤＰＡフレームを対象ＳＴＡにユニキャスト（ｕｎｉｃａｓｔ）で送信する。
【０２７５】
それに対し、ＶＨＴ  ＮＤＰＡフレームが１つ以上のＳＴＡ  Ｉｎｆｏフィールドを含む場合、ＲＡフィールド値は、ブロードキャスト住所（ｂｒｏａｄｃａｓｔ  ａｄｄｒｅｓｓ）を有する。例えば、ＭＵ−ＭＩＭＯチャネルサウンディングのために、少なくとも１つ以上の対象ＳＴＡにＶＨＴ  ＮＤＰＡフレームを送信する場合、ＡＰは、ＶＨＴ  ＮＤＰＡフレームをブロードキャスティングする。
【０２７６】
ＴＡフィールド値は、ＶＨＴ  ＮＤＰＡフレームを送信する送信者住所（ｔｒａｎｓｍｉｔｔｅｒ  ａｄｄｒｅｓｓ）または送信するＳＴＡの住所またはＴＡをシグナリングする帯域幅を表す。
【０２７７】
Ｓｏｕｎｄｉｎｇ  Ｄｉａｌｏｇ  Ｔｏｋｅｎフィールドは、サウンディングシーケンス（Ｓｏｕｎｄｉｎｇ  Ｓｅｑｕｅｎｃｅ）フィールドと呼ばれることができる。Ｓｏｕｎｄｉｎｇ  Ｄｉａｌｏｇ  Ｔｏｋｅｎフィールド内のサウンディングダイアログトークン番号（Ｓｏｕｎｄｉｎｇ  Ｄｉａｌｏｇ  Ｔｏｋｅｎ  Ｎｕｍｂｅｒ）サブフィールドは、ＶＨＴ  ＮＤＰＡフレームを識別するために、Ｂｅａｍｆｏｒｍｅｒにより選択された値を含む。
【０２７８】
ＶＨＴ  ＮＤＰＡフレームは、少なくとも１つのＳＴＡ  Ｉｎｆｏフィールドを含む。すなわち、ＶＨＴ  ＮＤＰＡフレームは、サウンディング対象ＳＴＡに関する情報を含むＳＴＡ  Ｉｎｆｏフィールドを含む。ＳＴＡ  Ｉｎｆｏフィールドは、サウンディング対象ＳＴＡ毎に１つずつ含まれることができる。
【０２７９】
各ＳＴＡ  Ｉｎｆｏフィールドは、ＡＩＤ１２サブフィールド、フィードバックタイプ（Ｆｅｅｄｂａｃｋ  Ｔｙｐｅ）サブフィールド、及びＮｃインデックス（Ｎｃ  Ｉｎｄｅｘ）サブフィールドで構成されることができる。
【０２８０】
表５は、ＶＨＴ  ＮＤＰＡフレームに含まれるＳＴＡ  Ｉｎｆｏフィールドのサブフィールドを表す。
【０２８１】
【表５】
0006430635.tif 000016
【０２８２】
前述した各フィールドに含まれる情報は、ＩＥＥＥ  ８０２．１１システムの定義にしたがうことができる。また、前述した各フィールドは、ＭＡＣフレームに含まれ得るフィールドの例示に該当し、他のフィールドに代替されるか、追加的なフィールドがさらに含まれ得る。
【０２８３】
図１３は、本発明が適用され得る無線通信システムにおけるＮＤＰ  ＰＰＤＵを例示する図である。
【０２８４】
図１３に示すように、ＮＤＰは、前述した図４のようなＶＨＴ  ＰＰＤＵフォーマットでデータフィールドが省略されたフォーマットを有することができる。ＮＤＰは、特定プリコーディング行列（ｐｒｅｃｏｄｉｎｇ  ｍａｔｒｉｘ）に基づいてプリコーディング（ｐｒｅｃｏｄｉｎｇ）されてサウンディング対象ＳＴＡに送信されることができる。
【０２８５】
ＮＤＰのＬ−ＳＩＧフィールドでデータフィールドに含まれたＰＳＤＵ長さを指示する長さフィールドは、「０」に設定される。
【０２８６】
ＮＤＰのＶＨＴ−ＳＩＧ−ＡフィールドでＮＤＰ送信のために使用された送信技法がＭＵ−ＭＩＭＯであるか、またはＳＵ−ＭＩＭＯであるか指示するＧｒｏｕｐ  ＩＤフィールドは、ＳＵ−ＭＩＭＯ送信を指示する値に設定される。
【０２８７】
ＮＤＰのＶＨＴ−ＳＩＧ−Ｂフィールドのデータビットは、帯域幅別に固定されたビットパターン（ｂｉｔ  ｐａｔｔｅｒｎ）に設定される。
【０２８８】
サウンディング対象ＳＴＡは、ＮＤＰを受信すれば、ＮＤＰのＶＨＴ−ＬＴＦフィールドに基づいてチャネルを推定し、チャネル状態情報を取得する。
【０２８９】
図１４は、本発明が適用され得る無線通信システムにおけるＶＨＴ圧縮されたビームフォーミング（ＶＨＴ  ｃｏｍｐｒｅｓｓｅｄ  ｂｅａｍｆｏｒｍｉｎｇ）フレームフォーマットを例示する図である。
【０２９０】
図１４に示すように、ＶＨＴ  ｃｏｍｐｒｅｓｓｅｄ  ｂｅａｍｆｏｒｍｉｎｇフレームは、ＶＨＴ機能を支援するためのＶＨＴ動作（ＶＨＴ  Ａｃｔｉｏｎ）フレームであって、Ｆｒａｍｅ  ＢｏｄｙにＡｃｔｉｏｎフィールドを含む。Ａｃｔｉｏｎフィールドは、ＭＡＣフレームのＦｒａｍｅ  Ｂｏｄｙに含まれて、拡張された管理動作を明示するためのメカニズムを提供する。
【０２９１】
Ａｃｔｉｏｎフィールドは、カテゴリー（Ｃａｔｅｇｏｒｙ）フィールド、ＶＨＴ動作（ＶＨＴ  Ａｃｔｉｏｎ）フィールド、ＶＨＴ  ＭＩＭＯ制御（ＶＨＴ  ＭＩＭＯ  Ｃｏｎｔｒｏｌ）フィールド、ＶＨＴ圧縮されたビームフォーミング報告（ＶＨＴ  Ｃｏｍｐｒｅｓｓｅｄ  Ｂｅａｍｆｏｒｍｉｎｇ  Ｒｅｐｏｒｔ）フィールド、及びＭＵ専用ビームフォーミング報告（ＭＵ  Ｅｘｃｌｕｓｉｖｅ  Ｂｅａｍｆｏｒｍｉｎｇ  Ｒｅｐｏｒｔ）フィールドで構成される。
【０２９２】
Ｃａｔｅｇｏｒｙフィールドは、ＶＨＴカテゴリー（すなわち、ＶＨＴ  Ａｃｔｉｏｎフレーム）を指示する値に設定され、ＶＨＴ  Ａｃｔｉｏｎフィールドは、ＶＨＴ  ｃｏｍｐｒｅｓｓｅｄ  ｂｅａｍｆｏｒｍｉｎｇフレームを指示する値に設定される。
【０２９３】
ＶＨＴ  ＭＩＭＯ  Ｃｏｎｔｒｏｌフィールドは、ビームフォーミングフィードバックと関連した制御情報をフィードバックするために使用される。ＶＨＴ  ＭＩＭＯ  Ｃｏｎｔｒｏｌフィールドは、ＶＨＴ  Ｃｏｍｐｒｅｓｓｅｄ  Ｂｅａｍｆｏｒｍｉｎｇフレームに常に存在し得る。
【０２９４】
ＶＨＴ  Ｃｏｍｐｒｅｓｓｅｄ  Ｂｅａｍｆｏｒｍｉｎｇ  Ｒｅｐｏｒｔフィールドは、データを送信するのに使用されるとき空間ストリーム（ｓｐａｃｅ−ｔｉｍｅ  ｓｔｒｅａｍ）に対するＳＮＲ情報が含まれたビームフォーミングマトリックスに関する情報をフィードバックするために使用される。
【０２９５】
ＭＵ  Ｅｘｃｌｕｓｉｖｅ  Ｂｅａｍｆｏｒｍｉｎｇ  Ｒｅｐｏｒｔフィールドは、ＭＵ−ＭＩＭＯ送信を行う場合、空間的ストリーム（ｓｐａｔｉａｌ  ｓｔｒｅａｍ）に対するＳＮＲ情報をフィードバックするために使用される。
【０２９６】
ＶＨＴ  Ｃｏｍｐｒｅｓｓｅｄ  Ｂｅａｍｆｏｒｍｉｎｇ  Ｒｅｐｏｒｔフィールド及びＭＵ  Ｅｘｃｌｕｓｉｖｅ  Ｂｅａｍｆｏｒｍｉｎｇ  Ｒｅｐｏｒｔフィールドの存在可否及び内容（ｃｏｎｔｅｎｔ）は、ＶＨＴ  ＭＩＭＯ  Ｃｏｎｔｒｏｌフィールドのフィードバックタイプ（Ｆｅｅｄｂａｃｋ  Ｔｙｐｅ）サブフィールド、残余フィードバックセグメント（Ｒｅｍａｉｎｉｎｇ  Ｆｅｅｄｂａｃｋ  Ｓｅｇｍｅｎｔｓ）サブフィールド、１番目フィードバックセグメント（Ｆｉｒｓｔ  Ｆｅｅｄｂａｃｋ  Ｓｅｇｍｅｎｔ）サブフィールドの値で応じて決定されることができる。
【０２９７】
以下、ＶＨＴ  ＭＩＭＯ  Ｃｏｎｔｒｏｌフィールド、ＶＨＴ  Ｃｏｍｐｒｅｓｓｅｄ  Ｂｅａｍｆｏｒｍｉｎｇ  Ｒｅｐｏｒｔフィールド、及びＭＵ  Ｅｘｃｌｕｓｉｖｅ  Ｂｅａｍｆｏｒｍｉｎｇ  Ｒｅｐｏｒｔフィールドについてより具体的に説明する。
【０２９８】
１）ＶＨＴ  ＭＩＭＯ  Ｃｏｎｔｒｏｌフィールドは、Ｎｃインデックス（Ｎｃ  Ｉｎｄｅｘ）サブフィールド、Ｎｒインデックス（Ｎｒ  Ｉｎｄｅｘ）サブフィールド、チャネル幅（Ｃｈａｎｎｅｌ  Ｗｉｄｔｈ）サブフィールド、グルーピング（Ｇｒｏｕｐｉｎｇ）サブフィールド、コードブック情報（Ｃｏｄｅｂｏｏｋ  Ｉｎｆｏｒｍａｔｉｏｎ）サブフィールド、フィードバックタイプ（Ｆｅｅｄｂａｃｋ  Ｔｙｐｅ）サブフィールド、残余フィードバックセグメント（Ｒｅｍａｉｎｉｎｇ  Ｆｅｅｄｂａｃｋ  Ｓｅｇｍｅｎｔｓ）サブフィールド、１番目フィードバックセグメント（Ｆｉｒｓｔ  Ｆｅｅｄｂａｃｋ  Ｓｅｇｍｅｎｔ）サブフィールド、予備（ｒｅｓｅｒｖｅｄ）サブフィールド、及びサウンディングダイアログトークン番号（Ｓｏｕｎｄｉｎｇ  Ｄｉａｌｏｇ  Ｔｏｋｅｎ  Ｎｕｍｂｅｒ）サブフィールドで構成される。
【０２９９】
表６は、ＶＨＴ  ＭＩＭＯ  Ｃｏｎｔｒｏｌフィールドのサブフィールドを表す。
【０３００】
【表６−１】
0006430635.tif 000017
【表６−２】
0006430635.tif 000018
【０３０１】
ＶＨＴ  Ｃｏｍｐｒｅｓｓｅｄ  ＢｅａｍｆｏｒｍｉｎｇフレームがＶＨＴ  Ｃｏｍｐｒｅｓｓｅｄ  Ｂｅａｍｆｏｒｍｉｎｇ  Ｒｅｐｏｒｔフィールドの全部または一部を伝達しない場合、Ｎｃ  Ｉｎｄｅｘサブフィールド、Ｃｈａｎｎｅｌ  Ｗｉｄｔｈサブフィールド、Ｇｒｏｕｐｉｎｇサブフィールド、Ｃｏｄｅｂｏｏｋ  Ｉｎｆｏｒｍａｔｉｏｎサブフィールド、Ｆｅｅｄｂａｃｋ  Ｔｙｐｅサブフィールド、及びＳｏｕｎｄｉｎｇ  Ｄｉａｌｏｇ  Ｔｏｋｅｎ  Ｎｕｍｂｅｒサブフィールドは予備フィールドに設定され、Ｆｉｒｓｔ  Ｆｅｅｄｂａｃｋ  Ｓｅｇｍｅｎｔサブフィールドは「０」に設定され、Ｒｅｍａｉｎｉｎｇ  Ｆｅｅｄｂａｃｋ  Ｓｅｇｍｅｎｔｓサブフィールドは「７」に設定される。
【０３０２】
Ｓｏｕｎｄｉｎｇ  Ｄｉａｌｏｇ  Ｔｏｋｅｎ  Ｎｕｍｂｅｒサブフィールドは、サウンディングシーケンス番号（Ｓｏｕｎｄｉｎｇ  Ｓｅｑｕｅｎｃｅ  Ｎｕｍｂｅｒ）サブフィールドと呼ばれることもできる。
【０３０３】
２）ＶＨＴ  ｃｏｍｐｒｅｓｓｅｄ  ｂｅａｍｆｏｒｍｉｎｇ  ｒｅｐｏｒｔフィールドは、送信Ｂｅａｍｆｏｒｍｅｒがステアリング行列（ｓｔｅｅｒｉｎｇ  ｍａｔｉｘ）「Ｑ」を決定するために使用する圧縮されたビームフォーミングフィードバック行列（ｃｏｍｐｏｒｅｓｓｅｄ  ｂｅａｍｆｏｒｍｉｎｇ  ｆｅｅｄｂａｃｋ  ｍａｔｒｉｘ）「Ｖ」を角度の形態で表した明示的なフィードバック情報を伝達するために使用される。
【０３０４】
表７は、ＶＨＴ  ｃｏｍｐｒｅｓｓｅｄ  ｂｅａｍｆｏｒｍｉｎｇ  ｒｅｐｏｒｔフィールドのサブフィールドを表す。
【０３０５】
【表７】
0006430635.tif 000019
【０３０６】
表７に示すように、ＶＨＴ  ｃｏｍｐｒｅｓｓｅｄ  ｂｅａｍｆｏｒｍｉｎｇ  ｒｅｐｏｒｔフィールドでは、時空間ストリームの各々に対する平均ＳＮＲとそれぞれのサブキャリアに対する圧縮されたビームフォーミングフィードバック行列（Ｃｏｍｐｒｅｓｓｅｄ  ｂｅａｍｆｏｒｍｉｎｇ  ｆｅｅｄｂａｃｋ  ｍａｔｒｉｘ）「Ｖ」とが含まれ得る。圧縮されたビームフォーミングフィードバック行列は、チャネル状況に関する情報を含む行列であって、ＭＩＭＯを使用した送信方法でチャネル行列（すなわち、ステアリング行列（ｓｔｅｅｒｉｎｇ  ｍａｔｉｘ）「Ｑ」）を算出するために使用される。
【０３０７】
ｓｃｉｄｘ（）は、Ｃｏｍｐｒｅｓｓｅｄ  Ｂｅａｍｆｏｒｍｉｎｇ  Ｆｅｅｄｂａｃｋ  Ｍａｔｒｉｘサブフィールドが送信されるサブキャリアを意味する。Ｎａは、Ｎｒ×Ｎｃ値でより固定される（例えば、Ｎｒ×Ｎｃ＝２×１である場合、Φ１１、Ψ２１、．．．）。
【０３０８】
Ｎｓは、Ｂｅａｍｆｏｒｍｅｒに圧縮されたビームフォーミングフィードバック行列が送信されるサブキャリアの個数を意味する。Ｂｅａｍｆｏｒｍｅｅは、グルーピング方法を使用して圧縮されたビームフォーミングフィードバック行列が送信されるＮｓの数を減らすことができる。例えば、複数のサブキャリアを１つのグループに束ね、当該グループ別に圧縮されたビームフォーミングフィードバック行列を送信することにより、フィードバックされる圧縮されたビームフォーミングフィードバック行列の個数を減らすことができる。Ｎｓは、ＶＨＴ  ＭＩＭＯ  Ｃｏｎｔｒｏｌフィールドに含まれたＣｈａｎｎｅｌ  ＷｉｄｔｈサブフィールドとＧｒｏｕｐｉｎｇサブフィールドから算出されることができる。
【０３０９】
表８は、時空間ストリームの平均ＳＮＲ（Ａｖｅｒａｇｅ  ＳＮＲ  ｏｆ  Ｓｐａｃｅ−Ｔｉｍｅ）Ｓｔｒｅａｍサブフィールドを例示する。
【０３１０】
【表８】
0006430635.tif 000020
【０３１１】
表８に示すように、時空間ストリームの各々に対する平均ＳＮＲは、チャネルに含まれるサブキャリア全体に対する平均ＳＮＲ値を算出して、その値を−１２８〜＋１２８範囲にマッピングして算出される。
【０３１２】
３）ＭＵ  Ｅｘｃｌｕｓｉｖｅ  Ｂｅａｍｆｏｒｍｉｎｇ  Ｒｅｐｏｒｔフィールドは、デルタ（）ＳＮＲの形態で表した明示的なフィードバック情報を伝達するために使用される。ＶＨＴ  Ｃｏｍｐｒｅｓｓｅｄ  Ｂｅａｍｆｏｒｍｉｎｇ  Ｒｅｐｏｒｔフィールド及びＭＵ  Ｅｘｃｌｕｓｉｖｅ  Ｂｅａｍｆｏｒｍｉｎｇ  Ｒｅｐｏｒｔフィールド内の情報は、ＭＵ  Ｂｅａｍｆｏｒｍｅｒがステアリング行列（ｓｔｅｅｒｉｎｇ  ｍａｔｉｘ）「Ｑ」を決定するために使用され得る。
【０３１３】
表９は、ＶＨＴ  ｃｏｍｐｒｅｓｓｅｄ  ｂｅａｍｆｏｒｍｉｎｇフレームに含まれるＭＵ  Ｅｘｃｌｕｓｉｖｅ  Ｂｅａｍｆｏｒｍｉｎｇ  Ｒｅｐｏｒｔフィールドのサブフィールドを表す。
【０３１４】
【表９】
0006430635.tif 000021
【０３１５】
表９に示すように、ＭＵ  Ｅｘｃｌｕｓｉｖｅ  Ｂｅａｍｆｏｒｍｉｎｇ  Ｒｅｐｏｒｔフィールドでは、サブキャリア別に時空間ストリーム当たりＳＮＲが含まれ得る。
【０３１６】
各Ｄｅｌｔａ  ＳＮＲサブフィールドは、−８ｄＢから７ｄＢまでの間で１ｄＢずつ増加される値を有する。
【０３１７】
ｓｃｉｄｘ（）は、Ｄｅｌｔａ  ＳＮＲサブフィールドが送信されるサブキャリア（等）を意味し、Ｎｓは、ＢｅａｍｆｏｒｍｅｒにＤｅｌｔａ  ＳＮＲサブフィールドが送信されるサブキャリアの数を意味する。
【０３１８】
図１５は、本発明が適用され得る無線通信システムにおけるビームフォーミング報告ポール（Ｂｅａｍｆｏｒｍｉｎｇ  Ｒｅｐｏｒｔ  Ｐｏｌｌ）フレームフォーマットを例示する図である。
【０３１９】
図１５に示すように、Ｂｅａｍｆｏｒｍｉｎｇ  Ｒｅｐｏｒｔ  Ｐｏｌｌフレームは、フレーム制御（Ｆｒａｍｅ  Ｃｏｎｔｒｏｌ）フィールド、持続時間（Ｄｕｒａｔｉｏｎ）フィールド、ＲＡ（Ｒｅｃｅｉｖｉｎｇ  Ａｄｄｒｅｓｓ）フィールド、ＴＡ（Ｔｒａｎｓｍｉｔｔｉｎｇ  Ａｄｄｒｅｓｓ）フィールド、フィードバックセグメント再送信ビットマップ（Ｆｅｅｄｂａｃｋ  Ｓｅｇｍｅｎｔ  Ｒｅｔｒａｎｓｍｉｓｓｉｏｎ  Ｂｉｔｍａｐ）フィールド、及びＦＣＳを含んで構成される。
【０３２０】
ＲＡフィールド値は、対象受信者（ｉｎｔｅｎｄｅｄ  ｒｅｃｉｐｉｅｎｔ）の住所を表す。
【０３２１】
ＴＡフィールド値は、Ｂｅａｍｆｏｒｍｉｎｇ  Ｒｅｐｏｒｔ  Ｐｏｌｌフレームを送信するＳＴＡの住所またはＴＡをシグナリングする帯域幅を表す。
【０３２２】
Ｆｅｅｄｂａｃｋ  Ｓｅｇｍｅｎｔ  Ｒｅｔｒａｎｓｍｉｓｓｉｏｎ  Ｂｉｔｍａｐフィールドは、ＶＨＴ圧縮されたビームフォーミング報告（ＶＨＴ  Ｃｏｍｐｒｅｓｓｅｄ  Ｂｅａｍｆｏｒｍｉｎｇ  ｒｅｐｏｒｔ）で要求されるフィードバックセグメントを指示する。
【０３２３】
Ｆｅｅｄｂａｃｋ  Ｓｅｇｍｅｎｔ  Ｒｅｔｒａｎｓｍｉｓｓｉｏｎ  Ｂｉｔｍａｐフィールド値で位置ｎのビットが「１」であれば、（ＬＳＢである場合、ｎ＝０、ＭＳＢである場合、ｎ＝７）、ＶＨＴ  ｃｏｍｐｒｅｓｓｅｄ  ｂｅａｍｆｏｒｍｉｎｇフレームのＶＨＴ  ＭＩＭＯ  Ｃｏｎｔｒｏｌフィールド内のＲｅｍａｉｎｉｎｇ  Ｆｅｅｄｂａｃｋ  Ｓｅｇｍｅｎｔｓサブフィールドでｎと相応するフィードバックセグメントが要求される。それに対し、位置ｎのビットが「０」であれば、ＶＨＴ  ＭＩＭＯ  Ｃｏｎｔｒｏｌフィールド内のＲｅｍａｉｎｉｎｇ  Ｆｅｅｄｂａｃｋ  Ｓｅｇｍｅｎｔｓサブフィールドでｎと相応するフィードバックセグメントが要求されない。
【０３２４】
グループ識別子（Ｇｒｏｕｐ  ＩＤ）
ＶＨＴ  ＷＬＡＮシステムは、より高い処理率のために、ＭＵ−ＭＩＭＯ送信方法を支援するので、ＡＰは、ＭＩＭＯペアリングされた少なくとも１つ以上のＳＴＡに同時にデータフレームを送信できる。ＡＰは、自分と結合（ａｓｓｏｃｉａｔｉｏｎ）されている複数のＳＴＡのうち、少なくとも１つ以上のＳＴＡを含むＳＴＡグループにデータを同時に送信することができる。例えば、ペアリングされたＳＴＡの数は、最大４個でありうるし、最大空間ストリーム数が８個であるとき、各ＳＴＡには、最大４個の空間ストリームが割り当てられ得る。
【０３２５】
また、ＴＤＬＳ（Ｔｕｎｎｅｌｅｄ  Ｄｉｒｅｃｔ  Ｌｉｎｋ  Ｓｅｔｕｐ）やＤＬＳ（Ｄｉｒｅｃｔ  Ｌｉｎｋ  Ｓｅｔｕｐ）、メッシュネットワーク（ｍｅｓｈ  ｎｅｔｗｏｒｋ）を支援するＷＬＡＮシステムでは、データを送信しようとするＳＴＡがＭＵ−ＭＩＭＯ送信技法を使用してＰＰＤＵを複数のＳＴＡに送信することができる。
【０３２６】
以下、ＡＰが複数のＳＴＡにＭＵ−ＭＩＭＯ送信技法によってＰＰＤＵを送信することを例に挙げて説明する。
【０３２７】
ＡＰは、ペアリングされた送信対象ＳＴＡグループに属するＳＴＡに互いに異なる空間ストリーム（ｓｐａｔｉａｌ  ｓｔｒｅａｍ）を介してＰＰＤＵを同時に送信する。上述したように、ＶＨＴ  ＰＰＤＵフォーマットのＶＨＴ−ＳＩＧ  Ａフィールドは、グループＩＤ情報及び時空間ストリーム情報を含み、各ＳＴＡは、自分に送信されるＰＰＤＵであるか確認することができる。このとき、送信対象ＳＴＡグループの特定ＳＴＡには空間ストリームが割り当てられず、データが送信されないこともある。
【０３２８】
１つ以上のＧｒｏｕｐ  ＩＤに相応するユーザ位置（ｕｓｅｒ  ｐｏｓｉｔｉｏｎ）を割当（ａｓｓｉｇｎｍｅｎｔ）したり、または変更（ｃｈａｎｇｅ）するために、グループＩＤ管理（Ｇｒｏｕｐ  ＩＤ  Ｍａｎａｇｅｍｅｎｔ）フレームが用いられる。すなわち、ＡＰは、ＭＵ−ＭＩＭＯ送信を行う前に、Ｇｒｏｕｐ  ＩＤ  Ｍａｎａｇｅｍｅｎｔフレームを介して特定グループＩＤと連結されたＳＴＡを知らせることができる。
【０３２９】
図１６は、本発明が適用され得る無線通信システムにおけるＧｒｏｕｐ  ＩＤ  Ｍａｎａｇｅｍｅｎｔフレームを例示する図である。
【０３３０】
図１６に示すように、Ｇｒｏｕｐ  ＩＤ  Ｍａｎａｇｅｍｅｎｔフレームは、ＶＨＴ機能を支援するためのＶＨＴ動作（ＶＨＴ  Ａｃｔｉｏｎ）フレームであって、Ｆｒａｍｅ  ＢｏｄｙにＡｃｔｉｏｎフィールドを含む。Ａｃｔｉｏｎフィールドは、ＭＡＣフレームのＦｒａｍｅ  Ｂｏｄｙに含まれて、拡張された管理動作を明示するためのメカニズムを提供する。
【０３３１】
Ａｃｔｉｏｎフィールドは、カテゴリー（Ｃａｔｅｇｏｒｙ）フィールド、ＶＨＴ動作（ＶＨＴ  Ａｃｔｉｏｎ）フィールド、メンバーシップ状態アレイ（Ｍｅｍｂｅｒｓｈｉｐ  Ｓｔａｔｕｓ  Ａｒｒａｙ）フィールド、及びユーザ位置アレイ（Ｕｓｅｒ  ｐｏｓｉｔｉｏｎ  Ａｒｒａｙ）フィールドで構成される。
【０３３２】
Ｃａｔｅｇｏｒｙフィールドは、ＶＨＴカテゴリー（すなわち、ＶＨＴ  Ａｃｔｉｏｎフレーム）を指示する値に設定され、ＶＨＴ  Ａｃｔｉｏｎフィールドは、Ｇｒｏｕｐ  ＩＤ  Ｍａｎａｇｅｍｅｎｔフレームを指示する値に設定される。
【０３３３】
Ｍｅｍｂｅｒｓｈｉｐ  Ｓｔａｔｕｓ  Ａｒｒａｙフィールドは、各グループ別に１ビットのメンバーシップ状態（Ｍｅｍｂｅｒｓｈｉｐ  Ｓｔａｔｕｓ）サブフィールドで構成される。Ｍｅｍｂｅｒｓｈｉｐ  Ｓｔａｔｕｓサブフィールドが「０」に設定されれば、ＳＴＡが当該グループのメンバーでないことを表し、「１」に設定されれば、ＳＴＡが当該グループのメンバーであることを表す。ＳＴＡは、Ｍｅｍｂｅｒｓｈｉｐ  Ｓｔａｔｕｓ  Ａｒｒａｙフィールド内の１つ以上のＭｅｍｂｅｒｓｈｉｐ  Ｓｔａｔｕｓサブフィールドが「１」に設定されることにより、１つ以上のグループが割り当てられ得る。
【０３３４】
ＳＴＡは、自分が属した各グループで１つのユーザ位置（ｕｓｅｒ  ｐｏｓｉｔｉｏｎ）を有することができる。
【０３３５】
Ｕｓｅｒ  ｐｏｓｉｔｉｏｎ  Ａｒｒａｙフィールドは、各グループ別に２ビットのユーザ位置（Ｕｓｅｒ  ｐｏｓｉｔｉｏｎ）サブフィールドで構成される。自分が属したグループ内でＳＴＡのユーザ位置（ｕｓｅｒ  ｐｏｓｉｔｉｏｎ）は、Ｕｓｅｒ  ｐｏｓｉｔｉｏｎ  Ａｒｒａｙフィールド内のＵｓｅｒ  ｐｏｓｉｔｉｏｎサブフィールドにより指示される。ＡＰは、各グループで同じユーザ位置（ｕｓｅｒ  ｐｏｓｉｔｉｏｎ）を互いに異なるＳＴＡに割り当てることができる。
【０３３６】
ＡＰは、ｄｏｔ１１ＶＨＴＯｐｔｉｏｎＩｍｐｌｅｍｅｎｔｅｄパラメータが「ｔｒｕｅ」である場合のみに、Ｇｒｏｕｐ  ＩＤ  Ｍａｎａｇｅｍｅｎｔフレームを送信できる。Ｇｒｏｕｐ  ＩＤ  Ｍａｎａｇｅｍｅｎｔフレームは、ＶＨＴ能力要素（ＶＨＴ  Ｃａｐａｂｉｌｉｔｉｅｓ  ｅｌｅｍｅｎｔ）フィールド内のＭＵ  Ｂｅａｍｆｏｒｍｅｅ  Ｃａｐａｂｌｅフィールドが「１」に設定されたＶＨＴ  ＳＴＡのみに送信される。Ｇｒｏｕｐ  ＩＤ  Ｍａｎａｇｅｍｅｎｔフレームは、各ＳＴＡにアドレスされた（ａｄｄｒｅｓｓｅｄ）フレームに送信される。
【０３３７】
ＳＴＡは、自分のＭＡＣ住所とマッチングされるＲＡフィールドを有するＧｒｏｕｐ  ＩＤ  Ｍａｎａｇｅｍｅｎｔフレームを受信する。ＳＴＡは、受信したＧｒｏｕｐ  ＩＤ  Ｍａｎａｇｅｍｅｎｔフレームの内容に基づいてＰＨＹＣＯＮＦＩＧ＿ＶＥＣＴＯＲパラメータであるＧＲＯＵＰ＿ＩＤ＿ＭＡＮＡＧＥＭＥＮＴをアップデートする。
【０３３８】
ＳＴＡへのＧｒｏｕｐ  ＩＤ  Ｍａｎａｇｅｍｅｎｔフレームの送信及びそれに対するＳＴＡからのＡＣＫの送信は、ＳＴＡにＭＵ  ＰＰＤＵを送信する前に完了する。
【０３３９】
ＭＵ  ＰＰＤＵは、最も最近にＳＴＡに送信され、ＡＣＫが受信されたＧｒｏｕｐ  ＩＤ  Ｍａｎａｇｅｍｅｎｔフレームの内容に基づいてＳＴＡに送信される。
【０３４０】
ダウンリンクＭＵ-ＭＩＭＯフレーム（ＤＬ  ＭＵ-ＭＩＭＯ  Ｆｒａｍｅ）
図１７は、本発明が適用され得る無線通信システムにおけるダウンリンク多重ユーザ（ｍｕｌｔｉ-ｕｓｅｒ）ＰＰＤＵフォーマットを例示する図である。
【０３４１】
図１７に示すように、ＰＰＤＵは、プリアンブル及びデータフィールド（Ｄａｔａ  ｆｉｅｌｄ）を含んで構成される。データフィールドは、サービスフィールド（ＳＥＲＶＩＣＥ  ｆｉｅｌｄ）、スクランブルされたＰＳＤＵ（ｓｃｒａｍｂｌｅｄ  ＰＳＤＵ）フィールド、テールビット（Ｔａｉｌ  ｂｉｔｓ）、パディングビット（ｐａｄｄｉｎｇ  ｂｉｔｓ）を含むことができる。
【０３４２】
ＡＰは、ＭＰＤＵを併合（ａｇｇｒｅｇａｔｉｏｎ）してＡ-ＭＰＤＵ（ａｇｇｒｅｇａｔｅｄ  ＭＰＤＵ）フォーマットでデータフレームを送信できる。この場合、スクランブルされたＰＳＤＵ（ｓｃｒａｍｂｌｅｄ  ＰＳＤＵ）フィールドは、Ａ-ＭＰＤＵから構成されることができる。
【０３４３】
Ａ-ＭＰＤＵは、１つ以上のＡ-ＭＰＤＵサブフレーム（Ａ-ＭＰＤＵ  ｓｕｂｆｒａｍｅ）の配列（ｓｅｑｕｅｎｃｅ）から構成される。
【０３４４】
ＶＨＴ  ＰＰＤＵの場合、各Ａ-ＭＰＤＵサブフレームの長さが４オクテットの倍数であるから、Ａ-ＭＰＤＵは、ＰＳＤＵの最後のオクテットにＡ-ＭＰＤＵを合わせるために、最後のＡ-ＭＰＤＵサブフレーム（Ａ-ＭＰＤＵ  ｓｕｂｆｒａｍｅ）以後に０ないし３オクテットのＥＯＦ（ｅｎｄ-ｏｆ-ｆｒａｍｅ）パッド（ｐａｄ）を含むことができる。
【０３４５】
Ａ-ＭＰＤＵサブフレームは、ＭＰＤＵディリミター（ｄｅｌｉｍｉｔｅｒ）から構成され、選択的にＭＰＤＵがＭＰＤＵディリミター（Ｄｅｌｉｍｉｔｅｒ）以後に含まれることができる。また、１つのＡ-ＭＰＤＵ内の最後のＡ-ＭＰＤＵサブフレームを除いて、各Ａ-ＭＰＤＵサブフレームの長さを４オクテットの倍数にするために、パッドオクテットがＭＰＤＵ以後に付着される。
【０３４６】
ＭＰＤＵ  Ｄｅｌｉｍｉｔｅｒは、予備（Ｒｅｓｅｒｖｅｄ）フィールド、ＭＰＤＵ長さ（ＭＰＤＵ  Ｌｅｎｇｔｈ）フィールド、ＣＲＣ（ｃｙｃｌｉｃ  ｒｅｄｕｎｄａｎｃｙ  ｃｈｅｃｋ）フィールド、ディリミターシグネチャー（Ｄｅｌｉｍｉｔｅｒ  Ｓｉｇｎａｔｕｒｅ）フィールドから構成される。
【０３４７】
ＶＨＴ  ＰＰＤＵの場合、ＭＰＤＵ  Ｄｅｌｉｍｉｔｅｒは、ＥＯＦ（ｅｎｄ-ｏｆ-ｆｒａｍｅ）フィールドをさらに含むことができる。ＭＰＤＵ  Ｌｅｎｇｔｈフィールドが０でパディングするために使用されるＡ-ＭＰＤＵサブフレーム、またはＡ-ＭＰＤＵが１つのＭＰＤＵだけから構成される場合、当該ＭＰＤＵが載せられるＡ-ＭＰＤＵサブフレームの場合、ＥＯＦフィールドは、「１」にセットされる。そうでない場合、「０」にセットされる。
【０３４８】
ＭＰＤＵ  Ｌｅｎｇｔｈフィールドは、ＭＰＤＵの長さに対する情報を含む。
【０３４９】
当該Ａ−ＭＰＤＵサブフレームにＭＰＤＵが存在しない場合、「０」にセットされる。ＭＰＤＵ  Ｌｅｎｇｔｈフィールドが「０」値を有するＡ-ＭＰＤＵサブフレームは、ＶＨＴ  ＰＰＤＵ内の可用オクテットにＡ-ＭＰＤＵを合わせるために、当該Ａ−ＭＰＤＵにパディングする時に使用される。
【０３５０】
ＣＲＣフィールドは、エラーチェックのためのＣＲＣ情報、Ｄｅｌｉｍｉｔｅｒ  Ｓｉｇｎａｔｕｒｅフィールドは、ＭＰＤＵディリミターを検索するために使用されるパターン情報を含む。
【０３５１】
そして、ＭＰＤＵは、ＭＡＣヘッダ（ＭＡＣ  Ｈｅａｄｅｒ）、フレーム本体（Ｆｒａｍｅ  Ｂｏｄｙ）及びフレームチェックシーケンス（ＦＣＳ）から構成される。
【０３５２】
図１８は、本発明が適用され得る無線通信システムにおけるダウンリンク多重ユーザ（ｍｕｌｔｉ-ｕｓｅｒ）ＰＰＤＵフォーマットを例示する図である。
【０３５３】
図１８は、当該ＰＰＤＵを受信するＳＴＡの数が３個であり、各ＳＴＡに割り当てられる空間的ストリーム（ｓｐａｔｉａｌ  ｓｔｒｅａｍ）の数が１であると仮定するが、ＡＰにペアリングされたＳＴＡの数、各ＳＴＡに割り当てられる空間的ストリームの数は、これに限定されない。
【０３５４】
図１８に示すように、ＭＵ  ＰＰＤＵは、Ｌ-ＴＦｓフィールド（Ｌ-ＳＴＦフィールド及びＬ-ＬＴＦフィールド）、Ｌ-ＳＩＧフィールド、ＶＨＴ-ＳＩＧ-Ａフィールド、ＶＨＴ-ＴＦｓフィールド（ＶＨＴ-ＳＴＦフィールド及びＶＨＴ-ＬＴＦフィールド）、ＶＨＴ-ＳＩＧ-Ｂフィールド、Ｓｅｒｖｉｃｅフィールド、１つ以上のＰＳＤＵ、ｐａｄｄｉｎｇフィールド及びＴａｉｌビットを含んで構成される。Ｌ-ＴＦｓフィールド、Ｌ-ＳＩＧフィールド、ＶＨＴ-ＳＩＧ-Ａフィールド、ＶＨＴ-ＴＦｓフィールド、ＶＨＴ-ＳＩＧ-Ｂフィールドは、先の図４の例示と同様であるから、以下の詳細な説明は省略する。
【０３５５】
ＰＰＤＵ持続期間を指示するための情報がＬ-ＳＩＧフィールドに含まれることができる。ＰＰＤＵ内で、Ｌ-ＳＩＧフィールドにより指示されたＰＰＤＵ持続期間は、ＶＨＴ-ＳＩＧ-Ａフィールドが割り当てられたシンボル、ＶＨＴ-ＴＦｓフィールドが割り当てられたシンボル、ＶＨＴ-ＳＩＧ-Ｂフィールドが割り当てられたフィールド、Ｓｅｒｖｉｃｅフィールドを構成するビット、ＰＳＤＵを構成するビット、ｐａｄｄｉｎｇフィールドを構成するビット及びＴａｉｌフィールドを構成するビットを含む。ＰＰＤＵを受信するＳＴＡは、Ｌ-ＳＩＧフィールドに含まれたＰＰＤＵ持続時間を指示する情報を介して、ＰＰＤＵの持続期間に対する情報を取得できる。
【０３５６】
上述のように、ＶＨＴ-ＳＩＧ-Ａを介してＧｒｏｕｐ  ＩＤ情報、各ユーザ当たりの時空間ストリーム数情報が送信され、ＶＨＴ-ＳＩＧ-Ｂを介してコーディング（ｃｏｄｉｎｇ）方法及びＭＣＳ情報などが送信される。したがって、Ｂｅａｍｆｏｒｍｅｒは、ＶＨＴ-ＳＩＧ-ＡとＶＨＴ-ＳＩＧ-Ｂを確認し、自分が属したＭＵ  ＭＩＭＯフレームであるかどうかが分かる。したがって、当該Ｇｒｏｕｐ  ＩＤのメンバーＳＴＡでないか、または当該Ｇｒｏｕｐ  ＩＤのメンバーであるが割り当てられたストリーム数が「０」であるＳＴＡは、ＶＨＴ-ＳＩＧ-Ａフィールド以後からＰＰＤＵ終わりまで物理層の受信を中断するように設定することによって、電力消費を低減することができる。
【０３５７】
Ｇｒｏｕｐ  ＩＤは、予めＢｅａｍｆｏｒｍｅｒが送信するＧｒｏｕｐ  ＩＤ  Ｍａｎａｇｅｍｅｎｔフレームを受信することによって、ＢｅａｍｆｏｒｍｅｒがどんなＭＵグループに属しているか、自分が属するグループの中で何番目のユーザであるか、すなわちどんなストリームを介してＰＰＤＵを受信しているかが分かる。
【０３５８】
８０２．１１ａｃに基づくＶＨＴ  ＭＵ  ＰＰＤＵ内の送信されるすべてのＭＰＤＵは、Ａ-ＭＰＤＵに含まれる。図１８のデータフィールドにおいて各ＶＨＴＡ-ＭＰＤＵは、互いに異なるストリームに送信されることができる。
【０３５９】
図１８において、各ＳＴＡに送信されるデータのサイズが相違することができるので、各々のＡ-ＭＰＤＵは、互いに異なるビットサイズを有することができる。
【０３６０】
この場合、Ｂｅａｍｆｏｒｍｅｒが送信する複数のデータフレームの送信が終了する時間は、最大区間送信データフレームの送信が終了する時間と同様になるように、ヌルパディング（ｎｕｌｌ  ｐａｄｄｉｎｇ）を行うことができる。最大区間送信データフレームは、Ｂｅａｍｆｏｒｍｅｒにより有効ダウンリンクデータが最も長い間の区間の間に送信されるフレームでありうる。有効ダウンリンクデータは、ヌルパディングされないダウンリンクデータでありうる。例えば、有効ダウンリンクデータは、Ａ-ＭＰＤＵに含まれて送信されることができる。複数のデータフレームのうち、最大区間送信データフレームを除いた残りのデータフレームは、ヌルパディングを行うことができる。
【０３６１】
ヌルパディングのために、Ｂｅａｍｆｏｒｍｅｒは、Ａ-ＭＰＤＵフレーム内の複数のＡ-ＭＰＤＵサブフレームにおいて時間的に後順位に位置した１つ以上のＡ-ＭＰＤＵサブフレームをＭＰＤＵ  Ｄｅｌｉｍｉｔｅｒフィールドだけでエンコードして満たすことができる。ＭＰＤＵ長が０であるＡ-ＭＰＤＵサブフレームをヌルサブフレーム（Ｎｕｌｌ  ｓｕｂｆｒａｍｅ）と呼ぶことができる。
【０３６２】
上述のように、ヌルサブフレームは、ＭＰＤＵ  ＤｅｌｉｍｉｔｅｒのＥＯＦフィールドが「１」にセットされる。したがって、受信側ＳＴＡのＭＡＣ層では、１にセットされたＥＯＦフィールドを感知すると、物理層に受信を中断するように設定することによって、電力消費を低減できる。
【０３６３】
ブロックＡＣＫ（Ｂｌｏｃｋ  Ａｃｋ）手順
図１９は、本発明が適用され得る無線通信システムにおける下向きリンクＭＵ−ＭＩＭＯ送信過程を例示する図である。
【０３６４】
８０２．１１ａｃでは、ＭＵ−ＭＩＭＯは、ＡＰからクライアント（すなわち、ｎｏｎ−ＡＰ  ＳＴＡ）に向ける下向きリンクで定義される。このとき、多重ユーザフレーム（ｍｕｌｔｉ−ｕｓｅｒ  ｆｒａｍｅ）は、多重受信者に同時に送信されるが、受信確認（ａｃｋｎｏｗｌｅｄｇｅｍｅｎｔ）は、上向きリンクで個別的に送信されなければならない。
【０３６５】
８０２．１１ａｃに基づくＶＨＴ  ＭＵ  ＰＰＤＵ内の送信される全てのＭＰＤＵは、Ａ−ＭＰＤＵに含まれるので、ＶＨＴ  ＭＵ  ＰＰＤＵに対する即時的な応答でない、ＶＨＴ  ＭＵ  ＰＰＤＵ内のＡ−ＭＰＤＵに対する応答は、ＡＰによるブロックＡＣＫ要求（ＢＡＲ：Ｂｌｏｃｋ  Ａｃｋ  Ｒｅｑｕｅｓｔ）フレームに対する応答として送信される。
【０３６６】
まず、ＡＰは、全ての受信者（すなわち、ＳＴＡ１、ＳＴＡ２、ＳＴＡ３）にＶＨＴ  ＭＵ  ＰＰＤＵ（すなわち、プリアンブル及びデータ）を送信する。ＶＨＴ  ＭＵ  ＰＰＤＵは、各ＳＴＡに送信されるＶＨＴ  Ａ−ＭＰＤＵを含む。
【０３６７】
ＡＰからＶＨＴ  ＭＵ  ＰＰＤＵを受信したＳＴＡ１は、ＳＩＦＳ以後にブロックＡＣＫ（ＢＡ：Ｂｌｏｃｋ  Ａｃｋｎｏｗｌｅｄｇｅｍｅｎｔ）フレームをＡＰに送信する。ＢＡフレームについてのより詳細な説明は後述する。
【０３６８】
ＳＴＡ１からＢＡを受信したＡＰは、ＳＩＦＳ以後にＢＡＲ（ｂｌｏｃｋ  ａｃｋｎｏｗｌｅｄｇｅｍｅｎｔ  ｒｅｑｕｅｓｔ）フレームを次のＳＴＡ２に送信し、ＳＴＡ２は、ＳＩＦＳ以後にＢＡフレームをＡＰに送信する。ＳＴＡ２からＢＡフレームを受信したＡＰは、ＳＩＦＳ以後にＢＡＲフレームをＳＴＡ３に送信し、ＳＴＡ３は、ＳＩＦＳ以後にＢＡフレームをＡＰに送信する。
【０３６９】
このような過程が全てのＳＴＡに対して行われれば、ＡＰは、次のＭＵ  ＰＰＤＵを全てのＳＴＡに送信する。
【０３７０】
ＡＣＫ（Ａｃｋｎｏｗｌｅｄｇｅｍｅｎｔ）／ブロックＡＣＫ（Ｂｌｏｃｋ  Ａｃｋ）フレーム
一般に、ＭＰＤＵの応答としてＡＣＫフレームを使用し、Ａ−ＭＰＤＵの応答としてブロックＡＣＫフレームを使用する。
【０３７１】
図２０は、本発明が適用され得る無線通信システムにおけるＡＣＫフレームを例示する図である。
【０３７２】
図２０に示すように、ＡＣＫフレームは、フレーム制御（Ｆｒａｍｅ  Ｃｏｎｔｒｏｌ）フィールド、持続期間（Ｄｕｒａｔｉｏｎ）フィールド、ＲＡフィールド、及びＦＣＳで構成される。
【０３７３】
ＲＡフィールドは、直前に受信されたデータ（Ｄａｔａ）フレーム、管理（Ｍａｎａｇｅｍｅｎｔ）フレーム、ブロックＡＣＫ要求（Ｂｌｏｃｋ  Ａｃｋ  Ｒｅｑｕｅｓｔ）フレーム、ブロックＡＣＫ（Ｂｌｏｃｋ  Ａｃｋ）フレーム、またはＰＳ−Ｐｏｌｌフレームの第２の住所（Ａｄｄｒｅｓｓ２）フィールドの値に設定される。
【０３７４】
非ＱｏＳ（ｎｏｎ−ＱｏＳ）ＳＴＡによりＡＣＫフレームが送信される場合、直前に受信されたデータ（Ｄａｔａ）フレーム、管理（Ｍａｎａｇｅｍｅｎｔ）フレームのフレーム制御（Ｆｒａｍｅ  Ｃｏｎｔｒｏｌ）フィールド内のモアフラグメント（Ｍｏｒｅ  Ｆｒａｇｍｅｎｔｓ）サブフィールドが「０」であれば、持続期間（ｄｕｒａｔｉｏｎ）値は、「０」に設定される。
【０３７５】
非ＱｏＳ（ｎｏｎ−ＱｏＳ）ＳＴＡにより送信されないＡＣＫフレームでの持続期間（ｄｕｒａｔｉｏｎ）値は、直前に受信されたデータ（Ｄａｔａ）フレーム、管理（Ｍａｎａｇｅｍｅｎｔ）フレーム、ブロックＡＣＫ要求（Ｂｌｏｃｋ  Ａｃｋ  Ｒｅｑｕｅｓｔ）フレーム、ブロックＡＣＫ（Ｂｌｏｃｋ  Ａｃｋ）フレーム、またはＰＳ−ＰｏｌｌフレームのＤｕｒａｔｉｏｎ／ＩＤフィールドでＡＣＫフレーム送信のために要求されるとき間及びＳＩＦＳ区間を差し引いた値（ｍｓ）に設定される。計算された持続期間（ｄｕｒａｔｉｏｎ）値が整数値でない場合、四捨五入される。
【０３７６】
以下、ブロックＡＣＫ（要求）フレームについて説明する。
【０３７７】
図２１は、本発明が適用され得る無線通信システムにおけるブロックＡＣＫ要求（Ｂｌｏｃｋ  Ａｃｋ  Ｒｅｑｕｅｓｔ）フレームを例示する図である。
【０３７８】
図２１に示すように、ブロックＡＣＫ要求（ＢＡＲ）フレームは、フレーム制御（Ｆｒａｍｅ  Ｃｏｎｔｒｏｌ）フィールド、持続期間／識別子（Ｄｕｒａｔｉｏｎ／ＩＤ）フィールド、受信住所（ＲＡ）フィールド、送信住所（ＴＡ）フィールド、ＢＡＲ制御（ＢＡＲ  ｃｏｎｔｒｏｌ）フィールド、ＢＡＲ情報（ＢＡＲ  Ｉｎｆｏｒｍａｔｉｏｎ）フィールド、及びフレームチェックシーケンス（ＦＣＳ）で構成される。
【０３７９】
ＲＡフィールドは、ＢＡＲフレームを受信するＳＴＡの住所で設定されることができる。
【０３８０】
ＴＡフィールドは、ＢＡＲフレームを送信するＳＴＡの住所で設定されることができる。
【０３８１】
ＢＡＲ  ｃｏｎｔｒｏｌフィールドは、ＢＡＲ  Ａｃｋ政策（ＢＡＲ  Ａｃｋ  Ｐｏｌｉｃｙ）サブフィールド、多重−ＴＩＤ（Ｍｕｌｔｉ−ＴＩＤ）サブフィールド、圧縮ビットマップ（Ｃｏｍｐｒｅｓｓｅｄ  Ｂｉｔｍａｐ）サブフィールド、予備（Ｒｅｓｅｒｖｅｄ）サブフィールド、及びＴＩＤ情報（ＴＩＤ＿Ｉｎｆｏ）サブフィールドを含む。
【０３８２】
表１０は、ＢＡＲ  ｃｏｎｔｒｏｌフィールドを例示する表である。
【０３８３】
【表１０】
0006430635.tif 000022
【０３８４】
ＢＡＲ  Ｉｎｆｏｒｍａｔｉｏｎフィールドは、ＢＡＲフレームのタイプによって相違した情報が含まれる。これについて図２２を参照して説明する。
【０３８５】
図２２は、本発明が適用され得る無線通信システムにおけるブロックＡＣＫ要求（Ｂｌｏｃｋ  Ａｃｋ  Ｒｅｑｕｅｓｔ）フレームのＢＡＲ情報（ＢＡＲ  Ｉｎｆｏｒｍａｔｉｏｎ）フィールドを例示する図である。
【０３８６】
図２２（ａ）は、Ｂａｓｉｃ  ＢＡＲフレーム及びＣｏｍｐｒｅｓｓｅｄ  ＢＡＲフレームのＢＡＲ  Ｉｎｆｏｒｍａｔｉｏｎフィールドを例示し、図２２（ｂ）は、Ｍｕｌｔｉ−ＴＩＤ  ＢＡＲフレームのＢＡＲ  Ｉｎｆｏｒｍａｔｉｏｎフィールドを例示する。
【０３８７】
図２２（ａ）に示すように、Ｂａｓｉｃ  ＢＡＲフレーム及びＣｏｍｐｒｅｓｓｅｄ  ＢＡＲフレームの場合、ＢＡＲ  Ｉｎｆｏｒｍａｔｉｏｎフィールドは、ブロックＡＣＫ開始シーケンス制御（Ｂｌｏｃｋ  Ａｃｋ  Ｓｔａｒｔｉｎｇ  Ｓｅｑｕｅｎｃｅ  Ｃｏｎｔｒｏｌ）サブフィールドを含む。
【０３８８】
そして、Ｂｌｏｃｋ  Ａｃｋ  Ｓｔａｒｔｉｎｇ  Ｓｅｑｕｅｎｃｅ  Ｃｏｎｔｒｏｌサブフィールドは、フラグメント番号（Ｆｒａｇｍｅｎｔ  Ｎｕｍｂｅｒ）サブフィールド、開始シーケンス番号（Ｓｔａｒｔｉｎｇ  Ｓｅｑｕｅｎｃｅ  Ｎｕｍｂｅｒ）サブフィールドを含む。
【０３８９】
Ｆｒａｇｍｅｎｔ  Ｎｕｍｂｅｒサブフィールドは、０に設定される。
【０３９０】
Ｂａｓｉｃ  ＢＡＲフレームの場合、Ｓｔａｒｔｉｎｇ  Ｓｅｑｕｅｎｃｅ  Ｎｕｍｂｅｒサブフィールドは、当該ＢＡＲフレームが送信される１番目のＭＳＤＵのシーケンス番号を含む。Ｃｏｍｐｒｅｓｓｅｄ  ＢＡＲフレームの場合、Ｓｔａｒｔｉｎｇ  Ｓｅｑｕｅｎｃｅ  Ｃｏｎｔｒｏｌサブフィールドは、当該ＢＡＲフレームが送信されるための１番目のＭＳＤＵまたはＡ−ＭＳＤＵのシーケンス番号を含む。
【０３９１】
図２２（ｂ）に示すように、Ｍｕｌｔｉ−ＴＩＤ  ＢＡＲフレームの場合、ＢＡＲ  Ｉｎｆｏｒｍａｔｉｏｎフィールドは、ＴＩＤ別情報（Ｐｅｒ  ＴＩＤ  Ｉｎｆｏ）サブフィールド及びブロックＡＣＫ開始シーケンス制御（Ｂｌｏｃｋ  Ａｃｋ  Ｓｔａｒｔｉｎｇ  Ｓｅｑｕｅｎｃｅ  Ｃｏｎｔｒｏｌ）サブフィールドが１つ以上のＴＩＤ別に繰り返されて構成される。
【０３９２】
Ｐｅｒ  ＴＩＤ  Ｉｎｆｏサブフィールドは、予備（Ｒｅｓｅｒｖｅｄ）サブフィールド及びＴＩＤ値（ＴＩＤ  Ｖａｌｕｅ）サブフィールドを含む。ＴＩＤ  Ｖａｌｕｅサブフィールドは、ＴＩＤ値を含む。
【０３９３】
Ｂｌｏｃｋ  Ａｃｋ  Ｓｔａｒｔｉｎｇ  Ｓｅｑｕｅｎｃｅ  Ｃｏｎｔｒｏｌサブフィールドは、上述したように、Ｆｒａｇｍｅｎｔ  Ｎｕｍｂｅｒ及びＳｔａｒｔｉｎｇ  Ｓｅｑｕｅｎｃｅ  Ｎｕｍｂｅｒサブフィールドを含む。Ｆｒａｇｍｅｎｔ  Ｎｕｍｂｅｒサブフィールドは、０に設定される。Ｓｔａｒｔｉｎｇ  Ｓｅｑｕｅｎｃｅ  Ｃｏｎｔｒｏｌサブフィールドは、当該ＢＡＲフレームが送信されるための１番目のＭＳＤＵまたはＡ−ＭＳＤＵのシーケンス番号を含む。
【０３９４】
図２３は、本発明が適用され得る無線通信システムにおけるブロックＡＣＫ（Ｂｌｏｃｋ  Ａｃｋ）フレームを例示する図である。
【０３９５】
図２３に示すように、ブロックＡＣＫ（ＢＡ）フレームは、フレーム制御（Ｆｒａｍｅ  Ｃｏｎｔｒｏｌ）フィールド、持続期間／識別子（Ｄｕｒａｔｉｏｎ／ＩＤ）フィールド、受信住所（ＲＡ）フィールド、送信住所（ＴＡ）フィールド、ＢＡ制御（ＢＡ  ｃｏｎｔｒｏｌ）フィールド、ＢＡ情報（ＢＡ  Ｉｎｆｏｒｍａｔｉｏｎ）フィールド、及びフレームチェックシーケンス（ＦＣＳ）で構成される。
【０３９６】
ＲＡフィールドは、ブロックＡＣＫを要求したＳＴＡの住所で設定されることができる。
【０３９７】
ＴＡフィールドは、ＢＡフレームを送信するＳＴＡの住所で設定されることができる。
【０３９８】
ＢＡ  ｃｏｎｔｒｏｌフィールドは、ＢＡ  Ａｃｋ政策（ＢＡ  Ａｃｋ  Ｐｏｌｉｃｙ）サブフィールド、多重−ＴＩＤ（Ｍｕｌｔｉ−ＴＩＤ）サブフィールド、圧縮ビットマップ（Ｃｏｍｐｒｅｓｓｅｄ  Ｂｉｔｍａｐ）サブフィールド、予備（Ｒｅｓｅｒｖｅｄ）サブフィールド、及びＴＩＤ情報（ＴＩＤ＿Ｉｎｆｏ）サブフィールドを含む。
【０３９９】
表１１は、ＢＡ  ｃｏｎｔｒｏｌフィールドを例示する表である。
【０４００】
【表１１】
0006430635.tif 000023
【０４０１】
ＢＡ  Ｉｎｆｏｒｍａｔｉｏｎフィールドは、ＢＡフレームのタイプによって相違した情報が含まれる。これについて図２４を参照して説明する。
【０４０２】
図２４は、本発明が適用され得る無線通信システムにおけるブロックＡＣＫ（Ｂｌｏｃｋ  Ａｃｋ）フレームのＢＡ情報（ＢＡ  Ｉｎｆｏｒｍａｔｉｏｎ）フィールドを例示する図である。
【０４０３】
図２４（ａ）は、Ｂａｓｉｃ  ＢＡフレームのＢＡ  Ｉｎｆｏｒｍａｔｉｏｎフィールドを例示し、図２４（ｂ）は、Ｃｏｍｐｒｅｓｓｅｄ  ＢＡフレームのＢＡ  Ｉｎｆｏｒｍａｔｉｏｎフィールドを例示し、図２４（ｃ）は、Ｍｕｌｔｉ−ＴＩＤ  ＢＡフレームのＢＡ  Ｉｎｆｏｒｍａｔｉｏｎフィールドを例示する。
【０４０４】
図２４（ａ）に示すように、Ｂａｓｉｃ  ＢＡフレームの場合、ＢＡ  Ｉｎｆｏｒｍａｔｉｏｎフィールドは、ブロックＡＣＫ開始シーケンス制御（Ｂｌｏｃｋ  Ａｃｋ  Ｓｔａｒｔｉｎｇ  Ｓｅｑｕｅｎｃｅ  Ｃｏｎｔｒｏｌ）サブフィールド及びブロックＡＣＫビットマップ（Ｂｌｏｃｋ  Ａｃｋ  Ｂｉｔｍａｐ）サブフィールドを含む。
【０４０５】
Ｂｌｏｃｋ  Ａｃｋ  Ｓｔａｒｔｉｎｇ  Ｓｅｑｕｅｎｃｅ  Ｃｏｎｔｒｏｌサブフィールドは、上述したように、Ｆｒａｇｍｅｎｔ  Ｎｕｍｂｅｒサブフィールド及びＳｔａｒｔｉｎｇ  Ｓｅｑｕｅｎｃｅ  Ｎｕｍｂｅｒサブフィールドを含む。
【０４０６】
Ｆｒａｇｍｅｎｔ  Ｎｕｍｂｅｒサブフィールドは、０に設定される。
【０４０７】
Ｓｔａｒｔｉｎｇ  Ｓｅｑｕｅｎｃｅ  Ｎｕｍｂｅｒサブフィールドは、当該ＢＡフレームが送信されるための１番目のＭＳＤＵのシーケンス番号を含み、直前に受信したＢａｓｉｃ  ＢＡＲフレームと同じ値に設定される。
【０４０８】
Ｂｌｏｃｋ  Ａｃｋ  Ｂｉｔｍａｐサブフィールドは、１２８オクテットの長さで構成され、最大６４個のＭＳＤＵの受信状態を指示するために使用される。Ｂｌｏｃｋ  Ａｃｋ  Ｂｉｔｍａｐサブフィールドで「１」値は、当該ビット位置に対応するＭＰＤＵが成功裏に受信されたことを指示し、「０」値は、当該ビット位置に対応するＭＰＤＵが成功裏に受信されていないことを指示する。
【０４０９】
図２４（ｂ）に示すように、Ｃｏｍｐｒｅｓｓｅｄ  ＢＡフレームの場合、ＢＡ  Ｉｎｆｏｒｍａｔｉｏｎフィールドは、ブロックＡＣＫ開始シーケンス制御（Ｂｌｏｃｋ  Ａｃｋ  Ｓｔａｒｔｉｎｇ  Ｓｅｑｕｅｎｃｅ  Ｃｏｎｔｒｏｌ）サブフィールド及びブロックＡＣＫビットマップ（Ｂｌｏｃｋ  Ａｃｋ  Ｂｉｔｍａｐ）サブフィールドを含む。
【０４１０】
Ｂｌｏｃｋ  Ａｃｋ  Ｓｔａｒｔｉｎｇ  Ｓｅｑｕｅｎｃｅ  Ｃｏｎｔｒｏｌサブフィールドは、上述したように、Ｆｒａｇｍｅｎｔ  Ｎｕｍｂｅｒサブフィールド及びＳｔａｒｔｉｎｇ  Ｓｅｑｕｅｎｃｅ  Ｎｕｍｂｅｒサブフィールドを含む。
【０４１１】
Ｆｒａｇｍｅｎｔ  Ｎｕｍｂｅｒサブフィールドは、０に設定される。
【０４１２】
Ｓｔａｒｔｉｎｇ  Ｓｅｑｕｅｎｃｅ  Ｎｕｍｂｅｒサブフィールドは、当該ＢＡフレームが送信されるための１番目のＭＳＤＵまたはＡ−ＭＳＤＵのシーケンス番号を含み、直前に受信したＢａｓｉｃ  ＢＡＲフレームと同じ値に設定される。
【０４１３】
Ｂｌｏｃｋ  Ａｃｋ  Ｂｉｔｍａｐサブフィールドは、８オクテットの長さで構成され、最大６４個のＭＳＤＵ及びＡ−ＭＳＤＵの受信状態を指示するために使用される。Ｂｌｏｃｋ  Ａｃｋ  Ｂｉｔｍａｐサブフィールドで「１」値は、当該ビット位置に対応する単一ＭＳＤＵまたはＡ−ＭＳＤＵが成功裏に受信されたことを指示し、「０」値は、当該ビット位置に対応する単一ＭＳＤＵまたはＡ−ＭＳＤＵが成功裏に受信されていないことを指示する。
【０４１４】
図２４（ｃ）に示すように、Ｍｕｌｔｉ−ＴＩＤ  ＢＡフレームの場合、ＢＡ  Ｉｎｆｏｒｍａｔｉｏｎフィールドは、ＴＩＤ別情報（Ｐｅｒ  ＴＩＤ  Ｉｎｆｏ）サブフィールド、ブロックＡＣＫ開始シーケンス制御（Ｂｌｏｃｋ  Ａｃｋ  Ｓｔａｒｔｉｎｇ  Ｓｅｑｕｅｎｃｅ  Ｃｏｎｔｒｏｌ）サブフィールド、及びブロックＡＣＫビットマップ（Ｂｌｏｃｋ  Ａｃｋ  Ｂｉｔｍａｐ）サブフィールドが１つ以上のＴＩＤ別に繰り返されて構成され、ＴＩＤが増加される順に構成される。
【０４１５】
Ｐｅｒ  ＴＩＤ  Ｉｎｆｏサブフィールドは、予備（Ｒｅｓｅｒｖｅｄ）サブフィールド及びＴＩＤ値（ＴＩＤ  Ｖａｌｕｅ）サブフィールドを含む。ＴＩＤ  Ｖａｌｕｅサブフィールドは、ＴＩＤ値を含む。
【０４１６】
Ｂｌｏｃｋ  Ａｃｋ  Ｓｔａｒｔｉｎｇ  Ｓｅｑｕｅｎｃｅ  Ｃｏｎｔｒｏｌサブフィールドは、上述したように、Ｆｒａｇｍｅｎｔ  Ｎｕｍｂｅｒ及びＳｔａｒｔｉｎｇ  Ｓｅｑｕｅｎｃｅ  Ｎｕｍｂｅｒサブフィールドを含む。Ｆｒａｇｍｅｎｔ  Ｎｕｍｂｅｒサブフィールドは、０に設定される。Ｓｔａｒｔｉｎｇ  Ｓｅｑｕｅｎｃｅ  Ｃｏｎｔｒｏｌサブフィールドは、当該ＢＡフレームが送信されるための１番目のＭＳＤＵまたはＡ−ＭＳＤＵのシーケンス番号を含む。
【０４１７】
Ｂｌｏｃｋ  Ａｃｋ  Ｂｉｔｍａｐサブフィールドは、８オクテットの長さで構成される。Ｂｌｏｃｋ  Ａｃｋ  Ｂｉｔｍａｐサブフィールドで「１」値は、当該ビット位置に対応する単一ＭＳＤＵまたはＡ−ＭＳＤＵが成功裏に受信されたことを指示し、「０」値は、当該ビット位置に対応する単一ＭＳＤＵまたはＡ−ＭＳＤＵが成功裏に受信されていないことを指示する。
【０４１８】
アップリンク多重ユーザ送信方法
次世代ＷｉＦｉに対する様々な分野のベンダーの高い関心と８０２．１１ａｃ以後の高いスループット（ｈｉｇｈ  ｔｈｒｏｕｇｈｐｕｔ）及びＱｏＥ（ｑｕａｌｉｔｙ  ｏｆ  ｅｘｐｅｒｉｅｎｃｅ）性能向上に対する要求が高まっている状況において、次世代ＷＬＡＮシステムである８０２．１１ａｘシステムのための新しいフレームフォーマット及びヌメロロジー（ｎｕｍｅｒｏｌｏｇｙ）に対する議論が盛んに進行中である。
【０４１９】
ＩＥＥＥ  ８０２．１１ａｘは、より高いデータ処理率（ｄａｔａ  ｒａｔｅ）を支援し、より高いユーザ負荷（ｕｓｅｒ  ｌｏａｄ）を処理するための次世代ＷＬＡＮシステムとして最近に新しく提案されているＷＬＡＮシステムのうちの一つであって、一名高効率ＷＬＡＮ（ＨＥＷ：Ｈｉｇｈ  Ｅｆｆｉｃｉｅｎｃｙ  ＷＬＡＮ）と呼ばれる。
【０４２０】
ＩＥＥＥ  ８０２．１１ａｘ  ＷＬＡＮシステムは、従来のＷＬＡＮシステムと同様に、２．４ＧＨｚ周波数帯域及び５ＧＨｚ周波数帯域で動作できる。また、それより高い６０ＧＨｚ周波数帯域でも動作できる。
【０４２１】
ＩＥＥＥ  ８０２．１１ａｘシステムでは、平均スループット向上（ａｖｅｒａｇｅ  ｔｈｒｏｕｇｈｐｕｔ  ｅｎｈａｎｃｅｍｅｎｔ）と室外環境でのシンボル間干渉（ｉｎｔｅｒ-ｓｙｍｂｏｌ  ｉｎｔｅｒｆｅｒｅｎｃｅ）に対する 強固な送信（ｏｕｔｄｏｏｒ  ｒｏｂｕｓｔ  ｔｒａｎｓｍｉｓｓｉｏｎ）のために、従来のＩＥＥＥ  ８０２．１１  ＯＦＤＭ  ｓｙｓｔｅｍ（ＩＥＥＥ  ８０２．１１ａ、８０２．１１ｎ、８０２．１１ａｃ等）より各帯域幅において４倍大きいＦＦＴサイズを使用することができる。これについて、以下の図面を参照して説明する。
【０４２２】
以下、本発明にＨＥフォーマットＰＰＤＵに対する説明において、別の言及がなくても上述のｎｏｎ-ＨＴフォーマットＰＰＤＵ、ＨＴ-ｍｉｘｅｄフォーマットＰＰＤＵ、ＨＴ-ｇｒｅｅｎｆｉｅｌｄフォーマットＰＰＤＵ及び／又はＶＨＴフォーマットＰＰＤＵに対する説明がＨＥフォーマットＰＰＤＵに対する説明に併合されることができる。
【０４２３】
図２５は、本発明の一実施の形態にかかるＨＥ（Ｈｉｇｈ  Ｅｆｆｉｃｉｅｎｃｙ）フォーマットＰＰＤＵを例示する図である。
【０４２４】
図２５（ａ）は、ＨＥフォーマットＰＰＤＵの概略的な構造を例示し、図２５（ｂ）〜（ｄ）は、ＨＥフォーマットＰＰＤＵのより具体的な構造を例示する。
【０４２５】
図２５（ａ）を参照すると、ＨＥＷのためのＨＥフォーマットＰＰＤＵは、大きくレガシー部分（Ｌ-ｐａｒｔ ）、ＨＥ部分（ＨＥ-ｐａｒｔ）及びデータフィールド（ＨＥ-ｄａｔａ）から構成されることができる。
【０４２６】
Ｌ-ｐａｒｔは、従来のＷＬＡＮシステムで維持する形態と同様に、Ｌ-ＳＴＦフィールド、Ｌ-ＬＴＦフィールド及びＬ-ＳＩＧフィールドから構成される。Ｌ-ＳＴＦフィールド、Ｌ-ＬＴＦフィールド及びＬ-ＳＩＧフィールドをレガシープリアンブル（ｌｅｇａｃｙ  ｐｒｅａｍｂｌｅ）と呼ぶことができる。
【０４２７】
ＨＥ-ｐａｒｔは、８０２．１１ａｘ標準のために新しく定義される部分であって、ＨＥ-ＳＴＦフィールド、ＨＥ-ＳＩＧフィールド及びＨＥ-ＬＴＦフィールドを含むことができる。図２５（ａ）では、ＨＥ-ＳＴＦフィールド、ＨＥ-ＳＩＧフィールド及びＨＥ-ＬＴＦフィールドの順序を例示しているが、これと相違する順に構成されることができる。また、ＨＥ-ＬＴＦは省略されうる。ＨＥ-ＳＴＦフィールド及びＨＥ-ＬＴＦフィールドだけでなく、ＨＥ-ＳＩＧフィールドを含んで、ＨＥ-ｐｒｅａｍｂｌｅと通称することもできる。
【０４２８】
また、Ｌ−ｐａｒｔ、ＨＥ−ｐａｒｔ（または、ＨＥ−ｐｒｅａｍｂｌｅ）を物理プリアンブル（ＰＨＹ（ｐｈｙｓｉｃａｌ）  ｐｒｅａｍｂｌｅ）と通称することができる。
【０４２９】
ＨＥ-ＳＩＧは、ＨＥ-ｄａｔａフィールドをデコードするための情報（例えば、ＯＦＤＭＡ、ＵＬ  ＭＵ  ＭＩＭＯ、向上したＭＣＳ等）を含むことができる。
【０４３０】
Ｌ-ｐａｒｔとＨＥ-ｐａｒｔは、互いに異なるＦＦＴ（Ｆａｓｔ  Ｆｏｕｒｉｅｒ  Ｔｒａｎｓｆｏｒｍ）サイズ（すなわち、サブキャリヤ間隔（ｓｐａｃｉｎｇ））を有することができ、互いに異なるＣＰ（Ｃｙｃｌｉｃ  Ｐｒｅｆｉｘ）を使用することもできる。
【０４３１】
８０２．１１ａｘシステムでは、レガシーＷＬＡＮシステムに比べて４倍大きい（４×）ＦＦＴサイズを使用することができる。すなわち、Ｌ-ｐａｒｔは、１×シンボル構造から構成され、ＨＥ-ｐａｒｔ（特に、ＨＥ-ｐｒｅａｍｂｌｅ及びＨＥ-ｄａｔａ）は、４×シンボル構造から構成されることができる。ここで、１×、２×、４×サイズのＦＦＴは、レガシーＷＬＡＮシステム（例えば、ＩＥＥＥ  ８０２．１１ａ、８０２．１１ｎ、８０２．１１ａｃ等）に対する相対的なサイズを意味する。
【０４３２】
例えば、Ｌ-ｐａｒｔに利用されるＦＦＴサイズは、２０ＭＨｚ、４０ＭＨｚ、８０ＭＨｚ及び１６０ＭＨｚにおいてそれぞれ６４、１２８、２５６、５１２であると、ＨＥ-ｐａｒｔに利用されるＦＦＴサイズは、２０ＭＨｚ、４０ＭＨｚ、８０ＭＨｚ及び１６０ＭＨｚにおいてそれぞれ２５６、５１２、１０２４、２０４８でありうる。
【０４３３】
このようにレガシーＷＬＡＮシステムよりＦＦＴサイズが大きくなると、サブキャリヤ周波数間隔（ｓｕｂｃａｒｒｉｅｒ  ｆｒｅｑｕｅｎｃｙ  ｓｐａｃｉｎｇ）が小さくなるので、単位周波数当たりのサブキャリヤの数が増加するが、ＯＦＤＭシンボル長が長くなる。
【０４３４】
すなわち、より大きなＦＦＴサイズが使用されるということは、サブキャリヤ間隔が狭くなるという意味であり、同様にＩＤＦＴ（Ｉｎｖｅｒｓｅ  Ｄｉｓｃｒｅｔｅ  Ｆｏｕｒｉｅｒ  Ｔｒａｎｓｆｏｒｍ）／ＤＦＴ（Ｄｉｓｃｒｅｔｅ  Ｆｏｕｒｉｅｒ  Ｔｒａｎｓｆｏｒｍ）周期（ｐｅｒｉｏｄ）が増えるという意味である。ここで、ＩＤＦＴ／ＤＦＴ周期は、ＯＦＤＭシンボルにおいて保護区間（ＧＩ）を除いたシンボル長を意味できる。
【０４３５】
したがって、ＨＥ-ｐａｒｔ（特に、ＨＥ-ｐｒｅａｍｂｌｅ及びＨＥ-ｄａｔａ）は、Ｌ-ｐａｒｔに比べて４倍大きなＦＦＴサイズが使用されるならば、ＨＥ-ｐａｒｔのサブキャリヤ間隔は、Ｌ-ｐａｒｔのサブキャリヤ間隔の１／４倍になり、ＨＥ-ｐａｒｔのＩＤＦＴ／ＤＦＴ周期は、Ｌ-ｐａｒｔのＩＤＦＴ／ＤＦＴ周期の４倍になる。例えば、Ｌ-ｐａｒｔのサブキャリヤ間隔が３１２．５ｋＨｚ（＝２０ＭＨｚ／６４、４０ＭＨＺ／１２８、８０ＭＨｚ／２５６及び／又は１６０ＭＨｚ／５１２）であると、ＨＥ-ｐａｒｔのサブキャリヤ間隔は、７８．１２５ｋＨｚ（＝２０ＭＨｚ／２５６、４０ＭＨＺ／５１２、８０ＭＨｚ／１０２４及び／又は１６０ＭＨｚ／２０４８）でありうる。また、Ｌ-ｐａｒｔのＩＤＦＴ／ＤＦＴ周期が３．２μｓ（＝１／３１２．５ｋＨｚ）であると、ＨＥ-ｐａｒｔのＩＤＦＴ／ＤＦＴ周期は、１２．８μｓ（＝１／７８．１２５ｋＨｚ）でありうる。
【０４３６】
ここで、ＧＩは、０．８μｓ、１．６μｓ、３．２μｓのうちのいずれか一つが使用されることができるので、ＧＩを含むＨＥ-ｐａｒｔのＯＦＤＭシンボル長（またはシンボル間隔（ｓｙｍｂｏｌ  ｉｎｔｅｒｖａｌ））は、ＧＩに応じて１３．６μｓ、１４．４μｓ、１６μｓでありうる。
【０４３７】
図２５（ｂ）を参照すると、ＨＥ-ＳＩＧフィールドは、ＨＥ-ＳＩＧ-ＡフィールドとＨＥ-ＳＩＧ-Ｂフィールドとに区分されることができる。
【０４３８】
例えば、ＨＥフォーマットＰＰＤＵのＨＥ-ｐａｒｔは、１２．８μｓの長さを有するＨＥ-ＳＩＧ-Ａフィールド、１ＯＦＤＭシンボルのＨＥ-ＳＴＦフィールド、一つ以上のＨＥ-ＬＴＦフィールド、及び１ＯＦＤＭシンボルのＨＥ-ＳＩＧ-Ｂフィールドを含むことができる。
【０４３９】
また、ＨＥ-ｐａｒｔにおいてＨＥ-ＳＩＧ-Ａフィールドは除き、ＨＥ-ＳＴＦフィールドからは、従来のＰＰＤＵより４倍大きなサイズのＦＦＴが適用され得る。すなわち、２５６、５１２、１０２４及び２０４８サイズのＦＦＴがそれぞれ２０ＭＨｚ、４０ＭＨｚ、８０ＭＨｚ及び１６０ＭＨｚのＨＥフォーマットＰＰＤＵのＨＥ-ＳＴＦフィールドから適用され得る。
【０４４０】
ただし、図２５（ｂ）のように、ＨＥ-ＳＩＧがＨＥ-ＳＩＧ-ＡフィールドとＨＥ-ＳＩＧ-Ｂフィールドに区分されて送信されるとき、ＨＥ-ＳＩＧ-Ａフィールド及びＨＥ-ＳＩＧ-Ｂフィールドの位置は、図２５（ｂ）と異なることができる。例えば、ＨＥ-ＳＩＧ-Ａフィールドの次にＨＥ-ＳＩＧ-Ｂフィールドが送信され、ＨＥ-ＳＩＧ-Ｂフィールドの次にＨＥ-ＳＴＦフィールドとＨＥ-ＬＴＦフィールドが送信されることができる。この場合にも同様に、ＨＥ-ＳＴＦフィールドからは、従来のＰＰＤＵより４倍大きなサイズのＦＦＴが適用され得る。
【０４４１】
図２５（ｃ）を参照すると、ＨＥ-ＳＩＧフィールドは、ＨＥ-ＳＩＧ-ＡフィールドとＨＥ-ＳＩＧ-Ｂフィールドに区分されなくても良い。
【０４４２】
例えば、ＨＥフォーマットＰＰＤＵのＨＥ-ｐａｒｔは、１ＯＦＤＭシンボルのＨＥ-ＳＴＦフィールド、１ＯＦＤＭシンボルのＨＥ-ＳＩＧフィールド及び一つ以上のＨＥ-ＬＴＦフィールドを含むことができる。
【０４４３】
以上と同様に、ＨＥ-ｐａｒｔは、従来のＰＰＤＵより４倍大きなサイズのＦＦＴが適用され得る。すなわち、２５６、５１２、１０２４及び２０４８サイズのＦＦＴがそれぞれ２０ＭＨｚ、４０ＭＨｚ、８０ＭＨｚ及び１６０ＭＨｚのＨＥフォーマットＰＰＤＵのＨＥ-ＳＴＦフィールドから適用され得る。
【０４４４】
図２５（ｄ）を参照すると、ＨＥ-ＳＩＧフィールドは、ＨＥ-ＳＩＧ-ＡフィールドとＨＥ-ＳＩＧ-Ｂフィールドに区分されずに、ＨＥ-ＬＴＦフィールドは省略されることができる。
【０４４５】
例えば、ＨＥフォーマットＰＰＤＵのＨＥ-ｐａｒｔは、１ＯＦＤＭシンボルのＨＥ-ＳＴＦフィールド及び１ＯＦＤＭシンボルのＨＥ-ＳＩＧフィールドを含むことができる。
【０４４６】
以上と同様に、ＨＥ-ｐａｒｔは、従来のＰＰＤＵより４倍大きなサイズのＦＦＴが適用され得る。すなわち、２５６、５１２、１０２４及び２０４８サイズのＦＦＴがそれぞれ２０ＭＨｚ、４０ＭＨｚ、８０ＭＨｚ及び１６０ＭＨｚのＨＥフォーマットＰＰＤＵのＨＥ-ＳＴＦフィールドから適用され得る。
【０４４７】
本発明に係るＷＬＡＮシステムのためのＨＥフォーマットＰＰＤＵは、少なくとも一つの２０ＭＨｚチャネルを介して送信されることができる。例えば、ＨＥフォーマットＰＰＤＵは、総４個の２０ＭＨｚチャネルを介して４０ＭＨｚ、８０ＭＨｚまたは１６０ＭＨｚ周波数帯域で送信されることができる。これについて、以下の図面を参照してさらに詳細に説明する。
【０４４８】
図２６は、本発明の一実施形態に係るＨＥフォーマットＰＰＤＵを例示する図である。
【０４４９】
図２６では、１つのＳＴＡに８０ＭＨｚが割り当てられた場合（または、８０ＭＨｚ内の複数のＳＴＡにＯＦＤＭＡ資源ユニットが割り当てられた場合）、或いは、複数のＳＴＡにそれぞれ８０ＭＨｚの互いに異なるストリームが割り当てられた場合のＰＰＤＵフォーマットを例示する。
【０４５０】
図２６に示すように、Ｌ−ＳＴＦ、Ｌ−ＬＴＦ、及びＬ−ＳＩＧは、各２０ＭＨｚチャネルで６４ＦＦＴポイント（または、６４サブキャリア）に基づいて生成されたＯＦＤＭシンボルで送信されることができる。
【０４５１】
また、ＨＥ−ＳＩＧ  ＢフィールドがＨＥ−ＳＩＧ  Ａフィールドの次に位置することができる。この場合、単位周波数当たりＦＦＴサイズは、ＨＥ−ＳＴＦ（または、ＨＥ−ＳＩＧ  Ｂ）以後からさらに大きくなり得る。例えば、ＨＥ−ＳＴＦ（または、ＨＥ−ＳＩＧ  Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０４５２】
ＨＥ−ＳＩＧ  Ａフィールドは、ＰＰＤＵを受信するＳＴＡに共通に送信される共通制御情報を含むことができる。ＨＥ−ＳＩＧ  Ａフィールドは、１個ないし３個のＯＦＤＭシンボルで送信されることができる。ＨＥ−ＳＩＧ  Ａフィールドは、２０ＭＨｚ単位で複写されて同じ情報を含む。また、ＨＥ−ＳＩＧ−Ａフィールドは、システムの全体帯域幅情報を知らせる。
【０４５３】
表１２は、ＨＥ−ＳＩＧ  Ａフィールドに含まれる情報を例示する表である。
【０４５４】
【表１２】
0006430635.tif 000024
【０４５５】
表１２に例示される各フィールドに含まれる情報は、ＩＥＥＥ  ８０２．１１システムの定義にしたがうことができる。また、前述した各フィールドは、ＰＰＤＵに含まれ得るフィールドの例示に該当し、これに限定されない。すなわち、前述した各フィールドが他のフィールドに代替されるか、追加的なフィールドがさらに含まれ得るし、全てのフィールドが必須的に含まれないこともある。ＨＥ−ＳＩＧ  Ａフィールドに含まれる情報のさらに他の実施形態は、図３４と関連して以下において説明する。
【０４５６】
ＨＥ−ＳＴＦは、ＭＩＭＯ送信においてＡＧＣ推定の性能を改善するために使用される。
【０４５７】
ＨＥ−ＳＩＧ  Ｂフィールドは、各ＳＴＡが自分のデータ（例えば、ＰＳＤＵ）を受信するために要求されるユーザ特定（ｕｓｅｒ−ｓｐｅｃｉｆｉｃ）情報を含むことができる。ＨＥ−ＳＩＧ  Ｂフィールドは、１つまたは２つのＯＦＤＭシンボルで送信されることができる。例えば、ＨＥ−ＳＩＧ  Ｂフィールドは、当該ＰＳＤＵの変調及びコーディング技法（ＭＣＳ）及び当該ＰＳＤＵの長さに関する情報を含むことができる。
【０４５８】
Ｌ−ＳＴＦ、Ｌ−ＬＴＦ、Ｌ−ＳＩＧ、及びＨＥ−ＳＩＧ  Ａフィールドは、２０ＭＨｚチャネル単位で繰り返されて送信されることができる。例えば、ＰＰＤＵが４個の２０ＭＨｚチャネル（すなわち、８０ＭＨｚ帯域）を介して送信されるとき、Ｌ−ＳＴＦ、Ｌ−ＬＴＦ、Ｌ−ＳＩＧ、及びＨＥ−ＳＩＧ  Ａフィールドは、２０ＭＨｚチャネル毎に繰り返されて送信されることができる。
【０４５９】
ＦＦＴサイズが大きくなると、既存のＩＥＥＥ  ８０２．１１ａ／ｇ／ｎ／ａｃを支援するレガシーＳＴＡは、当該ＨＥ  ＰＰＤＵをデコーディングできないこともある。レガシーＳＴＡとＨＥ  ＳＴＡとが共存（ｃｏｅｘｉｓｔｅｎｃｅ）するために、Ｌ−ＳＴＦ、Ｌ−ＬＴＦ、及びＬ−ＳＩＧフィールドは、レガシーＳＴＡが受信できるように、２０ＭＨｚチャネルで６４ＦＦＴを介して送信される。例えば、Ｌ−ＳＩＧフィールドは、１つのＯＦＤＭシンボルを占有し、１つのＯＦＤＭシンボル時間は、４μｓであり、ＧＩは、０．８μｓでありうる。
【０４６０】
各周波数単位別のＦＦＴサイズは、ＨＥ−ＳＴＦ（または、ＨＥ−ＳＩＧ  Ａ）からさらに大きくなることができる。例えば、２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。ＦＦＴサイズが大きくなると、ＯＦＤＭサブキャリア間の間隔が小さくなるので、単位周波数当たりＯＦＤＭサブキャリアの数が増加されるが、ＯＦＤＭシンボル時間は長くなる。システムの効率を向上させるために、ＨＥ−ＳＴＦ以後のＧＩの長さは、ＨＥ−ＳＩＧ  ＡのＧＩの長さと同様に設定されることができる。
【０４６１】
ＨＥ−ＳＩＧ  Ａフィールドは、ＨＥ  ＳＴＡがＨＥ  ＰＰＤＵをデコーディングするために要求される情報を含むことができる。しかし、ＨＥ−ＳＩＧ  Ａフィールドは、レガシーＳＴＡとＨＥ  ＳＴＡとを共に受信できるように、２０ＭＨｚチャネルで６４ＦＦＴを介して送信されることができる。これは、ＨＥ  ＳＴＡがＨＥフォーマットＰＰＤＵだけでなく、既存のＨＴ／ＶＨＴフォーマットＰＰＤＵを受信することができ、レガシーＳＴＡ及びＨＥ  ＳＴＡがＨＴ／ＶＨＴフォーマットＰＰＤＵとＨＥフォーマットＰＰＤＵとを区分しなければならないためである。
【０４６２】
図２７は、本発明の一実施形態に係るＨＥフォーマットＰＰＤＵを例示する図である。
【０４６３】
図２７では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０４６４】
図２７に示すように、単位周波数当たりＦＦＴサイズは、ＨＥ−ＳＴＦ（または、ＨＥ−ＳＩＧ−Ｂ）からさらに大きくなり得る。例えば、ＨＥ−ＳＴＦ（または、ＨＥ−ＳＩＧ−Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０４６５】
ＰＰＤＵに含まれる各フィールドで送信される情報は、前述した図２６の例示と同様であるから、以下、説明を省略する。
【０４６６】
ＨＥ−ＳＩＧ−Ｂフィールドは、各ＳＴＡに特定された情報を含むことができるが、全体バンド（すなわち、ＨＥ−ＳＩＧ−Ａフィールドで指示）にわたってエンコーディングされることができる。すなわち、ＨＥ−ＳＩＧ−Ｂフィールドは、全てのＳＴＡに関する情報を含み、全てのＳＴＡが受信されるようになる。
【０４６７】
ＨＥ−ＳＩＧ−Ｂフィールドは、各ＳＴＡ別に割り当てられる周波数帯域幅情報及び／又は当該周波数帯域でストリーム情報を知らせることができる。例えば、図２７においてＨＥ−ＳＩＧ−Ｂは、ＳＴＡ１が２０ＭＨｚ、ＳＴＡ２がその次の２０ＭＨｚ、ＳＴＡ３がその次の２０ＭＨｚ、ＳＴＡ４がその次の２０ＭＨｚを割り当てることができる。また、ＳＴＡ１とＳＴＡ２とは、４０ＭＨｚを割り当て、ＳＴＡ３とＳＴＡ４とは、その次の４０ＭＨｚを割り当てることができる。この場合、ＳＴＡ１とＳＴＡ２とは、互いに異なるストリームを割り当て、ＳＴＡ３とＳＴＡ４とは、互いに異なるストリームを割り当てることができる。
【０４６８】
また、ＨＥ−ＳＩＧ−Ｃフィールドを定義し、図２７の例示にＨＥ−ＳＩＧ  Ｃフィールドが追加され得る。この場合、ＨＥ−ＳＩＧ−Ｂフィールドでは、全帯域にわたって全てのＳＴＡに関する情報が送信され、各ＳＴＡに特定の制御情報は、ＨＥ−ＳＩＧ−Ｃフィールドを介して２０ＭＨｚ単位で送信されることもできる。
【０４６９】
また、図２６及び図２７の例示と異なり、ＨＥ−ＳＩＧ−Ｂフィールドは、全帯域にわたって送信せずに、ＨＥ−ＳＩＧ−Ａフィールドと同様に２０ＭＨｚ単位で送信されることができる。これについて下記の図面を参照して説明する。
【０４７０】
図２８は、本発明の一実施形態に係るＨＥフォーマットＰＰＤＵを例示する図である。
【０４７１】
図２８では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０４７２】
図２８に示すように、ＨＥ−ＳＩＧ−Ｂフィールドは、全帯域にわたって送信されず、ＨＥ−ＳＩＧ−Ａフィールドと同様に２０ＭＨｚ単位で送信される。ただし、このとき、ＨＥ−ＳＩＧ−Ｂは、ＨＥ−ＳＩＧ−Ａフィールドと異なり、２０ＭＨｚ単位でエンコーディングされて送信されるが、２０ＭＨｚ単位で複製されて送信されないこともある。
【０４７３】
この場合、単位周波数当たりＦＦＴサイズは、ＨＥ−ＳＴＦ（または、ＨＥ−ＳＩＧ−Ｂ）からさらに大きくなることができる。例えば、ＨＥ−ＳＴＦ（または、ＨＥ−ＳＩＧ−Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０４７４】
ＰＰＤＵに含まれる各フィールドで送信される情報は、前述した図２６の例示と同様であるから、以下、説明を省略する。
【０４７５】
ＨＥ−ＳＩＧ−Ａフィールドは、２０ＭＨｚ単位で複写されて（ｄｕｐｌｉｃａｔｅｄ）送信される。
【０４７６】
ＨＥ−ＳＩＧ−Ｂフィールドは、各ＳＴＡ別に割り当てられる周波数帯域幅情報及び／又は当該周波数帯域でストリーム情報を知らせることができる。ＨＥ−ＳＩＧ−Ｂフィールドは、各ＳＴＡに関する情報を含むので、２０ＭＨｚ単位の各ＨＥ−ＳＩＧ−Ｂフィールド別に各ＳＴＡに関する情報が含まれ得る。このとき、図２８の例示では、各ＳＴＡ別に２０ＭＨｚが割り当てられる場合を例示しているが、例えば、ＳＴＡに４０ＭＨｚが割り当てられる場合、２０ＭＨｚ単位でＨＥ−ＳＩＧ−Ｂフィールドが複写されて送信されることもできる。
【０４７７】
各ＢＳＳ別に互いに異なる帯域幅を支援する状況で隣接したＢＳＳからの干渉レベルが少ない一部の帯域幅をＳＴＡに割り当てる場合に、上記のように、ＨＥ−ＳＩＧ−Ｂフィールドを全帯域にわたって送信しないことがより好ましい。
【０４７８】
以下では、説明の都合上、図２８のＨＥフォーマットＰＰＤＵを基準として説明する。
【０４７９】
図２６〜図２８においてデータフィールドは、ペイロード（ｐａｙｌｏａｄ）であって、サービスフィールド（ＳＥＲＶＩＣＥ  ｆｉｅｌｄ）、スクランブリングされたＰＳＤＵ、テールビット（ｔａｉｌ  ｂｉｔｓ）、パディングビット（ｐａｄｄｉｎｇ  ｂｉｔｓ）を含むことができる。
【０４８０】
一方、前述した図２６〜図２８のようなＨＥフォーマットＰＰＤＵは、Ｌ−ＳＩＧフィールドの繰り返しシンボルであるＲＬ−ＳＩＧ（Ｒｅｐｅａｔｅｄ  Ｌ−ＳＩＧ）フィールドを介して区分されることができる。ＲＬ−ＳＩＧフィールドは、ＨＥ  ＳＩＧ−Ａフィールドの前に挿入され、各ＳＴＡは、ＲＬ−ＳＩＧフィールドを用いて受信されたＰＰＤＵのフォーマットをＨＥフォーマットＰＰＤＵとして区分することができる。
【０４８１】
以下、ＷＬＡＮシステムにおいて多重ユーザ（ｍｕｌｔｉ-ｕｓｅｒ）アップリンク送信方法について説明する。
【０４８２】
ＷＬＡＮシステムで動作するＡＰが同じ時間資源上において複数のＳＴＡへデータを送信する方式をＤＬ  ＭＵ送信（ｄｏｗｎｌｉｎｋ  ｍｕｌｔｉ-ｕｓｅｒ  ｔｒａｎｓｍｉｓｓｉｏｎ）と呼ぶことができる。反対に、ＷＬＡＮシステムで動作する複数のＳＴＡが同じ時間資源上においてＡＰにデータを送信する方式をＵＬ  ＭＵ送信（ｕｐｌｉｎｋ  ｍｕｌｔｉ-ｕｓｅｒ  ｔｒａｎｓｍｉｓｓｉｏｎ）と呼ぶことができる。
【０４８３】
このようなＤＬ  ＭＵ送信またはＵＬ  ＭＵ送信は、周波数ドメインまたは空間ドメイン（ｓｐａｔｉａｌ  ｄｏｍａｉｎ）上において多重化されることができる。
【０４８４】
周波数ドメイン上において多重化される場合、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づいて複数のＳＴＡ各々に対して互いに異なる周波数資源（例えば、サブキャリヤまたはトーン（ｔｏｎｅ））がダウンリンクまたはアップリンク資源に割り当てられることができる。このような同じ時間資源で互いに異なる周波数資源を介した送信方式を「ＤＬ／ＵＬ  ＭＵ  ＯＦＤＭＡ送信」と呼ぶことができる。
【０４８５】
空間ドメイン（ｓｐａｔｉａｌ  ｄｏｍａｉｎ）上において多重化される場合、複数のＳＴＡ各々に対して互いに異なる空間ストリームがダウンリンクまたはアップリンク資源に割り当てられることができる。このような同じ時間資源で互いに異なる空間的ストリームを介した送信方式を「ＤＬ／ＵＬ  ＭＵ  ＭＩＭＯ」送信と呼ぶことができる。
【０４８６】
現在ＷＬＡＮシステムでは、以下のような制約事項によりＵＬ  ＭＵ送信を支援できない。
【０４８７】
現在ＷＬＡＮシステムでは、複数のＳＴＡから送信されるアップリンクデータの送信タイミングに対する同期化が支援されない。例えば、従来のＷＬＡＮシステムにおいて複数のＳＴＡが同じ時間資源を介してアップリンクデータを送信する場合を仮定すると、現在ＷＬＡＮシステムでは、複数のＳＴＡ各々は、他のＳＴＡのアップリンクデータの送信タイミングが分からない。したがって、ＡＰは、複数のＳＴＡ各々から同じ時間資源上においてアップリンクデータを受信し難い。
【０４８８】
また、現在ＷＬＡＮシステムでは、複数のＳＴＡによりアップリンクデータを送信するために使用される周波数資源間の重複が発生できる。例えば、複数のＳＴＡ各々のオシレ−タ（ｏｓｃｉｌｌａｔｏｒ）が異なる場合、周波数オフセット（ｆｒｅｑｕｅｎｃｙ  ｏｆｆｓｅｔ）が異なるように現れることができる。仮に、周波数オフセットが異なる複数のＳＴＡ各々が互いに異なる周波数資源を介して同時にアップリンク送信を行う場合、複数のＳＴＡ各々により使用される周波数領域のうちの一部が重なることができる。
【０４８９】
また、従来のＷＬＡＮシステムでは、複数のＳＴＡ各々に対するパワー制御が行われない。複数のＳＴＡ各々とＡＰ間の距離とチャネル環境に従属的にＡＰは、複数のＳＴＡ各々から互いに異なるパワーの信号を受信することができる。このような場合、弱いパワーで到着する信号は、強いパワーで到着する信号に比べて相対的にＡＰにより検出され難くありうる。
【０４９０】
これにより、本発明は、ＷＬＡＮシステムでのＵＬ  ＭＵ送信方法を提案する。
【０４９１】
図２９は、本発明の一実施形態に係る上向きリンク多重ユーザ（ｍｕｌｔｉ−ｕｓｅｒ）送信手順を例示する図である。
【０４９２】
図２９に示すように、ＡＰがＵＬ  ＭＵ送信に参加するＳＴＡにＵＬ  ＭＵ送信を準備することを指示し、当該ＳＴＡからＵＬ  ＭＵデータフレームを受信し、ＵＬ  ＭＵデータフレームに対する応答としてＡＣＫフレーム（ＢＡ（Ｂｌｏｃｋ  Ａｃｋ）フレーム）を送信する。
【０４９３】
まず、ＡＰは、ＵＬ  ＭＵトリガフレーム（ＵＬ  ＭＵ  Ｔｒｉｇｇｅｒ  ｆｒａｍｅ、２９１０）を送信することにより、ＵＬ  ＭＵデータを送信するＳＴＡにＵＬ  ＭＵ送信を準備することを指示する。ここで、ＵＬ  ＭＵスケジューリングフレームは、「ＵＬ  ＭＵスケジューリング（ｓｃｈｅｄｕｌｉｎｇ）フレーム」の用語と呼ばれることもできる。
【０４９４】
ここで、ＵＬ  ＭＵトリガフレーム２９１０は、ＳＴＡ識別子（ＩＤ：Ｉｄｅｎｔｉｆｉｅｒ）／住所（ａｄｄｒｅｓｓ）情報、各ＳＴＡが使用する資源割当情報、持続期間（ｄｕｒａｔｉｏｎ）情報などのような制御情報を含むことができる。
【０４９５】
ＳＴＡ  ＩＤ／住所情報は、上向きリンクデータを送信する各ＳＴＡを特定するための識別子または住所に関する情報を意味する。
【０４９６】
資源割当情報は、各ＳＴＡ別に割り当てられる上向きリンク送信資源（例えば、ＵＬ  ＭＵ  ＯＦＤＭＡ送信の場合、各ＳＴＡに割り当てられる周波数／サブキャリア情報、ＵＬ  ＭＵ  ＭＩＭＯ送信の場合、各ＳＴＡに割り当てられるストリームインデックス）に関する情報を意味する。
【０４９７】
持続期間（ｄｕｒａｔｉｏｎ）情報は、複数のＳＴＡの各々により送信される上向きリンクデータフレームの送信のための時間資源を決定するための情報を意味する。
【０４９８】
例えば、持続期間情報は、各ＳＴＡの上向きリンク送信のために割り当てられたＴＸＯＰ（Ｔｒａｎｓｍｉｔ  Ｏｐｐｏｒｔｕｎｉｔｙ）の区間情報、或いは上向きリンクフレーム長さ（ｆｒａｍｅ  ｌｅｎｇｔｈ）に関する情報（例えば、ビットまたはシンボル）を含むことができる。
【０４９９】
また、ＵＬ  ＭＵトリガフレーム２９１０は、各ＳＴＡ別にＵＬ  ＭＵデータフレーム送信の際に使用しなければならないＭＣＳ情報、コーディング（Ｃｏｄｉｎｇ）情報などのような制御情報をさらに含むこともできる。
【０５００】
上記のような制御情報は、ＵＬ  ＭＵトリガフレーム２９１０を伝達するＰＰＤＵのＨＥ−ｐａｒｔ（例えば、ＨＥ−ＳＩＧ  ＡフィールドまたはＨＥ−ＳＩＧ  Ｂフィールド）やＵＬ  ＭＵトリガフレーム２９１０の制御フィールド（例えば、ＭＡＣフレームのＦｒａｍｅ  Ｃｏｎｔｒｏｌフィールドなど）で送信されることができる。
【０５０１】
ＵＬ  ＭＵトリガフレーム２９１０を伝達するＰＰＤＵは、Ｌ−ｐａｒｔ（例えば、Ｌ−ＳＴＦフィールド、Ｌ−ＬＴＦフィールド、Ｌ−ＳＩＧフィールドなど）から始まる構造を有する。これにより、レガシーＳＴＡは、Ｌ−ＳＩＧフィールドからＬ−ＳＩＧ保護（Ｌ−ＳＩＧ  ｐｒｏｔｅｃｔｉｏｎ）を介してＮＡＶ（Ｎｅｔｗｏｒｋ  Ａｌｌｏｃａｔｉｏｎ  Ｖｅｃｔｏｒ）セッティングを行うことができる。例えば、レガシーＳＴＡは、Ｌ−ＳＩＧでデータ長さ（ｌｅｎｇｔｈ）及びデータ率（ｄａｔａ  ｒａｔｅ）情報に基づいてＮＡＶセッティングのための区間（以下、「Ｌ−ＳＩＧ保護区間」）を算出できる。そして、レガシーＳＴＡは、算出されたＬ−ＳＩＧ保護区間の間には自分に送信されるデータがないと判断することができる。
【０５０２】
例えば、Ｌ−ＳＩＧ保護区間は、ＵＬ  ＭＵトリガフレーム２９１０のＭＡＣ  ｄｕｒａｔｉｏｎフィールド値とＵＬ  ＭＵトリガフレーム２９１０を運ぶＰＰＤＵのＬ−ＳＩＧフィールド以後の残余区間の合計で決定されることができる。これにより、Ｌ−ＳＩＧ保護区間は、ＵＬ  ＭＵトリガフレーム２９１０のＭＡＣ  ｄｕｒａｔｉｏｎ値で応じて各ＳＴＡに送信されるＡＣＫフレーム２９３０（または、ＢＡフレーム）を送信する区間までの値に設定されることができる。
【０５０３】
以下、各ＳＴＡへのＵＬ  ＭＵ送信のための資源割当方法をより具体的に説明する。説明の都合上、制御情報が含まれるフィールドを区分して説明するが、本発明がこれに限定されるものではない。
【０５０４】
第１のフィールドは、ＵＬ  ＭＵ  ＯＦＤＭＡ送信とＵＬ  ＭＵ  ＭＩＭＯ送信とを区分して指示することができる。例えば、「０」であれば、ＵＬ  ＭＵ  ＯＦＤＭＡ送信を指示し、「１」であれば、ＵＬ  ＭＵ  ＭＩＭＯ送信を指示できる。第１のフィールドのサイズは、１ビットで構成されることができる。
【０５０５】
第２のフィールド（例えば、ＳＴＡ  ＩＤ／住所フィールド）は、ＵＬ  ＭＵ送信に参加するＳＴＡ  ＩＤ或いはＳＴＡ住所を知らせる。第２のフィールドのサイズは、ＳＴＡ  ＩＤを知らせるためのビット数×ＵＬ  ＭＵに参加するＳＴＡ数で構成されることができる。例えば、第２のフィールドが１２ビットで構成される場合、４ビット別に各ＳＴＡのＩＤ／住所を指示できる。
【０５０６】
第３のフィールド（例えば、資源割当フィールド）は、ＵＬ  ＭＵ送信のために、各ＳＴＡに割り当てられる資源領域を指示する。このとき、各ＳＴＡに割り当てられる資源領域は、前述した第２のフィールドの順序によって各ＳＴＡに順次指示されることができる。
【０５０７】
仮に、第１のフィールド値が「０」である場合、第２のフィールドに含まれたＳＴＡ  ＩＤ／住所の順にＵＬ  ＭＵ送信のための周波数情報（例えば、周波数インデックス、サブキャリアインデックス等）を表し、第１のフィールド値が「１」である場合、第２のフィールドに含まれたＳＴＡ  ＩＤ／住所の順にＵＬ  ＭＵ送信のためのＭＩＭＯ情報（例えば、ストリームインデックス等）を表す。
【０５０８】
このとき、１つのＳＴＡに複数個のインデックス（すなわち、周波数／サブキャリアインデックスまたはストリームインデックス）を知らせることができるので、第３のフィールドのサイズは、複数のビット（或いは、ビットマップ（ｂｉｔｍａｐ）形式で構成されることができる）×ＵＬ  ＭＵ送信に参加するＳＴＡ個数で構成されることができる。
【０５０９】
例えば、第２のフィールドが「ＳＴＡ１」、「ＳＴＡ２」の順序で設定され、第３のフィールドが「２」、「２」の順序で設定されると仮定する。
【０５１０】
この場合、第１のフィールドが「０」である場合、ＳＴＡ１は、上位（または、下位）周波数領域から周波数資源が割り当てられ、ＳＴＡ２は、その次の周波数資源が順次割り当てられ得る。一例として、８０ＭＨｚ帯域で２０ＭＨｚ単位のＯＦＤＭＡを支援する場合、ＳＴＡ１は、上位（または、下位）４０ＭＨｚ帯域、ＳＴＡ２は、その次の４０ＭＨｚ帯域を使用できる。
【０５１１】
それに対し、第１のフィールドが「１」である場合、ＳＴＡ１は、上位（または、下位）ストリームが割り当てられ、ＳＴＡ２は、その次のストリームが順次割り当てられ得る。このとき、各ストリームによるビームフォーミング方式は、予め指定されていたり、第３のフィールドまたは第４のフィールドでストリームによるビームフォーミング方式に対するより具体的な情報が含まれることもできる。
【０５１２】
各ＳＴＡは、ＡＰにより送信されるＵＬ  ＭＵトリガーフレーム２９１０に基づいてＵＬ  ＭＵデータフレーム（ＵＬ  ＭＵ  Ｄａｔａ  ｆｒａｍｅ）２９２１、２９２２、２９２３をＡＰに送信する。ここで、各ＳＴＡは、ＡＰからＵＬ  ＭＵトリガーフレーム２９１０を受信した後、ＳＩＦＳ以後にＵＬ  ＭＵデータフレーム２９２１、２９２２、２９２３をＡＰに送信できる。
【０５１３】
各ＳＴＡは、ＵＬ  ＭＵトリガーフレーム２９１０の資源割り当て情報に基づいて、ＵＬ  ＭＵ  ＯＦＤＭＡ送信のための特定の周波数資源またはＵＬ  ＭＵ  ＭＩＭＯ送信のための空間的ストリームを決定できる。
【０５１４】
具体的に、ＵＬ  ＭＵ  ＯＦＤＭＡ送信の場合、各ＳＴＡは、互いに異なる周波数資源を介して同じ時間資源上においてアップリンクデータフレームを送信できる。
【０５１５】
ここで、ＳＴＡ１ないしＳＴＡ３のそれぞれは、ＵＬ  ＭＵトリガーフレーム２９１０に含まれたＳＴＡ  ＩＤ／アドレス情報及び資源割り当て情報に基づいて、アップリンクデータフレーム送信のための互いに異なる周波数資源を割り当てられることができる。例えば、ＳＴＡ  ＩＤ／アドレス情報がＳＴＡ１ないしＳＴＡ３を順次に指示し、資源割り当て情報が周波数資源１、周波数資源２、周波数資源３を順次に指示できる。この場合、ＳＴＡ  ＩＤ／アドレス情報に基づいて順次に指示されたＳＴＡ１ないしＳＴＡ３は、資源割り当て情報に基づいて順次に指示された周波数資源１、周波数資源２、周波数資源３をそれぞれ割り当てられることができる。すなわち、ＳＴＡ１は、周波数資源１、ＳＴＡ２は、周波数資源２、ＳＴＡ３は、周波数資源３を介してアップリンクデータフレーム２９２１、２９２２、２９２３をＡＰに送信できる。
【０５１６】
また、ＵＬ  ＭＵ  ＭＩＭＯ送信の場合、各ＳＴＡは、複数の空間的ストリームのうち、少なくとも一つの互いに異なるストリームを介して同じ時間資源上においてアップリンクデータフレームを送信できる。
【０５１７】
ここで、ＳＴＡ１ないしＳＴＡ３のそれぞれは、ＵＬ  ＭＵトリガーフレーム２９１０に含まれたＳＴＡ  ＩＤ／アドレス情報及び資源割り当て情報に基づいてアップリンクデータフレーム送信のための空間的ストリームを割り当てられることができる。例えば、ＳＴＡ  ＩＤ／アドレス情報がＳＴＡ１ないしＳＴＡ３を順次に指示し、資源割り当て情報が空間的ストリーム１、空間的ストリーム２、空間的ストリーム３を順次に指示できる。この場合、ＳＴＡ  ＩＤ／アドレス情報に基づいて順次に指示されたＳＴＡ１ないしＳＴＡ３は、資源割り当て情報に基づいて順次に指示された空間的ストリーム１、空間的ストリーム２、空間的ストリーム３をそれぞれ割り当てられることができる。すなわち、ＳＴＡ１は空間的ストリーム１、ＳＴＡ２は空間的ストリーム２、ＳＴＡ３は空間的ストリーム３を介してアップリンクデータフレーム２９２１、２９２２、２９２３をＡＰに送信できる。
【０５１８】
アップリンクデータフレーム２９２１、２９２２、２９２３を伝達するＰＰＤＵは、Ｌ-ｐａｒｔなくても新しい構造にも構成が可能である。
【０５１９】
また、ＵＬ  ＭＵ  ＭＩＭＯ送信または２０ＭＨｚ未満のサブバンド形態のＵＬ  ＭＵ  ＯＦＤＭＡ送信の場合、アップリンクデータフレーム２９２１、２９２２、２９２３を伝達するＰＰＤＵのＬ-ｐａｒｔは、ＳＦＮ形態（すなわち、すべてのＳＴＡが同一なＬ-ｐａｒｔ構成と内容を同時に送信）で送信されることができる。これに対し、２０ＭＨｚ以上のサブバンド形態のＵＬ  ＭＵ  ＯＦＤＭＡ送信の場合、アップリンクデータフレーム２９２１、２９２２、２９２３を伝達するＰＰＤＵのＬ-ｐａｒｔは、各ＳＴＡが割り当てられた帯域で２０ＭＨｚ単位に各々Ｌ-ｐａｒｔが送信されることができる。
【０５２０】
ＵＬ  ＭＵトリガーフレーム２９１０の情報でアップリンクデータフレームを十分に構成できるならば、アップリンクデータフレーム２９２１、２９２２、２９２３を伝達するＰＰＤＵ内のＨＥ-ＳＩＧフィールド（すなわち、データフレームの構成方式に対する制御情報を送信する領域）も要らなくなりうる。例えば、ＨＥ-ＳＩＧ-Ａフィールド及び／又はＨＥ-ＳＩＧ-Ｂが送信されなくても良い。また、ＨＥ-ＳＩＧ-ＡフィールドとＨＥ-ＳＩＧ-Ｃフィールドは送信され、ＨＥ-ＳＩＧ-Ｂフィールドは送信されなくても良い。
【０５２１】
ＡＰは、各ＳＴＡから受信したアップリンクデータフレーム２９２１、２９２２、２９２３に対する応答として、ＡＣＫフレーム（ＡＣＫ  ｆｒａｍｅ）２９３０（またはＢＡフレーム）を送信できる。ここで、ＡＰは、各ＳＴＡからアップリンクデータフレーム２９２１、２９２２、２９２３を受信し、ＳＩＦＳ以後にＡＣＫフレーム２９３０を各ＳＴＡに送信できる。
【０５２２】
万が一、従来のＡＣＫフレームの構造を同様に利用するならば、６オクテットサイズを有するＲＡフィールドにＵＬ  ＭＵ送信に参加するＳＴＡのＡＩＤ（或いは、部分ＡＩＤ（Ｐａｒｔｉａｌ  ＡＩＤ））を含んで構成できる。
【０５２３】
または、新しい構造のＡＣＫフレームを構成する場合、ＤＬ  ＳＵ送信またはＤＬ  ＭＵ送信のための形態で構成できる。
【０５２４】
ＡＰは、受信に成功したＵＬ  ＭＵデータフレームに対するＡＣＫフレーム２９３０だけを当該ＳＴＡに送信できる。また、ＡＰは、ＡＣＫフレーム２９３０を介して受信に成功したかどうかをＡＣＫまたはＮＡＣＫに知らせることができる。仮に、ＡＣＫフレーム２９３０がＮＡＣＫ情報を含むならば、ＮＡＣＫに対する理由またはその後の手順のための情報（例えば、ＵＬ  ＭＵスケジューリング情報等）も含むことができる。
【０５２５】
または、ＡＣＫフレーム２９３０を伝達するＰＰＤＵは、Ｌ-ｐａｒｔ無しで新しい構造から構成することもできる。
【０５２６】
ＡＣＫフレーム２９３０は、ＳＴＡ  ＩＤ或いはアドレス情報を含むことができるが、ＵＬ  ＭＵトリガーフレーム２９１０で指示されたＳＴＡの順序を同一に適用するならば、ＳＴＡ  ＩＤ或いはアドレス情報を省略しても良い。
【０５２７】
また、ＡＣＫフレーム２９３０のＴＸＯＰ（すなわち、Ｌ-ＳＩＧ保護区間）を延長して次のＵＬ  ＭＵスケジューリングのためのフレーム、または次のＵＬ  ＭＵ送信のための補正情報などを含む制御フレームがＴＸＯＰ内に含まれることができる。
【０５２８】
一方、ＵＬ  ＭＵ送信のためにＳＴＡ同士に同期を合わせる等の補正（ａｄｊｕｓｔｍｅｎｔ）過程を追加することができる。
【０５２９】
図３０〜図３２は、本発明の一実施形態に係るＯＦＤＭＡ多重ユーザ（ｍｕｌｔｉ−ｕｓｅｒ）送信方式で資源割当単位を例示する図である。
【０５３０】
ＤＬ／ＵＬ  ＯＦＤＭＡ送信方式が使用されるとき、ＰＰＤＵ帯域幅内でｎ個のトーン（ｔｏｎｅ）（または、サブキャリア（ｓｕｂｃａｒｒｉｅｒ））単位として複数個の資源ユニット（Ｒｅｓｏｕｒｃｅ  Ｕｎｉｔ）が定義され得る。
【０５３１】
資源ユニットは、ＤＬ／ＵＬ  ＯＦＤＭＡ送信のための周波数資源の割当単位を意味する。
【０５３２】
１つのＳＴＡにＤＬ／ＵＬ周波数資源として１つ以上の資源ユニットが割り当てられ、複数個のＳＴＡに各々互いに異なる資源ユニットが割り当てられ得る。
【０５３３】
図３０では、ＰＰＤＵ帯域幅が２０ＭＨｚである場合を例示する。
【０５３４】
２０ＭＨｚ  ＰＰＤＵ帯域幅（ｂａｎｄｗｉｄｔｈ）の中心周波数領域には、７個のＤＣトーンが位置し得る。また、２０ＭＨｚ  ＰＰＤＵ帯域幅の両側には、６個のレフトガードトーン（ｌｅｆｔ  ｇｕａｒｄ  ｔｏｎｅｓ）及び５個のライトガードトーン（ｒｉｇｈｔ  ｇｕａｒｄ  ｔｏｎｅｓ）が各々位置し得る。
【０５３５】
図３０（ａ）のような資源ユニット構成方式によれば、１つの資源ユニットは、２６個のトーンで構成されることができる。また、図３０（ｂ）のような資源ユニット構成方式によれば、１つの資源ユニットは、５２個のトーンで構成されるか、２６個のトーンで構成されることができる。また、図３０（ｃ）のような資源ユニット構成方式によれば、１つの資源ユニットは、１０６個のトーンで構成されるか、２６個のトーンで構成されることができる。また、図３０（ｄ）のような資源ユニット構成方式によれば、１つの資源ユニットは、２４２個のトーンで構成されることができる。
【０５３６】
２６トーンで構成された資源ユニットは、２個のパイロットトーンを含むことができ、５２トーンで構成された資源ユニットは、４個のパイロットトーンを含むことができ、１０６トーンで構成された資源ユニットは、４個のパイロットトーンを含むことができる。
【０５３７】
図３０（ａ）のように資源ユニットが構成される場合、２０ＭＨｚ帯域でＤＬ／ＵＬ  ＯＦＤＭＡ送信のために最大９個のＳＴＡまで支援することができる。また、図３０（ｂ）のように資源ユニットが構成される場合、２０ＭＨｚ帯域でＤＬ／ＵＬ  ＯＦＤＭＡ送信のために最大５個のＳＴＡまで支援することができる。また、図３０（ｃ）のように資源ユニットが構成される場合、２０ＭＨｚ帯域でＤＬ／ＵＬ  ＯＦＤＭＡ送信のために最大３個のＳＴＡまで支援することができる。また、３０（ｄ）のように資源ユニットが構成される場合、２０ＭＨｚ帯域は、１つのＳＴＡに割り当てられることができる。
【０５３８】
ＤＬ／ＵＬ  ＯＦＤＭＡ送信に参加するＳＴＡの数及び／又は当該ＳＴＡが送信する或いは受信するデータの量などに基づいて、図３０（ａ）〜図３０（ｄ）のうち、いずれか１つの資源ユニット構成方式が適用されるか、または、図３０（ａ）〜図３０（ｄ）が組み合わせられた資源ユニット構成方式が適用されることができる。
【０５３９】
図３１では、ＰＰＤＵ帯域幅が４０ＭＨｚである場合を例示する。
【０５４０】
４０ＭＨｚ  ＰＰＤＵ帯域幅の中心周波数領域には、５個のＤＣトーンが位置し得る。また、４０ＭＨｚ  ＰＰＤＵ帯域幅の両側には、１２個のレフトガードトーン及び１１個のライトガードトーンが各々位置し得る。
【０５４１】
図３１（ａ）のような資源ユニット構成方式によれば、１つの資源ユニットは、２６個のトーンで構成されることができる。また、図３１（ｂ）のような資源ユニット構成方式によれば、１つの資源ユニットは、５２個のトーンで構成されるか、２６個のトーンで構成されることができる。また、図３１（ｃ）のような資源ユニット構成方式によれば、１つの資源ユニットは、１０６個のトーンで構成されるか、２６個のトーンで構成されることができる。また、図３１（ｄ）のような資源ユニット構成方式によれば、１つの資源ユニットは、２４２個のトーンで構成されることができる。また、図３１（ｅ）のような資源ユニット構成方式によれば、１つの資源ユニットは、４８４個のトーンで構成されることができる。
【０５４２】
２６トーンで構成された資源ユニットは、２個のパイロットトーンを含むことができ、５２トーンで構成された資源ユニットは、４個のパイロットトーンを含むことができ、１０６トーンで構成された資源ユニットは、４個のパイロットトーンを含むことができ、２４２トーンで構成された資源ユニットは、８個のパイロットトーンを含むことができ、４８４トーンで構成された資源ユニットは、１６個のパイロットトーンを含むことができる。
【０５４３】
図３１（ａ）のように資源ユニットが構成される場合、４０ＭＨｚ帯域でＤＬ／ＵＬ  ＯＦＤＭＡ送信のために最大１８個のＳＴＡまで支援することができる。また、図３１（ｂ）のように資源ユニットが構成される場合、４０ＭＨｚ帯域でＤＬ／ＵＬ  ＯＦＤＭＡ送信のために最大１０個のＳＴＡまで支援することができる。また、図３１（ｃ）のように資源ユニットが構成される場合、４０ＭＨｚ帯域でＤＬ／ＵＬ  ＯＦＤＭＡ送信のために最大６個のＳＴＡまで支援することができる。また、図３１（ｄ）のように資源ユニットが構成される場合、４０ＭＨｚ帯域でＤＬ／ＵＬ  ＯＦＤＭＡ送信のために最大２個のＳＴＡまで支援することができる。また、３１（ｅ）のように資源ユニットが構成される場合、当該資源ユニットは、４０ＭＨｚ帯域でＳＵ  ＤＬ／ＵＬ送信のために１個のＳＴＡに割り当てられることができる。
【０５４４】
ＤＬ／ＵＬ  ＯＦＤＭＡ送信に参加するＳＴＡの数及び／又は当該ＳＴＡが送信する或いは受信するデータの量などに基づいて、図３１（ａ）〜図３１（ｅ）のうち、いずれか１つの資源ユニット構成方式が適用されるか、または、図３１（ａ）〜図３１（ｅ）が組み合わせられた資源ユニット構成方式が適用されることができる。
【０５４５】
図３２では、ＰＰＤＵ帯域幅が８０ＭＨｚである場合を例示する。
【０５４６】
８０ＭＨｚ  ＰＰＤＵ帯域幅の中心周波数領域には、７個のＤＣトーンが位置し得る。ただし、８０ＭＨｚ  ＰＰＤＵ帯域幅が１つのＳＴＡに割り当てられた場合に（すなわち、９９６トーンで構成された資源ユニットが１つのＳＴＡに割り当てられた場合）、中心周波数領域には、５個のＤＣトーンが位置し得る。また、８０ＭＨｚ  ＰＰＤＵ帯域幅の両側には、１２個のレフトガードトーン及び１１個のライトガードトーンが各々位置し得る。
【０５４７】
図３２（ａ）のような資源ユニット構成方式によれば、１つの資源ユニットは、２６個のトーンで構成されることができる。また、図３２（ｂ）のような資源ユニット構成方式によれば、１つの資源ユニットは、５２個のトーンで構成されるか、２６個のトーンで構成されることができる。また、図３２（ｃ）のような資源ユニット構成方式によれば、１つの資源ユニットは、１０６個のトーンで構成されるか、２６個のトーンで構成されることができる。また、図３２（ｄ）のような資源ユニット構成方式によれば、１つの資源ユニットは、２４２個のトーンで構成されるか、２６個のトーンで構成されることができる。図３２（ｅ）のような資源ユニット構成方式によれば、１つの資源ユニットは、４８４個のトーンで構成されるか、２６個のトーンで構成されることができる。図３２（ｆ）のような資源ユニット構成方式によれば、１つの資源ユニットは、９９６個のトーンで構成されることができる。
【０５４８】
２６トーンで構成された資源ユニットは、２個のパイロットトーンを含むことができ、５２トーンで構成された資源ユニットは、４個のパイロットトーンを含むことができ、１０６トーンで構成された資源ユニットは、４個のパイロットトーンを含むことができ、２４２トーンで構成された資源ユニットは、８個のパイロットトーンを含むことができ、４８４トーンで構成された資源ユニットは、１６個のパイロットトーンを含むことができ、９９６トーンで構成された資源ユニットは、１６個のパイロットトーンを含むことができる。
【０５４９】
図３２（ａ）のように資源ユニットが構成される場合、８０ＭＨｚ帯域でＤＬ／ＵＬ  ＯＦＤＭＡ送信のために最大３７個のＳＴＡまで支援することができる。また、図３２（ｂ）のように資源ユニットが構成される場合、８０ＭＨｚ帯域でＤＬ／ＵＬ  ＯＦＤＭＡ送信のために最大２１個のＳＴＡまで支援することができる。また、図３２（ｃ）のように資源ユニットが構成される場合、８０ＭＨｚ帯域でＤＬ／ＵＬ  ＯＦＤＭＡ送信のために最大１３個のＳＴＡまで支援することができる。また、３２（ｄ）のように資源ユニットが構成される場合、８０ＭＨｚ帯域でＤＬ／ＵＬ  ＯＦＤＭＡ送信のために最大５個のＳＴＡまで支援することができる。また、３２（ｅ）のように資源ユニットが構成される場合、８０ＭＨｚ帯域でＤＬ／ＵＬ  ＯＦＤＭＡ送信のために最大３個のＳＴＡまで支援することができる。また、図３２（ｆ）のように資源ユニットが構成される場合、当該資源ユニットは、８０ＭＨｚ帯域でＳＵ  ＤＬ／ＵＬ送信のために１個のＳＴＡに割り当てられることができる。
【０５５０】
ＤＬ／ＵＬ  ＯＦＤＭＡ送信に参加するＳＴＡの数及び／又は当該ＳＴＡが送信する或いは受信するデータの量などに基づいて、図３２（ａ）〜図３２（ｆ）のうち、いずれか１つの資源ユニット構成方式が適用されるか、または、図３２（ａ）〜図３２（ｆ）が組み合わせられた資源ユニット構成方式が適用されることができる。
【０５５１】
その他にも、図面には示していないが、ＰＰＤＵ帯域幅が１６０ＭＨｚである場合の資源ユニットの構成方式も提案されることができる。この場合、１６０ＭＨｚ  ＰＰＤＵの帯域幅は、図３２において上述した８０ＭＨｚ  ＰＰＤＵ帯域幅が２回繰り返された構造を有することができる。
【０５５２】
上述した資源ユニット構成方式によって決定された全体資源ユニットのうち、ＤＬ／ＵＬ  ＯＦＤＭＡ送信のために一部の資源ユニットだけが用いられることもできる。例えば、２０ＭＨｚ内で図３０（ａ）のように資源ユニットが構成される場合、９個未満のＳＴＡに各々１つずつ資源ユニットが割り当てられ、残りの資源ユニットは、いずれのＳＴＡにも割り当てられないこともある。
【０５５３】
ＤＬ  ＯＦＤＭＡ送信の場合、ＰＰＤＵのデータフィールドは、各ＳＴＡに割り当てられた資源ユニット単位で周波数領域（ｆｒｅｑｕｅｎｃｙ  ｄｏｍａｉｎ）で多重化されて送信される。
【０５５４】
それに対し、ＵＬ  ＯＦＤＭＡ送信の場合、各ＳＴＡ別に各々自分が割当を受けた資源ユニット単位でＰＰＤＵのデータフィールドを構成し、同時にＡＰに送信することができる。このように各ＳＴＡが同時にＰＰＤＵを送信するので、受信端であるＡＰの立場では、各ＳＴＡから送信されるＰＰＤＵのデータフィールドが周波数領域（ｆｒｅｑｕｅｎｃｙ  ｄｏｍａｉｎ）で多重化されて送信されることと認識されることができる。
【０５５５】
また、ＤＬ／ＵＬ  ＯＦＤＭＡ送信とＤＬ／ＵＬ  ＭＵ−ＭＩＭＯ送信とが同時に支援される場合、１つの資源ユニットは、空間領域（ｓｐａｔｉａｌ  ｄｏｍａｉｎ）において複数のストリームで構成されることができる。そして、１つのＳＴＡにＤＬ／ＵＬ空間資源（ｓｐａｔｉａｌ  ｒｅｓｏｕｒｃｅ）として１つ以上のストリームが割り当てられて、複数個のＳＴＡに各々互いに異なるストリームが割り当てられ得る。
【０５５６】
例えば、図３０（ｃ）において１０６トーンで構成される資源ユニットは、空間領域（ｓｐａｔｉａｌ  ｄｏｍａｉｎ）において複数のストリームで構成されて、ＤＬ／ＵＬ  ＯＦＤＭＡとＤＬ／ＵＬ  ＭＵ−ＭＩＭＯとを同時に支援することができる。
【０５５７】
以上のように、ＩＥＥＥ８０２．１１ａｘ  ＷＬＡＮシステムに関して説明した。以下では、本発明の実施形態に係るＤＬ／ＵＬ  ＭＵデータ送信方法に関して詳細に説明する。
【０５５８】
ＡＣＫ指示情報のＤＬ  ＭＵ送信
ＡＰがＳＴＡにＤＬ  ＭＵフレームを送信する場合（すなわち、ＡＰがＭＡＣフレームをＳＴＡにＤＬ  ＭＵ送信する場合）、ＤＬ  ＭＵフレームを受信した各ＳＴＡは、受信したＤＬ  ＭＵフレームに対する応答としてＡＣＫ／ＢＡフレームをＡＰに送信することができる。この場合、ＳＴＡは、ＡＣＫ／ＢＡフレームをＵＬ  ＳＵまたはＵＬ  ＭＵ送信することができる。各ＳＴＡがＡＣＫ／ＢＡフレームをＵＬ  ＭＵ送信する場合、ＡＣＫ／ＢＡフレームのＵＬ  ＭＵ送信のためのＡＣＫ指示（ｉｎｄｉｃａｔｉｏｎ）情報が要求され得る。ここで、ＡＣＫ指示情報は、ＤＬ  ＭＵデータフィールドを介して送信されたデータに対する応答であるＡＣＫ／ＢＡフレームのＵＬ  ＭＵ送信のための情報を表すことができる。以下では、説明の都合上、ＡＣＫフレームとＢＡフレームとを通称して「ＡＣＫフレーム」と呼ぶことにする。
【０５５９】
本発明の一実施形態に係るＡＣＫ指示情報は、資源割当情報、帯域幅情報、チャネル情報、ＭＣＳ情報、ＰＰＤＵ最大長さ情報など、様々な情報を含むことができる。
【０５６０】
−資源割当情報（Ｒｅｓｏｕｒｃｅ  ａｌｌｏｃａｔｉｏｎ  ｉｎｆｏｒｍａｔｉｏｎ）
【０５６１】
：ＡＣＫフレームをＵＬ  ＭＵ送信するために、各ＳＴＡ別に割り当てられたＵＬ  ＭＵ資源（周波数資源及び／又は空間資源）に関する情報である。ＡＣＫフレームが周波数多重化されてＵＬ  ＭＵ送信される場合、資源割当情報は、ＡＣＫフレームを送信するために、各ＳＴＡに割り当てられた周波数資源に関する情報が含まれることもある。この場合、資源割当情報は、ＡＣＫフレームを運ぶＵＬ  ＭＵ  ＰＰＤＵの帯域幅に対応するトーンプラン（図３０〜図３２参照）を基準として各ＳＴＡに割り当てられた周波数資源情報を含むことができる。
【０５６２】
一実施形態として、資源割当情報は、各ＳＴＡ別にある周波数帯域で何番目の資源ユニットを使用してＡＣＫフレームをＵＬ  ＭＵ送信するかに関して知らせることができる。例えば、資源割当情報は、ＳＴＡ  １に２０ＭＨｚ帯域幅の１番目の５２トン資源ユニットを用いてＡＣＫフレームを送信することを知らせることができる。
【０５６３】
他の実施形態として、資源割当方法が表１３のようにテーブル化されている場合、資源割当情報は、各ＳＴＡに割り当てられた資源に対応するインデックス値を提供することもできる。
【０５６４】
【表１３】
0006430635.tif 000025
【０５６５】
ただし、帯域幅（２０ＭＨｚ／４０ＭＨｚ／８０ＭＨｚ）別に資源割当方法を全てテーブル化することは、オーバーヘッドが過度に増加するという問題点が発生し得る。したがって、オーバーヘッドを減らすために、２０ＭＨｚ帯域幅の資源割当方法がテーブル化されることができ、資源割当情報は、各ＳＴＡに割り当てられた資源に対応するインデックス値を提供できる。この場合、資源割当情報とともに帯域幅やチャネル情報がさらに提供され得る。例えば、１つのＳＴＡに４８４トーン資源ユニットが割り当てられる場合、当該ＳＴＡに対する資源割当情報は、インデックス開始値として２４２トーン資源ユニットを指示でき、帯域幅情報は、４０ＭＨｚを指示できる。
【０５６６】
その他にも、資源割当情報は、ＡＣＫフレームを送信するために、各ＳＴＡに割り当てられた空間資源に関する情報が含まれることもある。
【０５６７】
ＡＣＫフレームのＵＬ  ＭＵ送信のための資源割当情報のフォーマットは、ＨＥ−ＳＩＧ  ＢフィールドでＤＬ  ＭＵフレームのＤＬ  ＭＵ送信のための資源割当情報のフォーマットと同一であるか、異なることができる。
【０５６８】
−帯域幅情報
【０５６９】
：ＵＬ  ＭＵ送信するＡＣＫフレームを運ぶＵＬ  ＭＵ  ＰＰＤＵの帯域幅（２０ＭＨｚ／４０ＭＨｚ／８０ＭＨｚ／１６０ＭＨｚ）に関する情報である。
【０５７０】
−チャネル情報
【０５７１】
：各ＳＴＡに割り当てられた周波数資源の帯域幅が２０ＭＨｚを超過する場合、各ＳＴＡ別に何番目の２０ＭＨｚチャネルが割り当てられたかを指示する情報である。例えば、チャネル情報が「００」である場合、１番目の２０ＭＨｚチャネル、「０１」である場合、２番目のチャネルが割り当てられたことを指示できる。
【０５７２】
前記帯域幅情報とチャネル情報とは、様々な形式で同時に提供されることができる。
【０５７３】
一実施形態として、帯域幅情報とチャネル情報とは、ビットマップ形式で提供されることができる。例えば、ＳＴＡ  １に対する帯域幅情報とチャネル情報とが「１１００」である場合、ＳＴＡ  １には８０ＭＨｚ（２０ＭＨｚ＊４ｂｉｔｓ）帯域幅のうち、１番目及び２番目の２０ＭＨｚチャネルの周波数資源が割り当てられたことを意味する。すなわち、ビットマップに含まれたビット数（ｎ）は、帯域幅情報（２０ＭＨｚ＊ｎ）を指示でき、「１」ビット値を有するビットの位置は、チャネル情報を指示できる。
【０５７４】
他の実施形態として、帯域幅情報とチャネル情報とはテーブル形式で提供されることができる。この場合、帯域幅情報及びチャネル情報をテーブル形式で表すのに３ｂｉｔｓが要求され得る。例えば、帯域幅情報及びチャネル情報が「０００」〜「０１１」であることは、「１番目の２０ＭＨｚチャネル〜４番目の２０ＭＨｚチャネル」が割り当てられたことを各々指示することができ、「１００」は、「１番目の４０ＭＨｚチャネル」、「１０１」は、「２番目の４０ＭＨｚチャネル」、「１１１」は、「８０ＭＨｚチャネル」が割り当てられたことを各々指示することができる。
【０５７５】
上述した実施形態は、例示に過ぎず、帯域幅情報とチャネル情報とは、様々な実施形態として構成されることができる。
【０５７６】
−ＭＣＳ情報
【０５７７】
：ＵＬ  ＭＵ送信するＡＣＫフレームに適用されるＭＣＳレベルに関する情報である。
【０５７８】
ＭＣＳ情報は、４〜５ｂｉｔｓのビットサイズで構成されて、ＡＣＫフレームに適用されるＭＣＳレベルを直接指示することができる。この場合、ＭＣＳ情報は、システムで定義された全てのＭＣＳレベルに関して指示することができる。
【０５７９】
または、強固な（ｒｏｂｕｓｔ）送信のためにＵＬ  ＭＵ送信されるＡＣＫフレームには、より低いＭＣＳレベルが適用されると仮定するとき、ＭＣＳ情報は、ＡＣＫフレームに適用されるＭＣＳレベルとＤＬ  ＭＵフレームに適用されるＭＣＳレベルとに対する差値を指示できる。例えば、
【０５８０】
＊ＭＣＳ情報が「００」である場合、ＡＣＫフレームは、ＤＬ  ＭＵフレームと同じＭＣＳレベルが適用されることを指示し、
【０５８１】
＊ＭＣＳ情報が「０１」である場合、ＡＣＫフレームに適用されたＭＣＳレベルは、ＤＬ  ＭＵフレームに適用されたＭＣＳレベルより１段階低いＭＣＳレベルが適用されることを指示し、
【０５８２】
＊ＭＣＳ情報が「１０」である場合、ＡＣＫフレームに適用されたＭＣＳレベルは、ＤＬ  ＭＵフレームに適用されたＭＣＳレベルより２段階低いＭＣＳレベルが適用されることを指示し、
【０５８３】
＊ＭＣＳ情報が「１１」である場合、ＡＣＫフレームに適用されたＭＣＳレベルは、ＤＬ  ＭＵフレームに適用されたＭＣＳレベルより３段階低いＭＣＳレベルが適用されることを指示できる。
【０５８４】
ここで、より高い／低いＭＣＳレベルとは、シンボル当たりデータビット数がより高い／低い変調方式を指示するＭＣＳレベルを意味したり、または、変調方式が同じである場合、より高い／低いコードレートを指示するＭＣＳレベルを意味できる。ＭＣＳレベルが低いほど、強固な（ｒｏｂｕｓｔ）送信に有利である。
【０５８５】
または、ＭＣＳ情報は、ＤＬ  ＭＵフレームに適用されるＭＣＳレベルと関係なく、強固な送信のための低いＭＣＳレベルだけを選択的に指示できる。例えば、
【０５８６】
＊ＭＣＳ情報が「００」である場合、ＭＣＳ  ０レベル（例えば、ＢＰＳＫ変調及び１／２コードレートコーディング）を指示し、
【０５８７】
＊ＭＣＳ情報が「０１」である場合、ＭＣＳ  １レベル（例えば、ＱＰＳＫ変調及び１／２コードレートコーディング）を指示し、
【０５８８】
＊ＭＣＳ情報が「１０」である場合、ＭＣＳ  ２レベル（例えば、ＱＰＳＫ変調及び３／４コードレートコーディング）を指示し、
【０５８９】
＊ＭＣＳ情報が「１１」である場合、ＭＣＳ  ３レベル（例えば、１６ＱＡＭ変調及び１／２コードレートコーディング）を指示できる。
【０５９０】
−ＰＰＤＵの最大長さ情報（または、ＡＣＫフレームの最大長さ情報）
【０５９１】
：ＡＣＫフレームを運ぶＵＬ  ＭＵ  ＰＰＤＵの最大長さ情報である。または、ＵＬ  ＭＵ  ＰＰＤＵが運ぶＡＣＫフレームのうち、最も長い長さを有するＡＣＫフレームの長さ情報である。
【０５９２】
各ＳＴＡ別に送信されるＡＣＫフレームは、ＵＬ  ＭＵ送信の際に使用されるＵＬ  ＭＵ周波数資源及び適用されるＭＣＳレベルによって互いに異なる長さを有することができるが、干渉（ｉｎｔｅｒｆｅｒｅｎｃｅ）防止のために、全て同じ長さを有するようにパディングされて送信されることができる。したがって、各ＳＴＡは、自分が送信すべきＵＬ  ＭＵ  ＰＰＤＵ（及び／又はＡＣＫフレーム）の長さを最大ＵＬ  ＭＵ  ＰＰＤＵ長さ（及び／又はＡＣＫフレームの最大長さ情報）と同一になるようにパディングする場合、最大ＵＬ  ＭＵ  ＰＰＤＵの長さ情報（及び／又はＡＣＫフレームの最大長さ情報）が必要でありうる。ＵＬ  ＭＵ  ＰＰＤＵの最大長さは、マイクロセカンド（ｍｉｃｒｏ  ｓｅｃｏｎｄ、ｕｓ）単位で表現されるか、シンボル（ｓｙｍｂｏｌ）数単位で表現されることができる。
【０５９３】
ＵＬ  ＭＵ  ＰＰＤＵの最大長さがシンボル数単位で表現される場合、常に含まれる物理プリアンブルの４０ｕｓを除外してシンボル数を計算することにより、シンボル数に対するシグナリングオーバーヘッドを減らすことができる。
【０５９４】
例えば、ＢＰＳＫ変調及び１／２コードレートのＭＣＳレベルが適用され、２６トーン資源ユニットを用いて送信されるＵＬ  ＭＵ  ＰＰＤＵの長さは、約４００ｕｓであり、ここで、物理プリアンブルを除外してシンボル数を計算すれば、ほぼ２６シンボルとなる。このようなＵＬ  ＭＵ  ＰＰＤＵの最大長さを考慮すれば、ＵＬ  ＭＵ  ＰＰＤＵの最大長さ情報のビットサイズは、５ｂｉｔｓになることができる（０００００：１シンボル〜１１１１１：３２シンボル）。
【０５９５】
−その他
【０５９６】
上述した情報の他に、バッファ状態（ｂｕｆｆｅｒ  ｓｔａｔｕｓ  ｒｅｐｏｒｔ）情報、チャネル状態（ｃｈａｎｎｅｌ  ｓｔａｔｕｓ  ｒｅｐｏｒｔ）情報、ＳＴＡ等のランダムアクセス（ｒａｎｄｏｍ  ａｃｃｅｓｓ）のためのトリガー情報、ＣＰ（Ｃｙｃｌｉｃ  Ｐｒｅｆｉｘ）長さ情報、ＳＴＢＣ使用可否、コーディング方法など、ＡＣＫフレームのＵＬ  ＭＵ送信のための様々なトリガー情報が含まれ得る。
【０５９７】
上述した情報は、実施形態によって別の予め設定された方式でシグナリングされるか、ＤＬ  ＭＵフレームのシグナリング方式と同じ方式でシグナリングされることもできる。また、上述した情報は、選択的にＡＣＫ指示情報に含まれることができ、上述した情報の他に、追加的な情報がＡＣＫ指示情報に含まれることができる。
【０５９８】
以下では、上述したＡＣＫ指示情報を送信する方法に関して図３３及び図３４を参照して提案しようとする。
【０５９９】
ＡＣＫ指示情報を送信する方法は、以下のように、大別して２つに区分されることができる。
【０６００】
１．物理プリアンブルに含まれて送信
【０６０１】
２．データフィールドに含まれて送信
【０６０２】
ＡＣＫ指示情報が物理プリアンブルに含まれて送信される実施形態は、図３３と関連して、データフィールドに含まれて送信される実施形態は、図３４〜図３６と関連して以下において説明する。
【０６０３】
図３３は、ＡＣＫ指示情報が物理プリアンブルに含まれた２０ＭＨｚ  ＤＬ  ＭＵ  ＰＰＤＵの一実施形態を示した図である。
【０６０４】
図３３に示すように、２０ＭＨｚ  ＤＬ  ＭＵ  ＰＰＤＵは、物理プリアンブル及び物理プリアンブルに後続するデータフィールドを含むことができる。より詳細には、２０ＭＨｚ  ＤＬ  ＭＵ  ＰＰＤＵは、Ｌ−ＳＴＦフィールド→Ｌ−ＬＴＦフィールド→Ｌ−ＳＩＧフィールド→ＲＬ−ＳＩＧ（Ｒｅｐｅａｔｅｄ  Ｌ−ＳＩＧ）フィールド→ＨＥ−ＳＩＧ  Ａフィールド→ＨＥ−ＳＩＧ  Ｂフィールド→ＨＥ−ＳＴＦフィールド→ＨＥ−ＬＴＦフィールド→ＨＥ−ＳＩＧ  Ｃフィールドの順序で構成されることができる。上述したフィールドの順序は、実施形態によって変更されることができ、特定フィールドが追加されることができ、一部フィールドは含まれないこともある。
【０６０５】
ＡＣＫ指示情報は、このような物理プリアンブルのＨＥ−ＳＩＧ  ＢフィールドまたはＨＥ−ＳＩＧ  Bフィールドに含まれることができる。
【０６０６】
１．ＨＥ−ＳＩＧ  Ｂフィールドに含まれる場合
【０６０７】
ＡＣＫ指示情報は、物理プリアンブルのＨＥ−ＳＩＧ  Ｂフィールドに含まれてＤＬ  ＭＵ送信されることができる。ここで、ＨＥ−ＳＩＧ  Ｂフィールドは、ＤＬ  ＭＵ  ＰＰＤＵ（ＤＬ  ＭＵ送信されるＰＰＤＵ）の受信ＳＴＡにより共通に要求される「共通情報（または、共通フィールド（ｃｏｍｍｏｎ  ｆｉｅｌｄ））」と受信ＳＴＡ別に個別に要求される「ユーザ特定情報（または、ユーザ特定フィールド（ｕｓｅｒ  ｓｐｅｃｉｆｉｃ  ｆｉｅｌｄ））」を含むことができる。
【０６０８】
一実施形態として、ＡＣＫ指示情報は、ＨＥ−ＳＩＧ  Ｂフィールドの共通情報またはユーザ特定情報に含まれることができる。例えば、ＡＣＫ指示情報が受信ＳＴＡ全体に対する指示情報を含む場合、当該ＡＣＫ指示情報は、ＨＥ−ＳＩＧ  Ｂフィールドの共通情報に含まれることができる。または、ＡＣＫ指示情報が受信ＳＴＡ別の指示情報を含む場合、当該ＡＣＫ指示情報は、ＨＥ−ＳＩＧ  Ｂフィールドのユーザ特定情報に含まれることができる。
【０６０９】
他の実施形態として、ＡＣＫ指示情報は、ＨＥ−ＳＩＧ  Ｂフィールドの共通情報及びユーザ特定情報に含まれることができる。より詳細には、ＡＣＫ指示情報に含まれた受信ＳＴＡ全体に対するＡＣＫサブ指示情報は、共通情報に含まれることができ、ＡＣＫ指示情報に含まれた受信ＳＴＡ別のＡＣＫサブ指示情報は、ユーザ特定情報に含まれることができる。
【０６１０】
例えば、ＡＣＫフレーム送信のための受信ＳＴＡ「全体」のＵＬ  ＭＵ資源割当情報（すなわち、サブ指示情報）は、共通情報に含まれることができる。または、ＡＣＫフレーム送信のための受信ＳＴＡ別のＵＬ  ＭＵ資源割当情報（または、サブ指示情報）は、ユーザ特定情報に含まれることができる。また、受信ＳＴＡ別にＡＣＫフレームに適用されるＭＣＳレベルに関する情報は、ユーザ特定情報に含まれることができる。または、受信ＳＴＡ別に適用されるＭＣＳレベルが同じである場合、当該ＭＣＳレベルに関する情報は、共通情報に含まれることができる。また、受信ＳＴＡ別に送信するＡＣＫフレームが全て同じ長さを有するようにパディングされると仮定すれば、ＡＣＫフレームの最大長さ情報（すなわち、サブ指示情報）は、共通情報に含まれることができる。
【０６１１】
その他にも、ＡＣＫ指示情報に含まれたサブ指示情報は、特性に応じて共通情報またはユーザ特定情報に含まれることができ、上述した実施形態に限定されるものではない。
【０６１２】
２．ＨＥ−ＳＩＧ  Ｃフィールドに含まれる場合
【０６１３】
ＡＣＫ指示情報は、物理プリアンブルのＨＥ−ＳＩＧ  Ｃフィールドに含まれてＤＬ  ＭＵ送信されることができる。
【０６１４】
前述したように、２０ＭＨｚ  ＤＬ  ＭＵ  ＰＰＤＵの場合、ＨＥ−ＳＩＧ  Ｂフィールドまでは６４ＦＦＴが使用され、ＨＥ−ＳＴＦから２５６（４＊６４）ＦＦＴが使用され得る。この場合、各ＳＴＡは、ＨＥ−ＳＩＧ  Ｂフィールドに含まれたＤＬ  ＭＵ資源割当情報を利用して自分に割り当てられたＤＬ  ＭＵ資源に関する情報を取得できる。ＨＥ−ＳＩＧ  Ｃフィールドは、ＨＥ−ＳＴＦの後に位置するので、各ＳＴＡに個別的に割り当てられた資源を利用して送信されることができ、したがって、ＨＥ−ＳＩＧ  Ｃフィールドは、各ＳＴＡに特定の情報を送信するのに使用されることができる。したがって、ＡＰは、このようなＨＥ−ＳＩＧ  Ｃフィールドに各ＳＴＡ別のＡＣＫフレーム送信のためのＡＣＫ指示情報をＤＬ  ＭＵ送信することができる。
【０６１５】
このように物理プリアンブルに含まれたＡＣＫ指示情報は、ＤＬ  ＭＵ  ＰＰＤＵを介して各ＳＴＡにＤＬ  ＭＵ送信されることができ、各ＳＴＡは、受信したＡＣＫ指示情報に応じて自分に割り当てられたＵＬ  ＭＵ資源を利用してＡＣＫフレームをＵＬ  ＭＵ送信することができる。
【０６１６】
図３４は、ＡＣＫ指示情報がデータフィールドに含まれた２０ＭＨｚ  ＤＬ  ＭＵ  ＰＰＤＵの一実施形態を示した図である。図３４において示されたフィールドに関する説明は、図６、図７、及び図１７と関連して上述したとおりであるから、重複する説明を省略する。
【０６１７】
ＡＣＫ指示情報は、様々な実施形態としてデータフィールドに含まれることができる。例えば、データフィールドがＡ−ＭＰＤＵを含む場合、ＡＣＫ指示情報は、Ａ−ＭＰＤＵに含まれた少なくとも１つのＭＰＤＵのＭＡＣヘッダに含まれることができる。または、ＡＣＫ指示情報は、Ａ−ＭＰＤＵに含まれた少なくとも１つのＭＰＤＵのＭＡＣフレームボディに含まれることができる。以下では、ＡＣＫ指示情報がＭＡＣヘッダに含まれた実施形態を中心として説明する。
【０６１８】
一実施形態として、ＡＣＫ指示情報は、ＭＡＣヘッダに含まれたフレームコントロールフィールドに含まれることができる。従来は、フレームコントロールフィールドに含まれたＴｏ  ＤＳフィールドとＦｒｏｍ  ＤＳフィールドとのビット値が各々「１」であるオプションは、メッシュ（ｍｅｓｈ）ＢＳＳを指示するために使用されたが、本発明では、このようなオプションをＭＡＣヘッダ内のＡＣＫ指示情報包含可否を指示する指示子として使用することができる。したがって、Ｔｏ  ＤＳフィールドとＦｒｏｍ  ＤＳフィールドとの値が各々「１」に設定された場合（すなわち、ＡＣＫ指示情報を含んでいることを指示する場合）、住所４（ａｄｄｒｅｓｓ  ４）フィールド（６ｏｃｔｅｔｓ）は、ＡＣＫ指示情報を送信するためのフィールドとして使用されることができる。
【０６１９】
他の実施形態として、ＡＣＫ指示情報は、ＭＡＣヘッダに含まれたコントロールフィールドに含まれることができる。より詳細には、ＡＣＫ指示情報は、ＨＴフォーマットＭＰＤＵのＭＡＣヘッダに含まれたＨＴコントロールフィールド（４ｏｃｔｅｔｓ）に含まれることができる。または、ＡＣＫ指示情報は、８０２．１１ａｘシステムで新しく定義されたＨＥフォーマットＭＰＤＵのＭＡＣヘッダに含まれたＨＥコントロールフィールドに含まれることができる。
【０６２０】
ここで、ＨＥコントロールフィールド（４ｏｃｔｅｔｓ）は、ＨＴコントロールフィールドが８０２．１１ａｘシステムに合うように新しく構成されたフィールドでありうる。または、ＨＥコントロールフィールド（１０ｏｃｔｅｔｓ）は、上述した住所４フィールド（６ｏｃｔｅｔｓ）とＨＴコントロールフィールド（４ｏｃｔｅｔｓ）とが合わせられて新しく構成されたフィールドでありうる。または、ＨＥコントロールフィールドは、ＨＴフォーマットにおいて４ｏｃｔｅｔｓで構成されたＨＴコントロールフィールドに代わって４〜６ｏｃｔｅｔｓサイズを有するように新しく構成されたフィールドでありうる。
【０６２１】
上述したように、ＡＣＫ指示情報は、様々な実施形態としてＭＡＣヘッダに含まれた様々なフィールドに含まれることができる。この場合、ＭＡＣヘッダは、ＡＣＫ指示情報を含んでいることを指示する指示子をさらに含んでいることができる。以下では、このような指示子に関する様々な実施形態に関して後述する。
【０６２２】
ＡＣＫ指示情報が含まれていることを指示する指示子
Ａ−ＭＰＤＵサブフレームは、含んでいるＭＡＣヘッダがＡＣＫ指示情報を含んでいることを指示する指示子を含んでいることができる。指示子は、様々な実施形態としてＡ−ＭＰＤＵのサブフレームに含まれることができる。
【０６２３】
１）第１実施形態
【０６２４】
指示子は、ＡＣＫ指示情報を含むＭＡＣヘッダと対応するＭＰＤＵデリミタ（ｄｅｌｉｍｉｔｅｒ）フィールドに含まれることができる。より詳細には、１つのＡ−ＭＰＤＵサブフレームに含まれたＭＰＤＵデリミタフィールドは、前記Ａ−ＭＰＤＵサブフレームに含まれたＭＡＣヘッダがＡＣＫ指示情報を含んでいることを指示する指示子を含むことができる。例えば、ＭＰＤＵデリミタフィールドに含まれた予備ビット（４ｂｉｔｓ）のうちの特定ビット（１ｂｉｔ）は、指示子として機能を果たすことができる。仮に、指示子機能を果たす特定ビット値が予め設定された値（例えば、「１」）に設定された場合、前記指示子を含むＭＡＣヘッダは、ＡＣＫ指示情報を含んでいることを指示できる。
【０６２５】
また、ＭＰＤＵデリミタフィールドに含まれた指示子は、当該ＭＰＤＵデリミタフィールドと対応するＭＰＤＵが８０２．１１ａｘシステムで新しく定義されたＨＥコントロールフィールドを含んでいることをさらに指示することができる。より詳細には、１つのＡ−ＭＰＤＵサブフレームに含まれたＭＰＤＵデリミタフィールドは、前記Ａ−ＭＰＤＵサブフレームに含まれたＭＰＤＵがＨＥコントロールフィールドを含んでいることをさらに指示することができる。このとき、ＡＣＫ指示情報は、ＨＥコントロールフィールドに含まれることができる。この場合、当該ＨＥコントロールフィールドを含むＭＰＤＵは、ＨＴコントロールレッパーフレームに該当しないこともある。
【０６２６】
２）第２実施形態
【０６２７】
仮に、８０２．１１ａｘシステムでＡＣＫ指示情報を含むＭＰＤＵのタイプまたはサブタイプが新しく定義される場合、指示子は、新しく定義されたタイプまたはサブタイプとして前記ＭＰＤＵ内のＭＡＣヘッダのフレームコントロールフィールドに含まれることができる。すなわち、ＭＰＤＵのタイプまたはサブタイプは、指示子として当該ＭＰＤＵがＭＡＣヘッダ内にＡＣＫ指示情報を含むＭＰＤＵであることを指示できる。この場合、指示子としてのタイプまたはサブタイプは、８０２．１１ａｘシステムで新しく定義されることができる。
【０６２８】
３）第３実施形態
【０６２９】
仮に、ＡＣＫ指示情報を含むＭＰＤＵがＨＴコントロールフィールドを含むＨＴフォーマットフレーム（例えば、ＨＴコントロールラッパー（ｗｒａｐｐｅｒ）フレーム）に該当する場合、前記ＨＴコントロールフィールド内の特定ビットは、指示子としての機能を果たすことができる。より詳細には、ＨＴコントロールフィールド内に含まれた予備ビットのうちの特定ビットは、指示子としての機能を果たすことができ、当該特定ビットが予め設定された値に設定された場合、当該ＨＴコントロールフィールドは、ＡＣＫ指示情報を含んでいることを指示できる。
【０６３０】
４）第４実施形態
【０６３１】
図３５は、ＨＴフォーマットのコントロールフィールドを示した図である。図３５に示すように、コントロールフィールドの１番目のビットは、当該コントロールフィールドがＶＨＴフォーマットのＶＨＴコントロールフィールドであることを指示する指示子としての機能を果たすことができる。例えば、コントロールフィールドの１番目のビットの値が予め設定された値（例えば、「１」）に設定された場合、当該コントロールフィールドは、ＶＨＴコントロールフィールドであることを指示できる。
【０６３２】
これと同様に、ＨＴコントロールフィールドの２番目のビット（予備ビット）３５１０は、当該コントロールフィールドがＡＣＫ指示情報を含み、８０２．１１ａｘシステムで新しく定義されたＨＥフォーマットのＨＥコントロールフィールドであることを指示する指示子としての機能を果たすことができる。例えば、コントロールフィールドの１番目のビットがＶＨＴフォーマットを指示し、２番目のビット３５１０がＡＣＫ指示情報を含む（または、ＨＥフォーマットを）ことを指示する場合（または、２番目のビット３５１０が予め設定された値（例えば、「１」）に設定された場合）、当該コントロールフィールドは、ＡＣＫ指示情報を含むＨＥコントロールフィールドであることを指示できる。
【０６３３】
ＨＥコントロールフィールドは、ＨＴコントロールフィールドを用いて新しく構成されることができ、ＨＥコントロールフィールドの構成に関するより詳細な説明は、図３６と関連して以下において説明する。
【０６３４】
５）第５実施形態
【０６３５】
指示子は、ＭＡＣヘッダに含まれたフィールドのうち、特定フィールドに含まれることができる。より詳細には、指示子は、ＭＡＣヘッダに含まれたフィールドのうち、再解釈が可能な特定フィールドに含まれることができる。
【０６３６】
例えば、図３４と関連して上述したように、従来には、フレームコントロールフィールドに含まれたＴｏ  ＤＳフィールドとＦｒｏｍ  ＤＳフィールドとのビット値が各々「１」であるオプションは、メッシュ（ｍｅｓｈ）ＢＳＳを指示するために使用されたが、本発明では、このようなオプションをＭＡＣヘッダ内のＡＣＫ指示情報包含可否を指示する指示子として使用することができる。したがって、Ｔｏ  ＤＳフィールドとＦｒｏｍ  ＤＳフィールドとのビット値が各々「１」に設定された場合、住所４（ａｄｄｒｅｓｓ  ４）フィールドをＡＣＫ指示情報を送信するためのフィールドとして使用することができる。この場合、Ｔｏ  ＤＳフィールドとＦｒｏｍ  ＤＳフィールドとが指示子としての機能を果たすことができ、Ｔｏ  ＤＳフィールド及びＦｒｏｍ  ＤＳフィールドを介して前記フィールドを含むＭＡＣヘッダは、ＡＣＫ指示情報を含んでいることを指示できる。
【０６３７】
または、他の例として、ＭＡＣヘッダに含まれた特定住所フィールドに含まれた特定ビット（例えば、ＡＩＤフィールドの最上位ビットから１２番目のビット（Ｂ１２））は、指示子としての機能を果たすことができる。
【０６３８】
以上のように、指示子の様々な実施形態に関して説明した。指示子は、その他にも、様々な実施形態としてＭＡＣヘッダに含まれて、当該ＭＡＣヘッダがＡＣＫ指示情報を含んでいることを指示でき、上述した実施形態に限定されるものではない。
【０６３９】
以下では、第４実施形態と関連して上述したＨＥコントロールフィールドの構成に関して詳細に説明する。
【０６４０】
図３６は、本発明の一実施形態に係るＨＥコントロールフィールドを示した図である。
【０６４１】
図３６においてＨＥコントロールフィールドに含まれた一部フィールドに対する説明は、ＨＴコントロールフィールドに含まれた一部フィールドに対する説明（図８と関連して上述）が同様に適用され得る。したがって、以下では、ＨＴコントロールフィールドとの差異点を中心としてＨＥコントロールフィールドに関して説明する。図３６に示したフィールドは、独立的に存在することができ、選択的にＨＥコントロールフィールドに含まれることができ、フィールドの順序とビットサイズも実施形態によって変更されることができる。
【０６４２】
図３６に示すように、ＨＥコントロールフィールドは、ＨＴコントロールフォーマットとは異なり、指示子及びＡＣＫ指示情報を含むことができる。また、前述したように、ＨＥコントロールフィールドの１番目のビットは、当該コントロールビットがＶＨＴフォーマットであることを指示し、２番目のビットは、当該コントロールビットがＨＥフォーマットであることを指示できる。
【０６４３】
図３６（ａ）は、ＤＬ  ＭＵ送信されるＨＥコントロールフィールドを示した図である。
【０６４４】
図３６（ａ）に示すように、ＨＥコントロールフィールドは、ＡＣＫフレームのＵＬ  ＭＵ送信のためのＡＣＫチャネル情報、バッファ状態要求（Ｂｕｆｆｅｒ  ｓｔａｔｕｓ  ｒｅｐｏｒｔ  ｒｅｑｕｅｓｔ）情報（１ｂｉｔ）３６３０、及びチャネル状態情報（ｃｈａｎｎｅｌ  ｓｔａｔｕｓ  ｒｅｐｏｒｔ）（１ｂｉｔｓ）（図示せず）のうち、少なくとも１つを含むことができる。ここで、ＡＣＫチャネル情報は、ＡＣＫフレームをＵＬ  ＭＵ送信するために、各ＳＴＡに割り当てられたＵＬ  ＭＵ資源に関する情報である「資源割当（Ｒｅｓｏｕｒｃｅ  Ａｌｌｏｃａｔｉｏｎ；ＲＵ  ａｌｌｏｃａｔｉｏｎ）情報」を意味するものであって、前述した資源割当情報に関する説明及び実施形態が同様に適用され得る。この場合、ＡＣＫチャネル情報は、前述した資源割当情報のさらに他の実施形態であって、ＡＣＫチャネル開始インデックス情報（４ｂｉｔｓ）３６１０とＡＣＫチャネルデュレーション情報（４ｂｉｔｓ）３６２０とを含むことができる。
【０６４５】
「１つのＡＣＫチャネル」をＡＣＫフレームのためのＵＬ  ＭＵ資源の最小割当単位と仮定するとき、ＡＣＫチャネルの開始インデックス情報３６１０と割り当てられたＡＣＫチャネルのサイズ（または、個数）を指示するＡＣＫチャネルのデュレーション情報３６２０が要求され得る。この場合、ＡＣＫチャネルの開始インデックス情報３６１０とデュレーション情報３６２０とのビットサイズは、ＤＬ  ＭＵ資源が割り当てられ得る最大ＳＴＡ（または、ユーザ）数に基づいて決定されることができる。例えば、ＤＬ  ＭＵ資源（周波数資源と空間資源を含む）が割り当てられ得る最大ＳＴＡ数が１６（２＾４ｂｉｔｓ）である場合、ＡＣＫチャネル開始インデックス情報３６１０とＡＣＫチャネルデュレーション情報３６２０とは、各々４ｂｉｔｓのビットサイズを有することができる。
【０６４６】
仮に、各ＳＴＡ別に割り当てられるＡＣＫチャネルのサイズ（または、個数）を全て同一に設定する場合（すなわち、ＡＣＫフレームに適用されるＭＣＳレベルを固定する場合）、ＡＣＫチャネルのデュレーション情報３６２０は、別に必要でないこともある。または、ＤＬフレームに適用されるＭＣＳレベルに基づいて決定されたＭＣＳレベルをＡＣＫフレームに適用する場合、ＡＣＫチャネル情報は、ＤＬフレームに適用されるＭＣＳレベルとＡＣＫフレームに適用されるＭＣＳレベルとの差値を指示できる。例えば、ＡＣＫチャネル情報は、ＡＣＫフレームに適用されるＭＣＳレベルからＤＬフレームに適用されるＭＣＳレベルの差値（より詳細には、ＡＣＫフレームに適用されるＭＣＳレベル−ＤＬフレームに適用されるＭＣＳレベル）として「−２、−１、０、１」を指示でき、２ｂｉｔｓのビットサイズでシグナリングされることができる。
【０６４７】
上述した実施形態においてＡＣＫフレームに適用されるＭＣＳレベルによってＡＣＫチャネルのサイズ（または、個数）は固定されると仮定する。
【０６４８】
その他にも、ＨＥコントロールフィールドは、前述したＡＣＫ指示情報に含まれる様々な情報（例えば、帯域幅情報、ＭＣＳ情報、ＰＰＤＵ最大長さ情報等）をさらに含むことができる。
【０６４９】
図３６（ｂ）は、ＵＬ  ＭＵ送信されるＨＥコントロールフィールドを示した図である。
【０６５０】
図３６（ｂ）に示すように、ＨＥコントロールフィールドは、バッファ状態情報（８ｂｉｔｓ）（３６４０−１、３６４０−２）とバッファ状態報告内容があるか否か、及びチャネル情報のうち、少なくとも１つを含むことができる。バッファ状態情報は、２個のフィールドで構成されることができ、各フィールドのビットサイズは、４ｂｉｔｓでありうる。バッファ状態情報は、キューサイズ（ｑｕｅｕｅ  ｓｉｚｅ）、アクセスカテゴリー（ＡＣ：Ａｃｃｅｓｓ  Ｃａｔｅｇｏｒｙ）、バックオフカウント（ｂａｃｋｏｆｆ  ｃｏｕｎｔ）などを指示できる。
【０６５１】
ＨＥコントロールフィールドに含まれることができる情報の種類を指示するタイプ指示子は、ＨＥコントロールフィールドに優先するフィールド（または、先行するフィールド）に含まれることができる。
【０６５２】
エラー復旧（Ｅｒｒｏｒ  Ｒｅｃｏｖｅｒｙ）
【０６５３】
ＤＬ  ＭＵ  ＰＰＤＵのデータフィールドがＡ−ＭＰＤＵで構成された場合、ＡＰは、Ａ−ＭＰＤＵを構成する全てのＭＰＤＵのＭＡＣヘッダ毎にＡＣＫ指示情報を含めるか、一部ＭＰＤＵ（例えば、Ａ−ＭＰＤＵを構成するＭＰＤＵのうち、１番目のＭＰＤＵ）のＭＡＣヘッダにＡＣＫ指示情報を含めることができる。
【０６５４】
仮に、Ａ−ＭＰＤＵを構成する全てのＭＰＤＵのＭＡＣヘッダ毎にＡＣＫ指示情報を含める場合、重複する情報が全てのＭＰＤＵに含まれており、オーバーヘッドが増加するという短所がある。逆に、一部ＭＰＤＵのＭＡＣヘッダにＡＣＫ指示情報を含める場合、オーバーヘッドが減るという効果があるが、ＳＴＡが当該一部ＭＰＤＵのデコーディングを失敗する場合、ＡＣＫフレームをＵＬ  ＭＵ送信できないという問題点が存在する。このような問題点を防止するために、一部ＭＰＤＵのＭＡＣヘッダにＡＣＫ指示情報を含める場合、一定のエラー復旧手順が必要でありうる。以下では、本発明の一実施形態に係るエラー復旧手順に関して詳細に説明する。
【０６５５】
図３７は、本発明の一実施形態に係るエラー復旧手順を概略的に示した図である。以下では、ＡＰがＳＴＡ１〜４を対象としてＤＬ  ＭＵフレーム（または、ＤＬデータ）を送信し、このようなＤＬ  ＭＵフレーム（または、ＤＬデータ）を受信したＳＴＡ１〜４は、受信したＤＬ  ＭＵフレーム（または、ＤＬデータ）に対する応答としてＡＣＫフレームをＵＬ  ＭＵ送信する場合を仮定して説明する。
【０６５６】
図３７に示すように、ＡＰは、ＤＬ  ＭＵ資源を利用してＤＬ  ＭＵフレーム（または、ＤＬデータ）をＳＴＡ１〜４に送信することができる。この場合、各ＳＴＡに送信されるＤＬ  ＭＵフレーム（または、ＤＬデータ）の一部ＭＡＣヘッダには、ＡＣＫフレームのＵＬ  ＭＵ送信のためのＡＣＫ指示情報が含まれることもある。
【０６５７】
ＤＬ  ＭＵフレーム（または、ＤＬデータ）を正常に受信した各ＳＴＡ１、２は、ＤＬ  ＭＵフレーム（または、ＤＬデータ）を受信した後、所定の時間後にＤＬ  ＭＵフレーム（または、ＤＬデータ）に対する応答としてＡＣＫフレームをＵＬ  ＭＵ送信することができる。この場合、ＳＴＡ１、２は、受信したＤＬ  ＭＵフレーム（または、ＤＬデータ）の一部ＭＡＣヘッダに含まれたＡＣＫ指示情報が指示するＵＬ  ＭＵ資源を利用してＡＣＫフレームをＵＬ  ＭＵ送信することができる。
【０６５８】
ＤＬ  ＭＵフレーム（または、ＤＬデータ）またはＡＣＫ指示情報を正常に受信（または、デコーディング）できなかったＳＴＡ３、４は、ＤＬ  ＭＵフレーム（または、ＤＬデータ）に対する応答としてＡＣＫフレームをＵＬ  ＭＵ送信することができない。
【０６５９】
この場合、ＡＰは、ＳＴＡ１、２からＡＣＫフレームをＵＬ  ＭＵ受信した後、所定の時間（例えば、ＳＩＦＳ）後、ＡＣＫフレームのＵＬ  ＭＵ送信に失敗したＳＴＡ３、４にＭＵ  ＢＡＲフレームをＤＬ  ＭＵ送信することができる。または、ＡＰは、ＤＬ  ＭＵフレーム（または、ＤＬデータ）をＳＴＡ３、４に再送信するためのバックオフ過程（ｂａｃｋｏｆｆ  ｐｒｏｃｅｄｕｒｅ）後、チャネル競争（ｃｈａｎｎｅｌ  ｃｏｎｔｅｎｔｉｏｎ）を介してＭＵ  ＢＡＲフレームをＤＬ  ＭＵ送信することができる。ＭＵ  ＢＡＲフレームには、ＡＣＫフレームのＵＬ  ＭＵ送信に失敗したＳＴＡのＳＴＡ  ＩＤとＡＣＫフレームのＵＬ  ＭＵ送信のための新しい指示情報が含まれることもある。
【０６６０】
この場合、ＳＴＡ３、４は、ＡＣＫフレームをＵＬ  ＭＵ送信する機会を得るようになる。ＳＴＡ３、４は、受信したＭＵ  ＢＡＲに基づいてＡＣＫフレームをＵＬ  ＭＵ送信することができる。
【０６６１】
ＡＰがＭＵ  ＢＡＲを送信した後にも、ＳＴＡ３、４がＡＣＫフレームをＵＬ  ＭＵ送信しないならば、ＡＰは、ＳＴＡ３、４がＤＬ  ＭＵフレーム（または、ＤＬデータ）を正しくデコーディングできなかったＳＴＡと判断し、ＤＬ  ＭＵフレーム（または、ＤＬデータ）の再送信などの後続手順を行うことができる。
【０６６２】
他の実施形態として、ＤＬ  ＭＵフレーム（または、ＤＬデータ）は受信したが、ＡＣＫ指示情報を受信できず、ＡＣＫフレームをＵＬ  ＭＵ送信できなかったＳＴＡは、チャネル競争（ｃｈａｎｎｅｌ  ｃｏｎｔｅｎｔｉｏｎ）を介してＡＣＫフレームをＵＬ  ＳＵ送信することができる。このとき、ＡＣＫフレームは、ＵＬフレームに単独で含まれたスタンド−アローン（ｓｔａｎｄ−ａｌｏｎｅ）フレームでありうるし、ＵＬフレームのデータフレームにピギーバックされたフレームでありうる。
【０６６３】
この場合、ＡＰは、ＳＴＡからＡＣＫフレームが受信されることを待ち続けることはできないので、一定の待機時間を設定して、待機時間の間だけ、ＡＣＫフレームのＵＬ  ＳＵ受信を待つことができる。待機時間の間、当該ＳＴＡからＡＣＫフレームが受信されなかった場合、ＡＰは、ＡＣＫフレームを送信しなかったＳＴＡがＤＬ  ＭＵフレーム（または、ＤＬデータ）を正しくデコーディングできなかったＳＴＡと判断して、ＤＬ  ＭＵフレーム（または、ＤＬデータ）の再送信などの後続手順を行うことができる。
【０６６４】
または、ＡＰは、ＤＬ  ＭＵフレーム（または、ＤＬデータ）を再送信するためのバックオフ過程中、またはＭＵ  ＢＡＲフレームを送信する途中に、ＡＣＫフレームのＵＬ  ＭＵ送信に失敗したＳＴＡからＢＡＲ要求及び／又はＡＣＫフレームを受信できる。この場合、ＡＰは、受信したＢＡＲ要求及び／又はＡＣＫフレームに基づいてＤＬ  ＭＵフレーム（または、ＤＬデータ）の再送信及び／又はＢＡＲフレーム送信などの後続手順を行うことができる。
【０６６５】
他の実施形態として、ＤＬ  ＭＵフレーム（または、ＤＬデータ）は受信したが、ＡＣＫ指示情報を受信できず、ＡＣＫフレームをＵＬ  ＭＵ送信できなかったＳＴＡは、ランダムアクセス（ｒａｎｄｏｍ  ａｃｃｅｓｓ）区間（例えば、次のランダムアクセス区間またはＡＰが指定するランダムアクセス区間）にＡＰへＢＡＲフレームを要求したり、ＡＣＫフレームを直接送信することができる。
【０６６６】
この場合、ＡＰは、ＳＴＡからＡＣＫフレームの受信またはＢＡＲフレーム要求を待ち続けることはできないので、一定の待機時間を設定して、待機時間の間だけＡＣＫフレーム及びＢＡＲフレーム要求の受信を待つことができる。待機時間の間、当該ＳＴＡからＡＣＫフレームまたはＢＡＲフレーム要求が受信されなかった場合、ＡＰは、ＡＣＫフレームを送信しなかったＳＴＡがＤＬ  ＭＵフレーム（または、ＤＬデータ）を正しくデコーディングできなかったＳＴＡと判断して、ＤＬ  ＭＵフレーム（または、ＤＬデータ）の再送信などの後続手順を行うことができる。
【０６６７】
または、ＡＰは、ＤＬ  ＭＵフレーム（または、ＤＬデータ）を再送信するためのバックオフ過程中、またはＭＵ  ＢＡＲフレームを送信する途中に、ＡＣＫフレームのＵＬ  ＭＵ送信に失敗したＳＴＡからＢＡＲ要求及び／又はＡＣＫフレームを受信できる。この場合、ＡＰは、受信したＢＡＲ要求及び／又はＡＣＫフレームに基づいてＤＬ  ＭＵフレーム（または、ＤＬデータ）の再送信及び／又はＢＡＲフレーム送信などの後続手順を行うことができる。
【０６６８】
図３８は、本発明の一実施形態に係るＡＰ装置のＤＬ  ＭＵ送信方法を示した順序図である。本順序図と関連して上述した実施形態が同様に適用され得る。したがって、以下では、重複する説明を省略する。
【０６６９】
図３８に示すように、ＡＰは、ＤＬ  ＭＵ  ＰＰＤＵを生成できる（Ｓ３８１０）。ここで、ＤＬ  ＭＵ  ＰＰＤＵは、物理プリアンブル及びデータフィールドを含むことができる。データフィールドは、少なくとも１つのＭＰＤＵを含むことができ、このとき、前記少なくとも１つのＭＰＤＵは、ＭＡＣヘッダとＭＡＣフレームボディを含むことができる。また、前記ＭＡＣヘッダは、前記データフィールドを介して送信されたデータに対する応答であるＡＣＫフレームのＵＬ  ＭＵ送信のためのＡＣＫ指示情報を含む。
【０６７０】
次に、ＡＰは、ＤＬ  ＭＵ  ＰＰＤＵを送信できる（Ｓ３８２０）。より詳細には、ＡＰは、生成したＤＬ  ＭＵ  ＰＰＤＵをＤＬ資源が割り当てられた少なくとも１つのＳＴＡに送信することができる。
【０６７１】
図３９は、本発明の一実施の形態にかかる各ＳＴＡ装置のブロック図である。
【０６７２】
図３９において、ＳＴＡ装置３９１０は、メモリ３９１２、プロセッサ３９１１及びＲＦユニット３９１３を備えることができる。そして、上述のようにＳＴＡ装置は、ＨＥ  ＳＴＡ装置であって、ＡＰまたはｎｏｎ-ＡＰ  ＳＴＡになることができる。
【０６７３】
ＲＦユニット３９１３は、プロセッサ３９１１に接続されて無線信号を送信／受信することができる。ＲＦユニット３９１３は、プロセッサ３９１１から受信されたデータを送受信帯域にアップコンバートして信号を送信できる。
【０６７４】
プロセッサ３９１１は、ＲＦユニット３９１３に接続されてＩＥＥＥ  ８０２．１１システムによる物理層及び／又はＭＡＣ層を実現できる。プロセッサ３９１１は、上述の図面及び説明による本発明の様々な実施の形態にかかる動作を行うように構成されることができる。また、上述の本発明の様々な実施の形態にかかるＳＴＡ３９１０の動作を実現するモジュールがメモリ３９１２に格納され、プロセッサ３９１１によって実行されることができる。
【０６７５】
メモリ３９１２は、プロセッサ３９１１に接続されて、プロセッサ３９１１を駆動するための様々な情報を格納する。メモリ３９１２は、プロセッサ３９１１の内部に含まれるか、またはプロセッサ３９１１の外部に設置されて、プロセッサ３９１１と公知の手段により接続されることができる。
【０６７６】
また、ＳＴＡ装置３９１０は、一個のアンテナ（ｓｉｎｇｌｅ  ａｎｔｅｎｎａ）または多重アンテナ（ｍｕｌｔｉｐｌｅ  ａｎｔｅｎｎａ）を備えることができる。
【０６７７】
図３９のＳＴＡ装置３９１０の具体的な構成は、上述の本発明の様々な実施の形態で説明した事項が独立的に適用されるか、または２以上の実施の形態が同時に適用されるように実現されることができる。
【０６７８】
以上で説明された実施形態は、本発明の構成要素と特徴が所定の形態で組み合わせられたものである。各構成要素または特徴は、別の明示的言及がない限り、選択的なことと考慮されなければならない。各構成要素または特徴は、他の構成要素や特徴と組み合わせられていない形態で実施されることができる。また、一部構成要素及び／又は特徴を組み合わせて本発明の実施形態を構成することも可能である。本発明の実施形態で説明される動作等の順序は変更されることができる。ある実施形態の一部構成や特徴は、他の実施形態に含まれることができ、または、他の実施形態の対応する構成若しくは特徴と交替されることができる。特許請求の範囲で明示的な引用関係がない請求項を組み合わせて実施形態を構成するか、出願後の補正により新しい請求項に含めることができることは自明である。
【０６７９】
本発明に係る実施形態は、様々な手段、例えば、ハードウェア、ファームウェア（ｆｉｒｍｗａｒｅ）、ソフトウェア、またはそれらの組み合わせなどにより実現されることができる。ハードウェアによる実現の場合、本発明の一実施形態は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されることができる。
【０６８０】
ファームウェアやソフトウェアによる実現の場合、本発明の一実施形態は、以上で説明された機能または動作を行うモジュール、手順、関数などの形態で実現されることができる。ソフトウェアコードは、メモリに格納されてプロセッサにより駆動されることができる。前記メモリは、前記プロセッサの内部または外部に位置して、既に公知された様々な手段により前記プロセッサとデータをやり取りできる。
【０６８１】
本発明は、本発明の必須的特徴を逸脱しない範囲で他の特定の形態で具体化され得ることは当業者に自明である。したがって、上述した詳細な説明は、あらゆる面で制限的に解釈されてはならず、例示的なものと考慮されるべきである。本発明の範囲は、添付された請求項の合理的解釈により決定されなければならず、本発明の等価的範囲内でのあらゆる変更は、本発明の範囲に含まれる。
【産業上の利用可能性】
【０６８２】
本発明の無線通信システムにおけるフレーム送信方案は、ＩＥＥＥ  ８０２．１１システムに適用される例を中心として説明したが、ＩＥＥＥ  ８０２．１１システムの他にも、様々な無線通信システムに適用することが可能である。
【図１】
0006430635.tif 000026
【図２】
0006430635.tif 000027
【図３】
0006430635.tif 000028
【図４（ａ）】
0006430635.tif 000029
【図４（ｂ）】
0006430635.tif 000030
【図５（ａ）】
0006430635.tif 000031
【図５（ｂ）】
0006430635.tif 000032
【図５（ｃ）】
0006430635.tif 000033
【図６】
0006430635.tif 000034
【図７】
0006430635.tif 000035
【図８】
0006430635.tif 000036
【図９】
0006430635.tif 000037
【図１０】
0006430635.tif 000038
【図１１】
0006430635.tif 000039
【図１２】
0006430635.tif 000040
【図１３】
0006430635.tif 000041
【図１４】
0006430635.tif 000042
【図１５】
0006430635.tif 000043
【図１６】
0006430635.tif 000044
【図１７】
0006430635.tif 000045
【図１８】
0006430635.tif 000046
【図１９】
0006430635.tif 000047
【図２０】
0006430635.tif 000048
【図２１】
0006430635.tif 000049
【図２２（ａ）】
0006430635.tif 000050
【図２２（ｂ）】
0006430635.tif 000051
【図２３】
0006430635.tif 000052
【図２４（ａ）】
0006430635.tif 000053
【図２４（ｂ）】
0006430635.tif 000054
【図２４（ｃ）】
0006430635.tif 000055
【図２５（ａ）】
0006430635.tif 000056
【図２５（ｂ）】
0006430635.tif 000057
【図２５（ｃ）】
0006430635.tif 000058
【図２５（ｄ）】
0006430635.tif 000059
【図２６】
0006430635.tif 000060
【図２７】
0006430635.tif 000061
【図２８】
0006430635.tif 000062
【図２９】
0006430635.tif 000063
【図３０】
0006430635.tif 000064
【図３１】
0006430635.tif 000065
【図３２】
0006430635.tif 000066
【図３３】
0006430635.tif 000067
【図３４】
0006430635.tif 000068
【図３５】
0006430635.tif 000069
【図３６（ａ）】
0006430635.tif 000070
【図３６（ｂ）】
0006430635.tif 000071
【図３７】
0006430635.tif 000072
【図３８】
0006430635.tif 000073
【図３９】
0006430635.tif 000074